(57)【要約】ヒトホスファチジルイノシトール特異的ホスホリパーゼＣ様酵素を調節する試薬、およびヒトホスファチジルイノシトール特異的ホスホリパーゼＣ様酵素遺伝子産物と結合する試薬は、癌、末梢神経系若しくは中枢神経系疾患、及び慢性閉塞性肺疾患（これらに制限される訳ではない）を含む機能障害又は疾患を、予防し、回復させ、又は治す働きがあり得る。【特許請求の範囲】
【請求項１】
ＰＩ−ＰＬＣ様酵素ポリペプチドをコードする単離されたポリヌクレオチドであって、
ａ）配列番号２に示すアミノ酸配列と少なくとも約５０％一致するアミノ酸配列；および配列番号２に示すアミノ酸配列から成る群より選択されるアミノ酸配列を含むＰＩ−ＰＬＣ様酵素ポリペプチドをコードするポリヌクレオチド；
ｂ）配列番号１又は４に記載の配列を含むポリヌクレオチド；
ｃ）（ａ）および（ｂ）に明記するポリヌクレオチドとストリンジェントな条件下でハイブリダイズするポリヌクレオチド；
ｄ）遺伝コードの縮重のため、その配列が（ａ）〜（ｃ）に明記するポリヌクレオチド配列から逸脱しているポリヌクレオチド；並びに
ｅ）（ａ）〜（ｄ）に明記するポリヌクレオチド配列の断片、誘導体またはアレル変異体を表すポリヌクレオチド、
から成る群より選択されるポリヌクレオチド。
【請求項２】
請求項１に記載の任意のポリヌクレオチドを含む発現ベクター。
【請求項３】
請求項２に記載の発現ベクターを含む宿主細胞。
【請求項４】
請求項１に記載のポリヌクレオチドによってコードされている、実質上精製されたＰＩ−ＰＬＣ様酵素ポリペプチド。
【請求項５】
ａ）請求項３に記載の宿主細胞を、ＰＩ−ＰＬＣ様酵素ポリペプチドの発現に好適な条件下で培養する工程；および、
ｂ）該宿主細胞培養からＰＩ−ＰＬＣ様酵素ポリペプチドを回収する工程、
を含む、ＰＩ−ＰＬＣ様酵素ポリペプチドを生産する方法。
【請求項６】
ａ）請求項１に記載の任意のポリヌクレオチドを生物試料の核酸材料とハイブリダイズさせ、それによりハイブリダイゼーション複合体を形成させる工程；および、
ｂ）該ハイブリダイゼーション複合体を検出する工程、
を含む、生物試料中のＰＩ−ＰＬＣ様酵素ポリペプチドをコードするポリヌクレオチドを検出するための方法。
【請求項７】
ハイブリダイゼーション前に、生物試料の核酸材料を増幅させる、請求項６に記載の方法。
【請求項８】
生物試料を、請求項１に記載のポリヌクレオチドまたは請求項４に記載のＰＩ−ＰＬＣ様酵素ポリペプチドと特異的に相互作用する試薬と接触させる工程を含む、請求項１に記載のポリヌクレオチドまたは請求項４に記載のＰＩ−ＰＬＣ様酵素ポリペプチドを検出するための方法。
【請求項９】
請求項６〜８のいずれかに記載の方法を実施するための診断キット。
【請求項１０】
被験化合物を、請求項１に記載の任意のポリヌクレオチドによってコードされている任意のＰＩ−ＰＬＣ様酵素ポリペプチドと接触させる工程；
該ＰＩ−ＰＬＣ様酵素ポリペプチドに対する被験化合物の結合を検出する工程、
を含むＰＩ−ＰＬＣ様酵素の活性を低下させる物質をスクリーニングする方法であって、該ポリペプチドと結合する被験化合物を、ＰＩ−ＰＬＣ様酵素の活性を低下させる可能性のある治療物質として同定する方法。
【請求項１１】
被験化合物を、請求項１に記載の任意のポリヌクレオチドによってコードされるＰＩ−ＰＬＣ様酵素ポリペプチドと接触させる工程；および、
該ポリペプチドのＰＩ−ＰＬＣ様酵素活性を検出する工程、
を含むＰＩ−ＰＬＣ様酵素の活性を調節する物質をスクリーニングする方法であって、ＰＩ−ＰＬＣ様酵素活性を増大させる被験化合物をＰＩ−ＰＬＣ様酵素の活性を増大させる可能性のある治療物質として同定し、そして該ポリペプチドのＰＩ−ＰＬＣ様酵素活性を減少させる被験化合物をＰＩ−ＰＬＣ様酵素の活性を減少させる可能性のある治療物質として同定する方法。
【請求項１２】
被験化合物を、請求項１に記載の任意のポリヌクレオチドと接触させ、該ポリヌクレオチドに対する被験化合物の結合を検出する工程を含む、ＰＩ−ＰＬＣ様酵素の活性を減少させる物質をスクリーニングする方法であって、該ポリヌクレオチドに結合する被験化合物をＰＩ−ＰＬＣ様酵素の活性を減少させる可能性のある治療物質として同定する方法。
【請求項１３】
細胞を、請求項１に記載の任意のポリヌクレオチドまたは請求項４に記載のＰＩ−ＰＬＣ様酵素ポリペプチドと特異的に結合する試薬と接触させ、それによりＰＩ−ＰＬＣ様酵素の活性を減少させる工程を含む、ＰＩ−ＰＬＣ様酵素の活性を減少させる方法。
【請求項１４】
請求項１０〜１２のいずれかに記載の方法によって同定される、ＰＩ−ＰＬＣ様酵素ポリペプチドまたはポリヌクレオチドの活性を調整する試薬。
【請求項１５】
請求項２に記載の発現ベクターまたは請求項１４に記載の試薬および製薬的に許容し得る担体、を含む医薬組成物。
【請求項１６】
疾患においてＰＩ−ＰＬＣ様酵素の活性を調整する、請求項１５に記載の医薬組成物の使用。
【請求項１７】
該疾患が、癌、末梢神経系若しくは中枢神経系疾患、慢性閉塞性肺疾患又は喘息である、請求項１６に記載の使用。
【請求項１８】
配列番号２に示すアミノ酸配列を含むポリペプチドをコードするｃＤＮＡ。
【請求項１９】
配列番号１又は４を含む、請求項１８に記載のｃＤＮＡ。
【請求項２０】
配列番号１又は４から成る、請求項１８に記載のｃＤＮＡ。
【請求項２１】
配列番号２に示すアミノ酸配列を含むポリペプチドをコードするポリヌクレオチドを含む発現ベクター。
【請求項２２】
該ポリヌクレオチドが配列番号１又は４から成る、請求項２１に記載の発現ベクター。
【請求項２３】
配列番号２に示すアミノ酸配列を含むポリペプチドをコードする発現ベクターを含む宿主細胞。
【請求項２４】
該ポリヌクレオチドが配列番号１又は４から成る、請求項２３に記載の宿主細胞。
【請求項２５】
配列番号２に示すアミノ酸配列を含む精製されたポリペプチド。
【請求項２６】
配列番号２に示すアミノ酸配列から成る、請求項２５に記載の精製されたポリペプチド。
【請求項２７】
配列番号２に示すアミノ酸配列を有するポリペプチドを含む融合タンパク質。
【請求項２８】
配列番号２に示すアミノ酸配列を含むポリペプチドをコードする発現ベクターを含む宿主細胞を、該ポリペプチドが発現される条件下で培養し；そして該ポリペプチドを単離する工程を含む、該ポリペプチドを生産する方法。
【請求項２９】
該発現ベクターが配列番号１又は４を含む、請求項２８に記載の方法。
【請求項３０】
配列番号１又は４に記載の１１個の連続ヌクレオチドを含むポリヌクレオチドを、生物試料の核酸材料とハイブリダイズさせ、それによりハイブリダイゼーション複合体を形成させ；そして、該ハイブリダイゼーション複合体を検出する工程を含む、配列番号２に示すアミノ酸配列を含むポリペプチドのコード配列を検出する方法。
【請求項３１】
ハイブリダイズさせる工程の前に、該核酸材料を増幅させる工程をさらに含む、請求項３０に記載の方法。
【請求項３２】
配列番号１又は４に記載の１１個の連続するヌクレオチドを含むポリヌクレオチド；および、
請求項３０に記載の方法についての説明書、
を含む、配列番号２に示すアミノ酸配列を含むポリペプチドのコード配列を検出するためのキット。
【請求項３３】
生物試料を、配列番号２に示すアミノ酸配列を含むポリペプチドと特異的に結合する試薬と接触させて、試薬−ポリペプチド複合体を形成させる工程；および、
該試薬−ポリペプチド複合体を検出する工程、
を含む、該ポリペプチドを検出するための方法。
【請求項３４】
該試薬が抗体である、請求項３３に記載の方法。
【請求項３５】
配列番号２に示すアミノ酸配列を含むポリペプチドと特異的に結合する抗体；および
請求項３３に記載の方法についての説明書、
を含む、該ポリペプチドを検出するためのキット。
【請求項３６】
被験化合物を、（１）配列番号２に示すアミノ酸配列と少なくとも約５０％一致するアミノ酸配列、および（２）配列番号２に示すアミノ酸配列、から成る群より選択されるアミノ酸配列を含むポリペプチドと接触させる工程；および
該ポリペプチドに対する被験化合物の結合を検出する工程、
を含むヒトＰＩ−ＰＬＣ様酵素の活性を調整することができる物質をスクリーニングするための方法であって、該ポリペプチドに結合する被験化合物をヒトＰＩ−ＰＬＣ様酵素の活性を調節する可能性のある物質として規定する方法。
【請求項３７】
接触させる工程が細胞においてである、請求項３６に記載の方法。
【請求項３８】
インビトロにおける細胞である、請求項３６に記載の方法。
【請求項３９】
接触させる工程が無細胞系においてである、請求項３６に記載の方法。
【請求項４０】
該ポリペプチドが検出可能な標識を含む、請求項３６に記載の方法。
【請求項４１】
被験化合物が検出可能な標識を含む、請求項３６に記載の方法。
【請求項４２】
被験化合物が該ポリペプチドと結合している標識化リガンドに取って代わる、請求項３６に記載の方法。
【請求項４３】
該ポリペプチドが固体支持体と結合している、請求項３６に記載の方法。
【請求項４４】
被験化合物が固体支持体と結合している、請求項３６に記載の方法。
【請求項４５】
被験化合物を、（１）配列番号２に示すアミノ酸配列と少なくとも約５０％一致するアミノ酸配列、および、（２）配列番号２に示すアミノ酸配列、から成る群より選択されるアミノ酸配列を含むポリペプチドと接触させる工程；および
該ポリペプチドの活性を検出する工程、
を含むヒトＰＩ−ＰＬＣ様酵素の活性を調整する物質をスクリーニングする方法であって、該ポリペプチドの活性を増大させる被験化合物をヒトＰＩ−ＰＬＣ様酵素の活性を増大させる可能性のある物質として同定し、該ポリペプチドの活性を減少させる被験化合物をヒトＰＩ−ＰＬＣ様酵素の活性を減少させる可能性のある物質として同定する方法。
【請求項４６】
接触させる工程が細胞においてである、請求項４５に記載の方法。
【請求項４７】
インビトロにおける細胞である、請求項４５に記載の方法。
【請求項４８】
接触させる工程が無細胞系においてである、請求項４５に記載の方法。
【請求項４９】
被験化合物を、配列番号１又は４に示すヌクレオチド配列を含むポリヌクレオチドによってコードされる産物と接触させる工程；および
該産物に対する被験化合物の結合を検出する工程、
を含むヒトＰＩ−ＰＬＣ様酵素の活性を調整する物質をスクリーニングする方法であって、該産物に結合する被験化合物をヒトＰＩ−ＰＬＣ様酵素の活性を調節する可能性のある物質として同定する方法。
【請求項５０】
該産物がポリペプチドである、請求項４９に記載の方法。
【請求項５１】
該産物がＲＮＡである、請求項４９に記載の方法。
【請求項５２】
細胞を、配列番号１又は４に示すヌクレオチド配列を含むポリヌクレオチドによってコードされる産物と特異的に結合する試薬と接触させ、それによりヒトＰＩ−ＰＬＣ様酵素の活性を減少させる工程を含む、ヒトＰＩ−ＰＬＣ様酵素の活性を減少させる方法。
【請求項５３】
該産物がポリペプチドである、請求項５２に記載の方法。
【請求項５４】
該産物が抗体である、請求項５３に記載の方法。
【請求項５５】
該産物がＲＮＡである、請求項５２に記載の方法。
【請求項５６】
該試薬がアンチセンスオリゴヌクレオチドである、請求項５５に記載の方法。
【請求項５７】
該試薬がリボザイムである、請求項５６に記載の方法。
【請求項５８】
インビトロにおける細胞である、請求項５２に記載の方法。
【請求項５９】
該細胞がインビボにおいてである、請求項５２に記載の方法。
【請求項６０】
配列番号２に示すアミノ酸配列を含むポリペプチドと特異的に結合する試薬；および製薬的に許容し得る担体、を含む医薬組成物。
【請求項６１】
該試薬が抗体である、請求項６０に記載の医薬組成物。
【請求項６２】
配列番号１又は４に示すヌクレオチド配列を含むポリヌクレオチドの産物と特異的に結合する試薬；および製薬的に許容し得る担体、を含む医薬組成物。
【請求項６３】
該試薬がリボザイムである、請求項６２に記載の医薬組成物。
【請求項６４】
該試薬がアンチセンスオリゴヌクレオチドである、請求項６２に記載の医薬組成物。
【請求項６５】
該試薬が抗体である、請求項６２に記載の医薬組成物。
【請求項６６】
配列番号２に示すアミノ酸配列を含むポリペプチドをコードする発現ベクター；および製薬的に許容し得る担体、を含む医薬組成物。
【請求項６７】
該発現ベクターが配列番号１又は４を含む、請求項６６に記載の医薬組成物。
【請求項６８】
癌、末梢神経系若しくは中枢神経系疾患、慢性閉塞性肺疾患又は喘息より選択されるＰＩ−ＰＬＣ様酵素機能障害関連疾患を処置する方法であって、それを必要とする患者に、ヒトＰＩ−ＰＬＣ様酵素の機能を調整する試薬の治療的有効量を投与し、それによりＰＩ−ＰＬＣ様酵素機能障害関連疾患の症状を回復させる方法。
【請求項６９】
該試薬が請求項３６に記載の方法によって同定される、請求項６８に記載の方法。
【請求項７０】
該試薬が請求項４５に記載の方法によって同定される、請求項６８に記載の方法。
【請求項７１】
該試薬が請求項４９に記載の方法によって同定される、請求項６８に記載の方法。
【発明の詳細な説明】
【０００１】
（技術分野）
本発明は、酵素調節の分野に関する。より具体的には、本発明は、ヒトホスファチジルイノシトール特異的ホスホリパーゼＣ様酵素及びその調節に関する。
【０００２】
（背景技術）
ホスホリパーゼＣ（ＰＬＣ）は、グリセロリン脂質及びスフィンゴリン脂質を加水分解する酵素である。米国特許６，０６０，３０２を参照のこと。ＰＬＣは哺乳動物の脾臓、粘膜間質性 （ｔｕｎｉｃａ ｍｕｃｏｓａ ｉｎｔｅｒｓｔｉｎｉ）テヌイス（ｔｅｎｕｉｓ）及び胎盤に存在し、哺乳動物代謝に重要な役割を果たす。例えば、ホスファチジルイノシトール特異的ホスホリパーゼＣ（ＰＩ−ＰＬＣ）は、ホスファチジルイノシトール４，５−ジホスフェートを加水分解して、１，２−ジアシルグリセロール及びイノシトール１，４，５−トリホスフェートを産生する（Ｒｈｅｅら、Ｓｃｉｅｎｃｅ ２４４， ５４６−５０， １９８９）。種々のＰＬＣアイソザイムは記載されている（例えば、Ｂｅｎｎｅｔｔら、Ｎａｔｕｒｅ ３３４， ２６８−７０，１９８８； Ｅｍｏｒｉら、Ｊ． Ｂｉｏｌ． Ｃｈｅｍ． ２６４， ２１８８５−９０，１９８９； Ｋａｔａｎら、Ｃｅｌｌ ５４， １７１−７７，１９８８）； Ｏｈｔａら、ＦＥＢＳ Ｌｅｔｔ． ２４２， ３１−３５，１９８８； Ｓｔａｈｌら、Ｎａｔｕｒｅ ３３２， ２６９−７２，１９８８； Ｓｕｈら、Ｃｅｌｌ ５４， １６１−６９，１９８８；及びＫｒｉｔｚら、ＣＩＢＡ Ｆｏｕｎｄ． Ｓｙｍｐ． １５０， １１２−２７，１９９０）。哺乳動物代謝におけるＰＬＣの重要性のため、当分野には、治療効果を提供すべく調節できる更なるＰＬＣ様酵素を同定する必要がある。
【０００３】
（発明の概要）
ヒトホスファチジルイノシトール特異的ホスホリパーゼＣ様酵素を調節する試薬及び方法を提供することが、本発明の目的である。本発明のこの目的及び他の目的は、以下に記載の１つ又はそれ以上の態様によって提供される。
【０００４】
本発明の１つの態様は、配列番号２に示すアミノ酸配列と少なくとも約５０％一致するアミノ酸配列；および配列番号２に示すアミノ酸配列から成る群より選択されるアミノ酸配列を含むＰＩ−ＰＬＣ様酵素ポリペプチドである。
【０００５】
本発明のさらに別の態様は、細胞外マトリックス分解を低下させる物質をスクリーニングする方法である。被験化合物を、
配列番号２に示すアミノ酸配列と少なくとも約５０％一致するアミノ酸配列；および配列番号２に示すアミノ酸配列から成る群より選択されるアミノ酸配列を含むＰＩ−ＰＬＣ様酵素ポリペプチド、
と接触させる。
【０００６】
被験化合物とＰＩ−ＰＬＣ様酵素ポリペプチドとの間の結合を検出する。それにより、ＰＩ−ＰＬＣ様酵素ポリペプチドと結合する被験化合物を、細胞外マトリックス分解を低下させる可能性のある物質として同定する。その物質は、ＰＩ−ＰＬＣ様酵素の活性を低下させることによって機能し得る。
【０００７】
本発明の別の態様は、細胞外マトリックス分解を低下させる物質をスクリーニングする方法である。被験化合物を、ＰＩ−ＰＬＣ様酵素ポリペプチドをコードするポリヌクレオチドであって、
配列番号１に示すヌクレオチド配列と少なくとも約５０％一致するヌクレオチド配列；配列番号１に示すヌクレオチド酸配列；配列番号４に示すヌクレオチド配列と少なくとも約５０％一致するヌクレオチド配列；および配列番号４に示すヌクレオチド酸配列から成る群より選択されるヌクレオチド配列を含むポリヌクレオチド、
と接触させる。
【０００８】
該ポリヌクレオチドに対する被験化合物の結合を検出する。該ポリヌクレオチドと結合する被験化合物を、細胞外マトリックス分解を低下させる可能性のある物質として同定する。この物質は、ＰＩ−ＰＬＣ様酵素ｍＲＮＡと相互作用することを通じてＰＩ−ＰＬＣ様酵素量を減少させることによって機能し得る。
【０００９】
本発明の別の態様は、細胞外マトリックス分解を調節する物質をスクリーニングする方法である。被験化合物を、
配列番号２に示すアミノ酸配列と少なくとも約５０％一致するアミノ酸配列；および配列番号２に示すアミノ酸配列から成る群より選択されるアミノ酸配列を含むＰＩ−ＰＬＣ様酵素ポリペプチド、
と接触させる。
【００１０】
該ポリペプチドのＰＩ−ＰＬＣ様酵素活性を検出する。それにより、被験化合物の非存在下のＰＩ−ＰＬＣ様酵素活性と比較して該ポリペプチドのＰＩ−ＰＬＣ様酵素活性を増大させる被験化合物を、細胞外マトリックス分解を増大させる可能性のある物質として同定する。それにより、被験化合物の非存在下のＰＩ−ＰＬＣ様酵素活性と比較して該ポリペプチドのＰＩ−ＰＬＣ様酵素活性を低下させる被験化合物を、細胞外マトリックス分解を低下させる可能性のある物質として同定する。
【００１１】
本発明のさらに別の態様は、細胞外マトリックス分解を低下させる物質をスクリーニングする方法である。被験化合物を、
配列番号１に示すヌクレオチド配列と少なくとも約５０％一致するヌクレオチド配列；配列番号１に示すヌクレオチド酸配列；配列番号４に示すヌクレオチド配列と少なくとも約５０％一致するヌクレオチド配列；および配列番号４に示すヌクレオチド酸配列から成る群より選択されるヌクレオチド配列を含むポリヌクレオチドのＰＩ−ＰＬＣ様酵素産物、
と接触させる。
【００１２】
該ＰＩ−ＰＬＣ様酵素産物に対する被験化合物の結合を検出する。それにより、ＰＩ−ＰＬＣ様酵素産物と結合する被験化合物を、細胞外マトリックス分解を低下させる可能性のある物質として同定する。
【００１３】
本発明のさらなる別の態様は、細胞外マトリックス分解を調節する方法である。細胞を、
ＰＩ−ＰＬＣ様酵素ポリペプチドをコードするポリヌクレオチド又は該ポリヌクレオチドによってコードされている産物と特異的に結合する試薬、
と接触させる［ここに、上記ポリヌクレオチドは、配列番号１に示すヌクレオチド配列と少なくとも約５０％一致するヌクレオチド配列；配列番号１に示すヌクレオチド酸配列；配列番号４に示すヌクレオチド配列と少なくとも約５０％一致するヌクレオチド配列；および、配列番号４に示すヌクレオチド酸配列から成る群より選択されるヌクレオチド配列を含むポリヌクレオチドを含む］。
【００１４】
それにより、細胞におけるＰＩ−ＰＬＣ様酵素活性を低下させる。
【００１５】
このように、本発明は、例えばヒトＰＩ−ＰＬＣ様酵素の活性部位で活性化物質又は阻害物質として機能し得る被験化合物を同定するのに用いることができるヒトＰＩ−ＰＬＣ様酵素を提供する。ヒトＰＩ−ＰＬＣ様酵素及びその断片もまた、該酵素をブロックし、かつその活性を効果的に低下させることのできる特異的な抗体を産生するのに有用である。
【００１６】
（本発明の詳しい説明）
本発明は、ＰＩ−ＰＬＣ様酵素ポリペプチドをコードする単離されたポリヌクレオチドであって、
ａ）配列番号２に示すアミノ酸配列と少なくとも約５０％一致するアミノ酸配列；および配列番号２に示すアミノ酸配列から成る群より選択されるアミノ酸配列を含むＰＩ−ＰＬＣ様酵素ポリペプチドをコードするポリヌクレオチド；
ｂ）配列番号１又は４に記載の配列を含むポリヌクレオチド；
ｃ）（ａ）および（ｂ）に明記するポリヌクレオチドとストリンジェントな条件下でハイブリダイズするポリヌクレオチド；
ｄ）遺伝コードの縮重のため、その配列が（ａ）〜（ｃ）に明記するポリヌクレオチド配列から逸脱しているポリヌクレオチド；並びに
ｅ）（ａ）〜（ｄ）に明記するポリヌクレオチド配列の断片、誘導体またはアレル変異体を表すポリヌクレオチド、
から成る群より選択されるポリヌクレオチドに関する。
【００１７】
さらに、本発明の発見である新規ホスファチジルイノシトール特異的ホスホリパーゼＣ様酵素（ＰＩ−ＰＬＣ様酵素）、特にヒトＰＩ−ＰＬＣ様酵素を、本出願人は発見した。ヒトＰＩ−ＰＬＣ様酵素は、配列番号２に示すアミノ酸配列を含む。ヒトＰＩ−ＰＬＣ様酵素は、配列番号３に示す配列を有するタンパク質を用いてヒトタンパク質配列をスクリーニングすることによって同定し、そしてスイスプロット アクセッション Ｎｏ．３４０２４と同定した。ヒトＰＩ−ＰＬＣ様酵素のコード配列を、配列番号１に示す。
【００１８】
ヒトＰＩ−ＰＬＣ様酵素は、スイスプロット アクセッション Ｎｏ．３４０２４と一致し、かつ「ホスファチジルイノシトール特異的ホスホリパーゼＣ」（図１）と注釈されるリステリア菌（Ｌｉｓｔｅｒｉａ ｍｏｎｏｃｙｔｏｇｅｎｅｓ）タンパク質と２０９アミノ酸にわたって２７％一致する。Ｌｉｓｔｅｒｉａ ｍｏｎｏｃｙｔｏｇｅｎｅｓＰＩ−ＰＬＣは、病原の重要な因子である；その活性は毒性リステリア種にのみ存在し、ファゴリソソーム膜の溶解に関与し得る。Ｍｏｌ． Ｍｉｃｒｏｂｉｏｌ． ５，３６７−７２，１９９１を参照のこと。
【００１９】
本発明のヒトＰＩ−ＰＬＣ様酵素は、以前に同定されたホスホリパーゼＣ酵素と同じ目的に有用であると期待される。従って、ヒトＰＩ−ＰＬＣ様酵素は、癌およびＣＯＰＤなどの疾患を処置する治療方法に用いることができる。また、ヒトＰＩ−ＰＬＣ様酵素は、ヒトＰＩ−ＰＬＣ様酵素活性化物質及び阻害物質をスクリーニングするのに用いることもできる。
【００２０】
さらに、本出願人は、ＰＩ−ＰＬＣ様酵素が脾臓、胸腺及び末梢血白血球などの免疫組織、並びに活性化ＣＤ４＋Ｔ細胞などの特定の免疫細胞タイプにおいて高発現されていることを発見した、このことはＰＩ−ＰＬＣ様酵素が炎症に重要な働きがあることを示している。同様に、小脳や成人脳及び胎児脳などの中枢神経系組織におけるＰＩ−ＰＬＣ様酵素の高発現は、ＰＩ−ＰＬＣ様酵素が神経伝達物質により情報伝達する細胞に重要な働きがあること示している。喘息の病因は、肺の気道壁を共に慢性的に太くする炎症、浮腫、粘液産生を引き起こす炎症媒介物質と、気道の平滑筋細胞刺激を通じて気道を急激に収縮させる神経伝達物質との合併効果と密接に関係しているため、ＰＩ−ＰＬＣ様酵素効果の調整は喘息の処置に有利な効果があると期待される。
【００２１】
ポリペプチド
本発明に係るヒトＰＩ−ＰＬＣ様酵素ポリペプチドには、配列番号２に示すアミノ酸配列、または以下定義による生物学的に活性なその変異体より選択される、少なくとも６、１０、１５、２０、２５、５０、７５、１００、１２５、１５０、１７５、２００、２２５、２５０、２７５、３００又は３２０個の連続アミノ酸が含まれる。したがって、本発明のＰＩ−ＰＬＣ様酵素ポリペプチドは、ＰＩ−ＰＬＣ様酵素タンパク質の一部、完全長のＰＩ−ＰＬＣ様酵素タンパク質、又はＰＩ−ＰＬＣ様酵素タンパク質の全部または一部を含む融合タンパク質であり得る。
【００２２】
生物学的に活性な変異体
生物学的活性がある、即ちホスホリパーゼＣ活性を保持しているヒトＰＩ−ＰＬＣ様酵素ポリペプチド変異体のもまた、ＰＩ−ＰＬＣ様酵素ポリペプチドである。天然または非天然ＰＩ−ＰＬＣ様酵素ポリペプチド変異体は、配列番号２に示すアミノ酸配列と少なくとも約５０、５５、６０、６５または７０％、好ましくは、約７５、８０、８５、９０、９６、９６または９８％一致するアミノ酸配列またはその断片を有することが好ましい。推定されるＰＩ−ＰＬＣ様酵素ポリペプチド変異体と配列番号２に記載のアミノ酸配列との間の一致パーセントは、Ｂｌａｓｔ２整列（アライメント）プログラム（Ｂｌｏｓｕｍ６２， Ｅｘｐｅｃｔ １０， ｓｔａｎｄａｒｄ ｇｅｎｅｔｉｃ ｃｏｄｅｓ）を用いて決定される。
【００２３】
一致パーセントの変異は、例えばアミノ酸置換、挿入または欠失に起因し得る。アミノ酸置換は１対１のアミノ酸の置き換えとして定義される。置換されたアミノ酸が類似の構造的および／または化学的性質を有する場合、置換は事実上保存的である。保存的置換の例は、イソロイシンまたはバリンによるロイシンの置換、グルタメートによるアスパルテートの置換、またはセリンによるスレオニンの置換である。
【００２４】
アミノ酸挿入または欠失はアミノ酸配列への、またはその内部での変化である。これらは典型的には約１〜５アミノ酸の範囲で起こる。ＰＩ−ＰＬＣ様酵素ポリペプチドの生物学的または免疫学的活性を破壊することなく、どのアミノ酸残基が置換、挿入または欠失できるかを決定する際の指針は、当分野で周知のコンピュータープログラム、例えばＤＮＡＳＴＡＲソフトウェアを用いて見出すことができる。あるアミノ酸変化が生物学的に活性なＰＩ−ＰＬＣ様酵素ポリペプチドに影響するか否かは、例えば以下の具体的実施例に記載のように、ホスホリパーゼＣ活性を検定することにより容易に決定できる。
【００２５】
融合タンパク質
融合タンパク質は、ＰＩ−ＰＬＣ様酵素ポリペプチドアミノ酸配列に対する抗体の作製に、そして様々な検定系での使用に有用である。例えば、融合タンパク質は、ＰＩ−ＰＬＣ様酵素ポリペプチドの一部と相互作用するタンパク質の同定に使用できる。タンパク質親和クロマトグラフィーまたはタンパク質−タンパク質相互作用のためのライブラリーに基づく検定、例えば酵母２−ハイブリッドまたはファージディスプレイ系をこの目的のために使用できる。このような方法は当分野で周知であり、薬物スクリーニングとしても使用できる。
【００２６】
ＰＩ−ＰＬＣ様酵素ポリペプチド融合タンパク質は、ペプチド結合により互いに融合した二つのポリペプチドセグメントを含んでいる。第一のポリペプチドセグメントは、配列番号２または上記のような生物学的に活性な変異体の少なくとも６、１０、１５、２０、２５、５０、７５、１００、１２５、１５０、１７５、２００、２２５、２５０、２７５、３００又は３２０個の連続アミノ酸を含む。第一のポリペプチドセグメントはまた、完全長ＰＩ−ＰＬＣ様酵素タンパク質を含み得る。
【００２７】
第二のポリペプチドセグメントは完全長タンパク質またはタンパク質断片であってよい。融合タンパク質の構築に一般的に使用するタンパク質は、β−ガラクトシダーゼ、β−グルクロニダーゼ、緑色蛍光タンパク質（ＧＦＰ）、自己蛍光タンパク質（青色蛍光タンパク質（ＢＦＰ）を包含する）、グルタチオン−Ｓ−トランスフェラーゼ（ＧＳＴ）、ルシフェラーゼ、西洋ワサビペルオキシダーゼ（ＨＲＰ）、およびクロラムフェニコールアセチルトランスフェラーゼ（ＣＡＴ）を包含する。さらに、融合タンパク質の構築には、ヒスチジン（Ｈｉｓ）標識、ＦＬＡＧ標識、インフルエンザへマグルチニン（ＨＡ）標識、Ｍｙｃ標識、ＶＳＶ−Ｇ標識、およびチオレドキシン（Ｔｒｘ）標識を包含するエピトープ標識を使用する。その他の融合構築は、マルトース結合タンパク質（ＭＢＰ）、Ｓ−標識、Ｌｅｘ ａ ＤＮＡ結合ドメイン（ＤＢＤ）融合物、ＧＡＬ４ ＤＮＡ結合ドメイン融合物、および単純ヘルペスウイルス（ＨＳＶ）ＢＰ１６タンパク質融合物を包含する。また、融合タンパク質はさらに、ＰＩ−ＰＬＣ様酵素ポリペプチドコード配列と非相同タンパク質配列の間に位置する開裂部位を含むよう組み立てることができ、その結果、このＰＩ−ＰＬＣ様酵素ポリペプチドは、開裂され、非相同部分を無くすように精製できる。
【００２８】
融合タンパク質は当分野で周知のように化学合成できる。好ましくは、融合タンパク質は二つのポリペプチドセグメントを共有結合で連結することにより、または分子生物学分野で標準的な方法により調製する。例えば、当分野で知られているように、第二のポリペプチドセグメントをコードしているヌクレオチドを有する適切なリーディングフレームに配列番号１より選ばれるコード配列を含むＤＮＡ構築物を作製し、このＤＮＡ構築物を宿主細胞で発現させることによる組換えＤＮＡ法を用いて、融合タンパク質を調製できる。融合タンパク質構築用の多くのキットが、Ｐｒｏｍｅｇａ Ｃｏｒｐｏｒａｔｉｏｎ（Ｍａｄｉｓｏｎ， ＷＩ）、Ｓｔｒａｔａｇｅｎｅ（Ｌａ Ｊｏｌｌａ， ＣＡ）、ＣＬＯＮＴＥＣＨ（Ｍｏｕｎｔａｉｎ Ｖｉｅｗ， ＣＡ）、Ｓａｎｔａ Ｃｒｕｚ Ｂｉｏｔｅｃｈｎｏｌｏｇｙ（Ｓａｎｔａ Ｃｒｕｚ， ＣＡ）、ＭＢＬ ｉｎｔｅｒｎａｔｉｏｎａｌ Ｃｏｒｐｏｒａｔｉｏｎ（ＭＩＣ； Ｗａｔｅｒｔｏｗｎ， ＭＡ）、およびＱｕａｎｔｕｍ Ｂｉｏｔｅｃｈｎｏｌｏｇｉｅｓ（Ｍｏｎｔｒｅａｌ， Ｃａｎａｄａ； １−８８８−ＤＮＡ−ＫＩＴＳ）といった企業から入手できる。
【００２９】
種相同体の同定
ＰＩ−ＰＬＣ様酵素ポリペプチドのポリヌクレオチド（下記）を使用して他の種、例えばマウス、サル、または酵母由来のｃＤＮＡ発現ライブラリーをスクリーニングするために好適なプローブまたはプライマーを作製し、ＰＩ−ＰＬＣ様酵素ポリペプチドの相同体をコードしているｃＤＮＡを同定し、そして当分野で周知のようにこのｃＤＮＡを発現させて、ヒトＰＩ−ＰＬＣ様酵素ポリペプチドの種相同体を得ることができる。
【００３０】
ポリヌクレオチド
ＰＩ−ＰＬＣ様酵素ポリヌクレオチドは、一本鎖又は二本鎖であってよく、ＰＩ−ＰＬＣ様酵素ポリペプチドのコード配列又はそのコード配列の相補物を含んでいてもよい。ヒトＰＩ−ＰＬＣ様酵素のコード配列の一部を、配列番号１に示す。
【００３１】
ヒトＰＩ−ＰＬＣ様酵素ポリペプチドをコードしている縮重ヌクレオチド配列、および、配列番号１に示すヌクレオチド配列と少なくとも約５０、５５、６０、６５、７０、好ましくは約７５、９０、９６または９８％一致するホモローガスなヌクレオチド配列、又はその相補物もまた、ＰＩ−ＰＬＣ様酵素ポリヌクレオチドである。二つのポリヌクレオチド配列間の配列一致パーセントは、ＡＬＩＧＮのようなコンピュータープログラムを用いて決定するが、これは、ギャップオープンペナルティー−１２およびギャップエクステンションペナルティー−２によるアフィンギャップ検索を用いるＦＡＳＴＡアルゴリズムを使用するものである。相補的ＤＮＡ（ｃＤＮＡ）分子、種相同体および生物学的に活性なＰＩ−ＰＬＣ様酵素ポリペプチドをコードしているＰＩ−ＰＬＣ様酵素ポリヌクレオチドの変異体もやはりＰＩ−ＰＬＣ様酵素ポリヌクレオチドである。
【００３２】
ポリヌクレオチド変異体および相同体の同定
上記のＰＩ−ＰＬＣ様酵素ポリヌクレオチド変異体および相同体もまたＰＩ−ＰＬＣ様酵素ポリヌクレオチドである。典型的には、相同ＰＩ−ＰＬＣ様酵素ポリヌクレオチド配列は、当分野で周知のように、ストリンジェントな条件下で候補ポリヌクレオチドを既知のＰＩ−ＰＬＣ様酵素ポリヌクレオチドにハイブリダイズさせることにより同定できる。例えば、以下の洗浄条件 −− ２Ｘ ＳＳＣ（０．３Ｍ ＮａＣｌ、０．０３Ｍクエン酸ナトリウム、ｐＨ７．０）、０．１％ＳＤＳ、室温 ２回、各々３０分間；次いで２× ＳＳＣ、０．１％ＳＤＳ、５０℃ １回、３０分間；次いで２× ＳＳＣ、室温 ２回、各々１０分間 −− を使用して、最大約２５−３０％の塩基対ミスマッチ（不対合）を含む相同配列を同定できる。より好ましくは、相同核酸鎖は１５−２５％の塩基対ミスマッチを、さらに好ましくは５−１５％の塩基対ミスマッチを含む。
【００３３】
本明細書に開示するＰＩ−ＰＬＣ様酵素ポリヌクレオチドの種相同体はさらに、適当なプローブまたはプライマーを作製し、他の種、例えばマウス、サル、または酵母由来のｃＤＮＡ発現ライブラリーをスクリーニングすることによって同定できる。ＰＩ−ＰＬＣ様酵素ポリヌクレオチドのヒト変異体は、例えばヒトｃＤＮＡ発現ライブラリーをスクリーニングすることにより同定できる。二本鎖ＤＮＡのＴｍは相同性が１％低下する毎に１−１．５℃低下することがよく知られている（Ｂｏｎｎｅｒら、Ｊ．Ｍｏｌ．Ｂｉｏｌ． ８１，１２３（１９７３））。故にヒトＰＩ−ＰＬＣ様酵素ポリヌクレオチドの変異体または他の種のＰＩ−ＰＬＣ様酵素ポリヌクレオチドは、推定の相同ＰＩ−ＰＬＣ様酵素ポリヌクレオチドを、配列番号１に記載のヌクレオチド配列を有するポリヌクレオチドまたはその相補物とハイブリダイズさせて被験ハイブリッドを作製することによって同定できる。被験ハイブリッドの融解温度を完全に相補的なヌクレオチド配列を有するポリヌクレオチドを含むハイブリッドの融解温度と比較し、被験ハイブリッド中の塩基対ミスマッチの数またはパーセントを算出する。
【００３４】
ストリンジェントなハイブリダイゼーションおよび／または洗浄条件に従いＰＩ−ＰＬＣ様酵素ポリヌクレオチドまたはその相補物とハイブリダイズするヌクレオチド配列もまたＰＩ−ＰＬＣ様酵素ポリヌクレオチドである。ストリンジェントな洗浄条件は当分野で周知且つ理解されており、例えばＳａｍｂｒｏｏｋら、ＭＯＬＥＣＵＬＡＲ ＣＬＯＮＩＮＧ： Ａ ＬＡＢＯＲＡＴＯＲＹ ＭＡＮＵＡＬ， ２ｄ ｅｄ．， １９８９， ９．５０−９．５１頁に開示されている。
【００３５】
典型的には、ストリンジェントなハイブリダイゼーション条件のためには、温度と塩濃度の組み合わせを、検討中のハイブリッドの理論的Ｔｍよりおよそ１２−２０℃低くなるよう選択すべきである。配列番号１に示すヌクレオチド配列を有するＰＩ−ＰＬＣ様酵素ポリヌクレオチドまたはその相同体と、それらのヌクレオチド配列のいずれか１つと少なくとも約５０、好ましくは約７５、９０、９６、または９８％一致するポリヌクレオチド配列とのハイブリッドのＴｍは、例えばＢｏｌｔｏｎおよびＭｃＣａｒｔｈｙ， Ｐｒｏｃ．Ｎａｔｌ．Ａｃａｄ．Ｓｃｉ． Ｕ．Ｓ．Ａ． ４８，１３９０（１９６２）の式：　Ｔｍ＝８１．５℃−１６．６（ｌｏｇ１０［Ｎａ＋］）＋０．４１（％Ｇ＋Ｃ）−０．６３（％ホルムアミド）−６００／ｌ）、
［式中、ｌ＝塩基対で表したハイブリッドの長さ］
を用いて算出できる。
ストリンジェントな洗浄条件としては例えば、４× ＳＳＣ（６５℃）、または５０％ホルムアミド、４× ＳＳＣ（４２℃）、または０．５× ＳＳＣ、０．１％ＳＤＳ（６５℃）が挙げられる。高度ストリンジェントな洗浄条件は、例えば０．２× ＳＳＣ（６５℃）などである。
【００３６】
ポリヌクレオチドの調製
ＰＩ−ＰＬＣ様酵素ポリヌクレオチドは、膜構成成分、タンパク質および脂質といった他の細胞成分を含まないよう単離できる。ポリヌクレオチドは細胞から調製でき、標準的核酸精製技術を用いて単離、またはポリメラーゼ連鎖反応（ＰＣＲ）のような増幅技術を用いて合成、若しくは自動合成機を用いることによって調製できる。ポリヌクレオチドを単離する方法は機械的であり、当分野で知られている。ポリヌクレオチドを取得するためこのような任意の技術を用いて、単離されたＰＩ−ＰＬＣ様酵素ポリヌクレオチドを得ることができる。例えば、制限酵素およびプローブを用いてＰＩ−ＰＬＣ様酵素ヌクレオチド配列を含むポリヌクレオチド断片を単離できる。単離したポリヌクレオチドは他の分子を含まないか、あるいは少なくとも７０、８０、または９０％含まない調製物である。
【００３７】
ヒトＰＩ−ＰＬＣ様酵素ｃＤＮＡ分子は、ＰＩ−ＰＬＣ様酵素ｍＲＮＡを鋳型に用いて標準的分子生物学技術にて調製できる。その後ヒトＰＩ−ＰＬＣ様酵素ｃＤＮＡ分子は、当分野で周知でありＳａｍｂｒｏｏｋら．（１９８９）のようなマニュアルに開示される分子生物学技術を用いて複製できる。ヒトゲノムＤＮＡまたはｃＤＮＡのいずれかを鋳型として使用して本発明に係るポリヌクレオチドのさらなるコピーを得るため、ＰＣＲのような増幅技術を用いることができる。
【００３８】
別法として、合成化学技術を用いてＰＩ−ＰＬＣ様酵素ポリヌクレオチドを合成することもできる。遺伝コードの縮重により、例えば配列番号２に示すアミノ酸配列を有するＰＩ−ＰＬＣ様酵素ポリペプチドまたはその生物学的に活性な変異体をコードする別のヌクレオチド配列の合成を可能にする。
【００３９】
ポリヌクレオチド伸長
ＰＣＲに基づく様々な方法を用いて、本明細書中に開示した核酸配列を伸長させ、プロモーターおよび調節要素といった上流配列を検出することができる。例えば制限部位ＰＣＲは、既知の座に隣接する未知配列を検索するため、ユニバーサルプライマーを使用する（Ｓａｒｋａｒ， ＰＣＲ Ｍｅｔｈｏｄｓ Ａｐｐｌｉｃ． ２，３１８−３２２，１９９３）。まず、ゲノムＤＮＡを、リンカー配列に対するプライマーと既知領域に特異的なプライマーの存在下で増幅する。次に、増幅させた配列を、同じリンカープライマーと最初のものの内部にある別の特異的プライマーを用いて、第二回目のＰＣＲを行なう。各回のＰＣＲ産物を適当なＲＮＡポリメラーゼで転写し、かつ逆転写酵素を行いて配列決定する。
【００４０】
既知領域に基づく異なる（ディバージェント）プライマーを用いて配列を増幅または伸長するために、逆ＰＣＲを使用することもできる（Ｔｒｉｇｌｉａら、Ｎｕｃｌｅｉｃ Ａｃｉｄｓ Ｒｅｓ． １６，８１８６，１９８８）。ＯＬＩＧＯ ４．０６ Ｐｒｉｍｅｒ Ａｎａｌｙｓｉｓソフトウェア（Ｎａｔｉｏｎａｌ Ｂｉｏｓｃｉｅｎｃｅｓ Ｉｎｃ．， Ｐｌｙｍｏｕｔｈ， Ｍｉｎｎ）のような市販ソフトウェアを用いて、長さ２２−３０ヌクレオチド長、５０％またはそれ以上のＧＣ含有量を持ち、約６８−７２℃の温度で標的配列とアニーリングするプライマーを設計できる。この方法は、幾つかの制限酵素を用いて、遺伝子の既知領域に適当な断片を作り出せる。次いでこの断片を分子内ライゲーションにより環化し、ＰＣＲ鋳型として使用する。
【００４１】
使用できるもう一つの方法は、ヒトおよび酵母人工染色体ＤＮＡ中の既知配列に隣接するＤＮＡ断片のＰＣＲ増幅を含む、捕捉ＰＣＲである（Ｌａｇｅｒｓｔｒｏｍら、ＰＣＲ Ｍｅｔｈｏｄｓ Ａｐｐｌｉｃ． １，１１１−１１９，１９９１）。この方法では、作製した二本鎖配列を、ＰＣＲの実施前に当該ＤＮＡ分子の未知断片中に入れるため、さらに複数の制限酵素消化とライゲーションを行うことができる。
【００４２】
未知配列を回収するために使用できるもう一つの方法はＰａｒｋｅｒら、Ｎｕｃｌｅｉｃ Ａｃｉｄｓ Ｒｅｓ． １９，３０５５−３０６０，１９９１の方法である。さらに、ＰＣＲ、ネスティド（ｎｅｓｔｅｄ）プライマー、およびＰＲＯＭＯＴＥＲＦＩＮＤＥＲライブラリー（ＣＬＯＮＴＥＣＨ， Ｐａｌｏ Ａｌｔｏ， Ｃａｌｉｆ．）を用いてゲノムＤＮＡ歩行を行なうことができる（ＣＬＯＮＴＥＣＨ， Ｐａｌｏ Ａｌｔｏ， Ｃａｌｉｆ．）。このプロセスはライブラリーをスクリーニングする必要性を排除し、イントロン／エクソン接合点の発見に有用である。
【００４３】
スクリーニングで完全長ｃＤＮＡを求める場合、より大きなｃＤＮＡを含むようサイズ選択したライブラリーを使用するのが望ましい。遺伝子の５’領域を含む配列をより多く含んでいるという点で、無作為プライミングしたライブラリーが好ましい。無作為プライミングしたライブラリーの使用は、オリゴｄ（Ｔ）ライブラリーが完全長ｃＤＮＡを産生しない状況で特に好ましいであろう。ゲノムライブラリーは、配列を５’非転写調節領域へと伸長させるのに有用な場合がある。
【００４４】
市販品が入手可能な毛細管電気泳動系を用いて、ＰＣＲまたは配列決定産物のサイズを分析、またはヌクレオチド配列を確認することができる。例えば、毛細管配列決定は、電気泳動分離用の流動性ポリマー、レーザー励起する４種の異なる蛍光色素（各ヌクレオチドにつき１種ずつ）、および電荷結合素子カメラによる放射された波長の検出を利用することができる。出力／光強度は適当なソフトウェア（例えばＧＥＮＯＴＹＰＥＲおよびＳｅｑｕｅｎｃｅ ＮＡＶＩＧＡＴＯＲ、Ｐｅｒｋｉｎ Ｅｌｍｅｒ）を用いて電気信号に変換でき、試料のロードからコンピューター分析および電子的データ表示に至る全プロセスをコンピューター管理することができる。毛細管電気泳動は、特定の試料中に限られた量で存在するかも知れないＤＮＡの小片を配列決定するのに特に好ましい。
【００４５】
ポリペプチドの取得
ヒトＰＩ−ＰＬＣ様酵素ポリペプチドは、例えばヒト細胞からの精製によって、ＰＩ−ＰＬＣ様酵素ポリヌクレオチドの発現によって、または直接的化学合成によって取得できる。
【００４６】
タンパク質精製
ヒトＰＩ−ＰＬＣ様酵素ポリペプチドを、その酵素を発現する任意の細胞（ＰＩ−ＰＬＣ様酵素発現構築物でトランスフェクトした宿主細胞を含む）から精製することができる。精製ＰＩ−ＰＬＣ様酵素ポリペプチドは、当分野で周知の方法を用いて、細胞内でＰＩ−ＰＬＣ様酵素ポリペプチドと通常会合している他の化合物、例えば特定のタンパク質、炭水化物または脂質から分離される。そのような方法には、サイズ排除クロマトフラフィー、硫酸アンモニウム分画、イオン交換クロマトグラフィー、アフィニティークロマトグラフィーおよび調製用ゲル電気泳動が挙げられるが、これらに制限されない。精製ＰＩ−ＰＬＣ様酵素ポリペプチドの調製は、少なくとも８０％純粋；９０％、９５％または９９％純粋な調製であることが好ましい。調製物の純度は当分野で周知の任意の方法、例えばＳＤＳポリアクリルアミドゲル電気泳動によって評価できる。
【００４７】
ポリヌクレオチドの発現
ＰＩ−ＰＬＣ様酵素ポリヌクレオチドを発現させるため、挿入されたコード配列の転写と翻訳に必要な要素を含む発現ベクター中にそのポリヌクレオチドを挿入することができる。当業者に周知の方法を利用して、ＰＩ−ＰＬＣ様酵素ポリペプチドをコードしている配列および適当な転写および翻訳調節要素を含む発現ベクターを構築できる。これらの方法には、インビトロ組換えＤＮＡ技術、合成技術、およびインビボ遺伝子組換えがある。このような技術は、例えばＳａｍｂｒｏｏｋら、（１９８９）およびＡｕｓｕｂｅｌら、ＣＵＲＲＥＮＴ ＰＲＯＴＯＣＯＬＳ ＩＮ ＭＯＬＥＣＵＬＡＲ ＢＩＯＬＯＧＹ， Ｊｏｈｎ Ｗｉｌｅｙ ＆ Ｓｏｎｓ， Ｎｅｗ Ｙｏｒｋ．， １９８９に記載されている。
【００４８】
ＰＩ−ＰＬＣ様酵素ポリペプチドをコードしている配列を含み、そして発現する様々な発現ベクター／宿主系が利用できる。これらには、微生物、例えば組換えバクテリオファージ、プラスミド、またはコスミドＤＮＡ発現ベクターにより形質転換された細菌；酵母発現ベクターにより形質転換された酵母、ウイルス発現ベクター（例えばバキュロウイルス）により感染を受けた昆虫細胞系、ウイルス発現ベクター（例えばカリフラワーモザイクウイルス、ＣａＭＶ；タバコモザイクウイルス、ＴＭＶ）、若しくは細菌発現ベクター（例えばＴｉまたはｐＢＲ３２２プラスミド）により形質転換された植物細胞系、または動物細胞系が包含されるがこれらに限定される訳ではない。
【００４９】
調節要素または調節配列は、宿主細胞タンパク質と相互作用して転写と翻訳を実行するベクターの非翻訳領域−エンハンサー、プロモーター、５’および３’非翻訳領域−である。かかる要素はその強さと特異性において異なっている。利用するベクター系および宿主に応じて、構成的および誘導的プロモーターを包含する、多数の好適な転写および翻訳要素を使用できる。例えば、細菌系でクローニングを行う場合、ＢＬＵＥＳＣＲＩＰＴファージミド（Ｓｔｒａｔａｇｅｎｅ， ＬａＪｏｌｌａ，Ｃａｌｉｆ．）またはｐＳＰＯＲＴ１プラスミド（Ｌｉｆｅ Ｔｅｃｈｎｏｌｏｇｉｅｓ）等のハイブリッドｌａｃＺプロモーターのような誘導的プロモーターを使用できる。バキュロウイルスのポリヘドリンプロモーターは昆虫細胞に使用できる。植物細胞のゲノムから誘導したプロモーターまたはエンハンサー（例えば熱ショック、ＲＵＢＩＳＣＯ、および貯蔵タンパク質遺伝子）、または植物ウイルスから誘導したプロモーターまたはエンハンサー（例えば、ウイルスプロモーターまたはリーダー配列）を該ベクター中にクローニングすることができる。哺乳動物細胞系では、哺乳動物遺伝子由来の、または哺乳動物ウイルス由来のプロモーターが好ましい。ＰＩ−ＰＬＣ様酵素ポリペプチドをコードしているヌクレオチド配列を複数コピー含む細胞系を作製する必要がある場合は、ＳＶ４０またはＥＢＶに基づくベクターを適当な選択マーカーと共に使用することができる。
【００５０】
細菌および酵母発現系
細菌系では、ＰＩ−ＰＬＣ様酵素ポリペプチドに対して意図する用途に応じて幾つかの発現ベクターを選択できる。例えば、抗体の誘導のため、大量のＰＩ−ＰＬＣ様酵素ポリペプチドが必要である場合は、容易に精製できる融合タンパク質の高レベル発現を指令するベクターが使用できる。このようなベクターは、ＢＬＵＥＳＣＲＩＰＴ（Ｓｔｒａｔａｇｅｎｅ）のような多機能Ｅ．ｃｏｌｉクローニングおよび発現ベクターを包含するが、これに限定される訳ではない。ＢＬＵＥＳＣＲＩＰＴベクターにおいては、ＰＩ−ＰＬＣ様酵素ポリペプチドをコードしている配列を、β−ガラクトシダーゼのアミノ末端Ｍｅｔとこれに続く７残基の配列と共にフレーム内で該ベクター中にライゲーションすることができ、その結果ハイブリッドタンパク質が生産される。ｐＩＮベクター（Ｖａｎ Ｈｅｅｋｅ ＆ Ｓｃｈｕｓｔｅｒ， Ｊ．Ｂｉｏｌ．Ｃｈｅｍ． ２６４，５５０３−５５０９，１９８９）またはｐＧＥＸベクター（Ｐｒｏｍｅｇａ， Ｍａｄｉｓｏｎ， Ｗｉｓ．）もまた、グルタチオンＳ−トランスフェラーゼ（ＧＳＴ）を伴う融合タンパク質として外来ポリペプチドを発現させるのに使用できる。一般に、このような融合タンパク質は可溶性であり、グルタチオン−アガロースビーズに吸着させ、その後遊離グルタチオンの存在下で溶離することにより、溶菌させた細胞から容易に精製できる。このような系で調製したタンパク質は、ヘパリン、トロンビン、または第Ｘａ因子プロテアーゼ開裂部位を含むよう設計でき、その結果、目的とするクローンポリペプチドをＧＳＴ部分から随意に解放することができる。
【００５１】
酵母Ｓａｃｃｈａｒｏｍｙｃｅｓ ｃｅｒｅｖｉｓｉａｅにおいては、α因子、アルコールオキシダーゼ、およびＰＧＨのような構成的または誘導的プロモーターを含む幾つかのベクターが使用できる。総説としてＡｕｓｕｂｅｌら、（１９８９）およびＧｒａｎｔら、Ｍｅｔｈｏｄｓ Ｅｎｚｙｍｏｌ． １５３，５１６−５４４，１９８７を参照されたい。
【００５２】
植物および昆虫発現系
植物発現ベクターを使用する場合、ＰＩ−ＰＬＣ様酵素ポリペプチドをコードしている配列の発現は、幾つかのプロモーターのうち任意のものにより駆動できる。例えば、ＣａＭＶの３５Ｓおよび１９Ｓプロモーターのようなウイルスプロモーターを、単独で、またはＴＭＶ由来のオメガリーダー配列と組み合わせて使用できる（Ｔａｋａｍａｔｓｕ， ＥＭＢＯ Ｊ． ６，３０７−３１１，１９８７）。別法として、ＲＵＢＩＳＣＯの小サブユニットのような植物プロモーターまたは熱ショックプロモーターを使用することもできる（Ｃｏｒｕｚｚｉら、ＥＭＢＯ Ｊ． ３，１６７１−１６８０，１９８４；Ｂｒｏｇｌｉｅら、Ｓｃｉｅｎｃｅ ２２４，８３８−８４３，１９８４；Ｗｉｎｔｅｒら、Ｒｅｓｕｌｔｓ Ｐｒｏｂｌ．Ｃｅｌｌ Ｄｉｆｆｅｒ． １７，８５−１０５，１９９１）。これらの構築物は、直接ＤＮＡ形質転換または病原体媒介トランスフェクションにより植物細胞中に導入できる。このような技術は、幾つかの一般に入手可能な総説に記載されている（例えば、ＨｏｂｂｓまたはＭｕｒｒａｙ、ＭＣＧＲＡＷ ＨＩＬＬ ＹＥＡＲＢＯＯＫ ＯＦ ＳＣＩＥＮＣＥ ＡＮＤ ＴＥＣＨＮＯＬＯＧＹ， ＭｃＧｒａｗ Ｈｉｌｌ， Ｎｅｗ Ｙｏｒｋ， Ｎ．Ｙ．， ｐｐ１９１−１９６，１９９２）。
【００５３】
昆虫系もまたＰＩ−ＰＬＣ様酵素ポリペプチドの発現に使用できる。例えば、かかる系の１つＡｕｔｏｇｒａｐｈａ ｃａｌｉｆｏｒｎｉｃａ核多角体病ウイルス（ＡｃＮＰＶ）は、Ｓｐｏｄｏｐｔｅｒａ ｆｒｕｇｉｐｅｒｄａ細胞またはＴｒｉｃｈｏｐｌｕｓｉａの幼虫で外来遺伝子を発現させるベクターとして使用する。ＰＩ−ＰＬＣ様酵素ポリペプチドをコードしている配列を、ポリヘドリン遺伝子のような該ウイルスの非必須領域中にクローニングし、ポリヘドリンプロモーターの調節下に置くことができる。ＰＩ−ＰＬＣ様酵素ポリペプチドをうまく挿入すると、ポリヘドリン遺伝子は不活性化し、コートタンパク質を欠く組換えウイルスが生成する。次いでこの組換えウイルスをＳ．ｆｒｕｇｉｐｅｒｄａ細胞またはＴｒｉｃｈｏｐｌｕｓｉａの幼虫への感染に使用し、そこでＰＩ−ＰＬＣ様酵素ポリペプチドを発現させることができる（Ｅｎｇｅｌｈａｒｄら、Ｐｒｏｃ．Ｎａｔ．Ａｃａｄ．Ｓｃｉ． ９１，３２２４−３２２７，１９９４）。
【００５４】
哺乳動物発現系
ウイルスに基づく多くの発現系を用いて哺乳動物宿主細胞でＰＩ−ＰＬＣ様酵素ポリペプチドを発現させることができる。例えば、発現ベクターとしてアデノウイルスを使用する場合、ＰＩ−ＰＬＣ様酵素ポリペプチドをコードしている配列は、後期プロモーターおよび３部に分かれたリーダー配列を含むアデノウイルス転写／翻訳複合体中にライゲーションできる。該ウイルスゲノムの非必須Ｅ１またはＥ３領域における挿入を用いて、感染宿主細胞においてＰＩ−ＰＬＣ様酵素ポリペプチドを発現できる生存ウイルスを取得できる（Ｌｏｇａｎ ＆ Ｓｈｅｎｋ， Ｐｒｏｃ．Ｎａｔｌ．Ａｃａｄ．Ｓｃｉ． ８１，３６５５−３６５９，１９８４）。所望によりラウス肉腫ウイルス（ＲＳＶ）エンハンサーのような転写エンハンサーを用いて、哺乳動物宿主細胞での発現を増大させることができる。
【００５５】
ヒト人工染色体（ＨＡＣ）もまた、プラスミドが内包し発現するＤＮＡ断片よりも大きなＤＮＡ断片の運搬に使用できる。６Ｍから１０ＭのＨＡＣを組み立て、常套的送達法により細胞に到達させる（例えば、リポソーム、ポリカチオンアミノポリマー、または小胞）。
【００５６】
さらに、ＰＩ−ＰＬＣ様酵素ポリペプチドをコードしている配列のより効率的な翻訳を達成するために、特異的開始シグナルを使用できる。かかるシグナルはＡＴＧ開始コドンおよび連続配列を包含する。ＰＩ−ＰＬＣ様酵素ポリペプチドをコードしている配列、その開始コドン、および上流配列を適当な発現ベクター中に挿入した場合、さらなる転写または翻訳調節シグナルは必要ないであろう。しかしながら、コード配列またはその断片のみを挿入した場合は、外因性の翻訳調節シグナル（ＡＴＧ開始コドンを包含する）を供給すべきである。開始コドンは挿入物全体を確実に翻訳させるために、正しいリーディングフレームになければならない。外因性翻訳要素および開始コドンは天然および合成両者の様々な起源であってよい。発現の効率は、使用する特定の細胞系に対し適切なエンハンサーを存在させることにより増強できる（Ｓｃｈａｒｆら、Ｒｅｓｕｌｔｓ Ｐｒｏｂｌ．Ｃｅｌｌ Ｄｉｆｆｅｒ． ２０，１２５−１６２，１９９４）。
【００５７】
宿主細胞
宿主細胞菌株は、挿入した配列の発現を調節する能力または発現されたＰＩ−ＰＬＣ様酵素ポリペプチドを所望の方法で処理できる能力を目的として選択できる。該ポリペプチドのこのような修飾には、アセチル化、カルボキシ化、グリコシル化、燐酸化、脂質化、およびアシル化が包含されるがこれらに限定されない。該ポリペプチドの「プレプロ」型を開裂する翻訳後プロセシングもまた、正しい挿入、折り畳み、および／または機能を促進するために使用できる。翻訳後活性のための特異的な細胞機構および特徴的メカニズムを持つ異なる宿主細胞（例えばＣＨＯ、ＨｅＬａ、ＭＤＣＫ、ＨＥＫ２９３およびＷＩ３８）が、Ａｍｅｒｉｃａｎ Ｔｙｐｅ Ｃｕｌｔｕｒｅ Ｃｏｌｌｅｃｔｉｏｎ（ＡＴＣＣ；１０８０１ Ｕｎｉｖｅｒｓｉｔｙ Ｂｏｕｌｅｖａｒｄ， Ｍａｎａｓｓａｓ， ＶＡ ２０１１０−２２０９）から入手でき、外来タンパク質の正しい修飾およびプロセシングを確実とするために選択できる。
【００５８】
組換えタンパク質の長期高収量生産のために、安定な発現が好ましい。例えば、ＰＩ−ＰＬＣ様酵素ポリペプチドを安定に発現する細胞系を、ウイルス複製起点および／または内因性発現要素、および同じまたは別のベクター上にある選択マーカー遺伝子を含む発現ベクターを用いて形質転換することができる。該ベクターの導入に続いて、細胞を強化培地で１−２日間生育させた後、培地を選択培地に交換することができる。選択マーカーの目的は選択に対する抵抗性を付与することであり、その存在が、導入されたＰＩ−ＰＬＣ様酵素配列をうまく発現する細胞の生育と回収を可能にする。安定に形質転換された細胞の耐性クローンは、その細胞型にとって適当な組織培養技術を用いて増殖させることができる。例えば、ＡＮＩＭＡＬ ＣＥＬＬ ＣＵＬＴＵＲＥ， Ｒ．Ｉ．Ｆｒｅｓｈｎｅｙ，ｅｄ．，１９８６を参照されたい。
【００５９】
幾つかの選択系を用いて、形質転換された細胞系を回収できる。これらには、それぞれｔｋ−またはａｐｒｔ−細胞で使用できる単純ヘルペスウイルスチミジンキナーゼ（Ｗｉｇｌｅｒら、Ｃｅｌｌ １１，２２３−３２，１９７７）およびアデニンホスホリボシルトランスフェラーゼ（Ｌｏｗｙら、Ｃｅｌｌ ２２，８１７−２３，１９８０）遺伝子が包含されるが、これらに限定される訳ではない。さらに、代謝拮抗物質、抗生物質、または除草剤耐性を選択の基準に用いることができる。例えば、ｄｈｆｒはメソトレキサートに対する耐性を付与し（Ｗｉｇｌｅｒら、Ｐｒｏｃ．Ｎａｔｌ．Ａｃａｄ．Ｓｃｉ． ７７，３５６７−７０，１９８０）ｎｐｔはアミノグリコシド、ネオマイシンおよびＧ−４１８に対する耐性を付与し（Ｃｏｌｂｅｒｅ−Ｇａｒａｐｉｎら、Ｊ．Ｍｏｌ． Ｂｉｏｌ． １５０，１０１４，１９８１）、そしてａｌｓおよびｐａｔはそれぞれクロルスルフロンおよびホスフィノトリシンアセチルトランスフェラーゼに対する耐性を付与する（Ｍｕｒｒａｙ， １９９２，上記）。さらなる選択遺伝子が記載されている。例えば、ｔｒｐＢは細胞がトリプトファンの代わりにインドールを利用するようにさせ、ｈｉｓＤは細胞がヒスチジンの代わりにヒスチノールを利用するようにさせる（Ｈａｒｔｍａｎ ＆ Ｍｕｌｌｉｇａｎ， Ｐｒｏｃ．Ｎａｔｌ．Ａｃａｄ．Ｓｃｉ． ８５，８０４７−５１，１９８８）。アントシアニンのような可視マーカー、β−グルクロニダーゼとその基質ＧＵＳ、およびルシフェラーゼとその基質ルシフェリンは、形質転換体を同定し、特異的ベクター系に帰すことのできる一過性または安定なタンパク質発現の量を定量するために使用できる（Ｒｈｏｄｅｓら、Ｍｅｔｈｏｄｓ Ｍｏｌ．Ｂｉｏｌ． ５５，１２１−１３１，１９９５）。
【００６０】
発現の検出
マーカー遺伝子発現の存在はＰＩ−ＰＬＣ様酵素ポリヌクレオチドが存在することも示唆しているが、ＰＩ−ＰＬＣ様酵素ポリペプチドの存在と発現は確認する必要がある。例えば、ＰＩ−ＰＬＣ様酵素ポリペプチドをコードしている配列がマーカー遺伝子配列内部に挿入されている場合、ＰＩ−ＰＬＣ様酵素ポリペプチドをコードしている配列を含む形質転換された細胞は、マーカー遺伝子機能の不在によって同定できる。これとは別に、単一のプロモーターの調節下にＰＩ−ＰＬＣ様酵素ポリペプチドをコードしている配列と、マーカー遺伝子が直列（タンデム）に位置する場合がある。誘導または選択に応答してこのマーカー遺伝子は発現し、通常、ＰＩ−ＰＬＣ様酵素ポリヌクレオチドの発現を示す。
【００６１】
これとは別に、ＰＩ−ＰＬＣ様酵素ポリヌクレオチドを含み、ＰＩ−ＰＬＣ様酵素ポリペプチドを発現する宿主細胞は、当業者に知られる様々な方法によって同定できる。これらの方法には、ＤＮＡ−ＤＮＡまたはＤＮＡ−ＲＮＡハイブリダイゼーションおよびタンパク質生検またはイムノアッセイ技術（核酸またはタンパク質の検出および／または定量のための膜、溶液、またはチップに基づく技術を包含する）が包含されるがこれらに限定されない。例えば、ＰＩ−ＰＬＣ様酵素ポリペプチドをコードしているポリヌクレオチド配列の存在は、プローブまたは断片またはＰＩ−ＰＬＣ様酵素ポリペプチドをコードしているポリヌクレオチドの断片を使用するＤＮＡ−ＤＮＡまたはＤＮＡ−ＲＮＡハイブリダイゼーションまたは増幅によって検出できる。核酸増幅に基づく検定は、ＰＩ−ＰＬＣ様酵素ポリペプチドを含む形質転換体を検出するための、ＰＩ−ＰＬＣ様酵素ポリヌクレオチドをコードしている配列から選択されるオリゴヌクレオチドの使用を含む。
【００６２】
ＰＩ−ＰＬＣ様酵素ポリペプチドに対し特異的なポリクローナルまたはモノクローナル抗体のいずれかを使用して該ポリペプチドの発現を検出および測定するための様々なプロトコルが当分野で知られている。例として、酵素結合免疫吸着測定法（ＥＬＩＳＡ）、ラジオイムノアッセイ（ＲＩＡ）、および蛍光活性化セルソーティング（ＦＡＣＳ）がある。ＰＩ−ＰＬＣ様酵素ポリペプチド上の２個の非干渉性エピトープに反応するモノクローナル抗体を用いる、２部位のモノクローナルに基づくイムノアッセイが使用でき、または、競合的結合検定を使用することができる。これらのおよびその他の検定はＨａｍｐｔｏｍら、ＳＥＲＯＬＯＧＩＣＡＬ ＭＥＴＨＯＤＳ： Ａ ＬＡＢＯＲＡＴＯＲＹ ＭＡＮＵＡＬ， ＡＰＳ Ｐｒｅｓｓ， Ｓｔ．Ｐａｕｌ， Ｍｉｎｎ．， １９９０およびＭａｄｄｏｘら、Ｊ．Ｅｘｐ．Ｍｅｄ． １５８，１２１１−１２１６，１９８３に記載されている。
【００６３】
多岐にわたる標識およびコンジュゲーション技術が当業者に知られており、様々な核酸およびアミノ酸検定に使用できる。ＰＩ−ＰＬＣ様酵素ポリペプチドをコードしているポリヌクレオチドに関連する配列を検出するための標識化ハイブリダイゼーションまたはＰＣＲプローブを調製する手段は、標識したヌクレオチドを使用する、オリゴ標識化、ニック翻訳、末端標識化、またはＰＣＲ増幅を包含する。これとは別に、ＰＩ−ＰＬＣ様酵素ポリペプチドをコードしている配列を、ｍＲＮＡプローブの産生のためのベクター中にクローニングすることもできる。このようなベクターは当分野で既知であり、市販品が入手でき、標識化ヌクレオチドおよび適当なＲＮＡポリメラーゼ、例えばＴ７、Ｔ３、またはＳＰ６を添加することによりインビトロでのＲＮＡプローブの合成に使用することができる。これらの方法は、市販の様々なキットを用いて実施できる（Ａｍｅｒｓｈａｍ Ｐｈａｒｍａｃｉａ Ｂｉｏｔｅｃｈ、 Ｐｒｏｍｅｇａ、およびＵＳ Ｂｉｏｃｈｅｍｉｃａｌ）。検出を容易にするために使用できる適当なリポーター分子または標識には、放射性核種、酵素、および蛍光、化学ルミネセント、または色素生成物質、ならびに基質、補助因子、阻害物質、磁性粒子などが包含される。
【００６４】
ポリペプチドの発現および精製
ＰＩ−ＰＬＣ様酵素ポリペプチドをコードしているヌクレオチド配列で形質転換させた宿主細胞は、発現と、細胞培養からのタンパク質の回収に適した条件下で培養できる。形質転換細胞により生産されたポリペプチドは、その配列および／または使用したベクターに応じて分泌されまたは細胞内に貯留され得る。当業者には理解できるであろうが、ＰＩ−ＰＬＣ様酵素ポリペプチドをコードしているポリヌクレオチドを含む発現ベクターは、原核または真核細胞膜を通った可溶性ＰＩ−ＰＬＣ様酵素ポリペプチドの分泌を指令する、または膜結合ＰＩ−ＰＬＣ様酵素ポリペプチドの膜挿入を指令する、シグナル配列を含むよう設計できる。
【００６５】
上に論じたように、他の構築物を用いて、ＰＩ−ＰＬＣ様酵素ポリペプチドをコードしている配列を、可溶性タンパク質の精製を促進するポリペプチドドメインをコードしているヌクレオチド配列と結合させることができる。このような精製促進ドメインは、金属キレート化ペプチド、例えば固定化金属上での精製を可能にするヒスチジン−トリプトファンモジュール、固定化免疫グロブリン上での精製を可能にするタンパク質Ａドメイン、およびＦＬＡＧＳ伸長／親和精製系で利用するドメインが包含されるが、これらに限定されない（Ｉｍｍｕｎｅｘ Ｃｏｒｐ．， Ｓｅａｔｔｌｅ， Ｗａｓｈ．）。精製ドメインとＰＩ−ＰＬＣ様酵素ポリペプチドとの間に開裂可能リンカー配列、例えば第Ｘａ因子またはエンテロキナーゼに特異的なリンカー配列を入れること（Ｉｎｖｉｔｒｏｇｅｎ， Ｓａｎ Ｄｉｅｇｏ， ＣＡ）もまた、精製を促進するために利用できる。このような発現ベクターの１つは、ＰＩ−ＰＬＣ様酵素ポリペプチドと、チオレドキシンまたはエンテロキナーゼ開裂部位に先立つ６個のヒスチジン残基とを含む融合タンパク質の発現を提供する。このヒスチジン残基はＩＭＡＣ（Ｐｏｒａｔｈら、Ｐｒｏｔ．Ｅｘｐ．Ｐｕｒｉｆ． ３，２６３−２８１，１９９２に記載の固定化金属イオン親和クロマトグラフィー）による精製を促進し、一方エンテロキナーゼ開裂部位は融合タンパク質からのＰＩ−ＰＬＣ様酵素ポリペプチドの精製手段を提供する。融合タンパク質を含むベクターはＫｒｏｌｌら、ＤＮＡ Ｃｅｌｌ Ｂｉｏｌ． １２，４４１−４５３，１９９３に開示されている。
【００６６】
化学合成
ＰＩ−ＰＬＣ様酵素ポリペプチドをコードしている配列は、その全体または一部を、当分野で周知の化学的方法を用いて合成できる（Ｃａｒｕｔｈｅｒｓら、Ｎｕｃｌ．Ａｃｉｄｓ Ｒｅｓ．Ｓｙｍｐ．Ｓｅｒ． ２１５−２２３，１９８０；Ｈｏｒｎら、Ｎｕｃｌ．Ａｃｉｄｓ Ｒｅｓ．Ｓｙｍｐ．Ｓｅｒ． ２２５−２３２，１９８０）。これとは別に、ＰＩ−ＰＬＣ様酵素ポリペプチド自身を、そのアミノ酸配列を合成するための化学的方法、例えば固相技術を用いる直接ペプチド合成を用いて調製できる（Ｍｅｒｒｉｆｉｅｌｄ， Ｊ．Ａｍ．Ｃｈｅｍ．Ｓｏｃ． ８５，２１４９−２１５４，１９６３；Ｒｏｂｅｒｇｅら、Ｓｃｉｅｎｃｅ ２６９，２０２−２０４，１９９５）。タンパク質合成は手動技術またはオートメーションを用いて実施できる。自動化合成は、例えばＡｐｐｌｉｅｄ Ｂｉｏｓｙｓｔｅｍｓ ４３１Ａペプチド合成機（Ｐｅｒｋｉｎ Ｅｌｍｅｒ）を用いて達成できる。所望により、ＰＩ−ＰＬＣ様酵素ポリペプチドの断片を別々に合成し、化学的方法を用いて合して完全長の分子を調製することもできる。
【００６７】
新たに合成したペプチドは、調製用高速液体クロマトグラフイー（例えばＣｒｅｉｇｈｔｏｎ， ＰＲＯＴＥＩＮＳ： ＳＴＲＵＣＴＵＲＥＳ ＡＮＤ ＭＯＬＥＣＵＬＡＲ ＰＲＩＮＣＩＰＬＥＳ， ＷＨ Ｆｒｅｅｍａｎ ａｎｄ Ｃｏ．， Ｎｅｗ Ｙｏｒｋ， Ｎ．Ｙ．， １９８３）により実質的に精製できる。合成ＰＩ−ＰＬＣ様酵素ポリペプチドの組成はアミノ酸分析または配列決定により確認できる（例えばエドマン分解法；Ｃｒｅｉｇｈｔｏｎ、上記を参照されたい）。さらに、直接合成中にＰＩ−ＰＬＣ様酵素ポリペプチドのアミノ酸配列の任意の部分を改変させ、そして／または化学的方法を用いて他のタンパク質由来の配列と合して、変異体ポリペプチドまたは融合タンパク質を調製することができる。
【００６８】
改変ポリペプチドの調製
当業者には理解できるであろうが、天然に存在しないコドンを有するＰＩ−ＰＬＣ様酵素ポリペプチドコード化ヌクレオチドを調製することは有利であり得る。例えば、特定の原核または真核宿主が好むコドンを選択して、タンパク質発現の速度を増大させ、または所望の性質、例えば天然に存在する配列から産み出される転写物の半減期より長い半減期を持つＲＮＡ転写物を調製することができる。
【００６９】
本明細書に開示するヌクレオチド配列は、当分野で一般的に知られる方法を用いて、ＰＩ−ＰＬＣ様酵素ポリペプチドまたはｍＲＮＡ産物のクローニング、プロセシング、および／または発現を修飾する改変を包含する（但しこれらに限定される訳ではない）様々な理由で、該ポリペプチドコード配列を改変させるように設計できる。無作為断片化によるＤＮＡシャフリングと遺伝子断片および合成オリゴヌクレオチドのＰＣＲ再集合を用いてヌクレオチド配列を設計できる。例えば、位置指定突然変異誘発を用いて、新たな制限部位を挿入し、グリコシル化パターンを変え、コドンの優先性を変え、スプライス変異体を調製し、突然変異を導入する等を実施できる。
【００７０】
抗体
当分野で知られているいかなる型の抗体も、ＰＩ−ＰＬＣ様酵素ポリペプチドのエピトープに特異的に結合するよう作製できる。本明細書で使用する「抗体」とは、無傷の免疫グロブリン分子、およびその断片、例えばＦａｂ、Ｆ（ａｂ’）２、およびＦｖを包含し、これらはＰＩ−ＰＬＣ様酵素ポリペプチドのエピトープに結合できる。典型的には、エピトープを形成するためには少なくとも６、８、１０、または１２の連続するアミノ酸が必要である。しかしながら、非連続アミノ酸を含むエピトープはより多くの、例えば少なくとも１５、２５、または５０のアミノ酸を必要とするかも知れない。
【００７１】
ＰＩ−ＰＬＣ様酵素ポリペプチドのエピトープに特異的に結合する抗体は治療に使用でき、そして免疫化学検定、例えばウェスタンブロット、ＥＬＩＳＡ、ラジオイムノアッセイ、免疫組織化学検定、免疫沈降、またはその他の当分野で既知の免疫化学的検定に使用できる。所望の特異性を有する抗体の同定のため、様々なイムノアッセイが使用できる。競合的結合または免疫放射検定のための多数のプロトコルが当分野でよく知られている。このようなイムノアッセイは典型的には、免疫原と、その免疫原に特異結合する抗体との間の複合体形成の測定を含んでいる。
【００７２】
典型的には、ＰＩ−ＰＬＣ様酵素ポリペプチドに特異的に結合する抗体は、免疫化学検定に使用する時、他のタンパク質が提供する検出シグナルより少なくとも５、１０、または２０倍高い検出シグナルを提供する。好ましくは、ＰＩ−ＰＬＣ様酵素ポリペプチドに特異結合する抗体は、免疫化学検定で他のタンパク質を検出せず、ＰＩ−ＰＬＣ様酵素ポリペプチドを溶液から免疫沈降させることができる。
【００７３】
ヒトＰＩ−ＰＬＣ様酵素ポリペプチドは、哺乳動物、例えばマウス、ラット、ウサギ、モルモット、サル、またはヒトを免疫してポリクローナル抗体を産生させるのに使用できる。所望により、ＰＩ−ＰＬＣ様酵素ポリペプチドは、担体タンパク質、例えば牛血清アルブミン、チログロブリン、およびスカシガイヘモシアニンとコンジュゲートさせることができる。宿主の種に応じて、免疫学的反応を増大させるために種々のアジュバントを使用できる。このようなアジュバントは、フロイントアジュバント、鉱物性ゲル（例えば水酸化アルミニウム）、および界面活性物質（例えばリゾレシチン、プルロニックポリオール、ポリアニオン、ペプチド、油性エマルジョン、スカシガイヘモシアニン、およびジニトロフェノール）を包含するがこれらに限定されない。ヒトに使用するアジュバントの中ではＢＣＧ（ｂａｃｉｌｌｉ Ｃａｌｍｅｔｔｅ−Ｇｕｅｒｉｎ）およびＣｏｒｙｎｅｂａｃｔｅｒｉｕｍ ｐａｒｖｕｍが特に有用である。
【００７４】
ＰＩ−ＰＬＣ様酵素ポリペプチドに特異的に結合するモノクローナル抗体は、培養中の連続的細胞系により抗体分子の産生を提供する任意の技術を用いて調製できる。これらの技術には、ハイブリドーマ技術、ヒトＢ細胞ハイブリドーマ技術、およびＥＢＶ−ハイブリドーマ技術があるがこれらに限定されない（Ｋｏｈｌｅｒら、Ｎａｔｕｒｅ ２５６，４９５−４９７，１９８５； Ｋｏｚｂｏｒら、Ｊ．Ｉｍｍｕｎｏｌ．Ｍｅｔｈｏｄｓ ８１，３１−４２，１９８５； Ｃｏｔｅら、Ｐｒｏｃ．Ｎａｔｌ．Ａｃａｄ．Ｓｃｉ． ８０，２０２６−２０３０，１９８３； Ｃｏｌｅら、Ｍｏｌ．Ｃｅｌｌ Ｂｉｏｌ． ６２，１０９−１２０，１９８４）。
【００７５】
さらに、マウス抗体遺伝子をヒト抗体遺伝子にスプライシングして適当な抗原特異性と生物活性を持つ分子を得る、「キメラ抗体」の産生のために開発された技術が利用できる（Ｍｏｒｒｉｓｏｎら、Ｐｒｏｃ．Ｎａｔｌ．Ａｃａｄ．Ｓｃｉ． ８１，６８５１−６８５５，１９８４； Ｎｅｕｂｅｒｇｅｒら、Ｎａｔｕｒｅ ３１２，６０４−６０８，１９８４； Ｔａｋｅｄａら、Ｎａｔｕｒｅ ３１４，４５２−４５４，１９８５）。モノクローナルおよびその他の抗体はまた、これを治療に使用した場合に患者が該抗体に対する免疫反応を起こすのを防ぐため、「ヒト化」することができる。このような抗体は、治療に直接使用できるほど配列が充分ヒトに類似しているかも知れず、または幾つかの重要残基の変更を必要とするかも知れない。齧歯類の抗体とヒト配列の間の配列相違は、個々の残基の位置指定突然変異誘発により、または相補性決定領域全体の格子により、ヒト配列内の残基と相違する残基を置き換えることによって最小化することができる。別法として、ヒト化抗体はＧＢ２１８８６３８Ｂに記載のように組換え法を用いて調製できる。ＰＩ−ＰＬＣ様酵素ポリペプチドに特異的に結合する抗体は、Ｕ．Ｓ．５５６５３３２に開示のように、部分的または完全にヒト化した抗原結合部位を含むことができる。
【００７６】
これに代わり、当分野で既知の方法を用いて、一本鎖抗体の調製のために記載した技術を適合させ、ＰＩ−ＰＬＣ様酵素ポリペプチドに特異結合する一本鎖抗体を調製することができる。関連する特異性を持つが別個のイディオタイプ組成を有する抗体を、無作為組み合わせ免疫グロブリンライブラリーから鎖シャフリングによって調製することができる（Ｂｕｒｔｏｎ， Ｐｒｏｃ．Ｎａｔｌ．Ａｃａｄ．Ｓｃｉ． ８８，１１１２０−２３，１９９１）。
【００７７】
一本鎖抗体はまた、ハイブリドーマｃＤＮＡを鋳型に用いて、ＰＣＲのようなＤＮＡ増幅法を用いて組み立てることができる（Ｔｈｉｒｉｏｎら、１９９６， Ｅｕｒ．Ｊ．Ｃａｎｃｅｒ Ｐｒｅｖ． ５，５０７−１１）。一本鎖抗体は単一または二重特異性であり得、また、二価または四価であり得る。四価二重特異性一本鎖抗体の組み立ては例えばＣｏｌｏｍａ ＆ Ｍｏｒｒｉｓｏｎ， １９９７， Ｎａｔ．Ｂｉｏｔｅｃｈｎｏｌ． １５，１５９−６３に教示されている。二価二重特異性一本鎖抗体の組み立てはＭａｌｌｅｎｄｅｒ ＆ Ｖｏｓｓ， １９９４， Ｊ．Ｂｉｏｌ．Ｃｈｅｍ． ２６９，１９９−２０６に教示されている。
【００７８】
下記のように、一本鎖抗体をコードしているヌクレオチド配列を手動または自動ヌクレオチド合成を用いて組み立て、標準的組換えＤＮＡ法を用いて発現構築物中にクローニングし、そして細胞中に導入してコード配列を発現させることができる。別法として、一本鎖抗体を、例えば糸状ファージ技術を用いて直接調製することもできる（Ｖｅｒｈａａｒら、１９９５， Ｉｎｔ．Ｊ．Ｃａｎｃｅｒ ６１，４９７−５０１； Ｎｉｃｈｏｌｌａら、１９９３， Ｊ．Ｉｍｍｕｎｏｌ．Ｍｅｔｈ． １６５，８１−９１）。
【００７９】
ＰＩ−ＰＬＣ様酵素ポリペプチドに特異結合する抗体はまた、リンパ球集団においてインビボ産生を誘導することによって、または、文献に開示されている極めて特異的な結合試薬のパネルまたは免疫グロブリンライブラリーをスクリーニングすることによって調製することもできる（Ｏｒｌａｎｄｉら、Ｐｒｏｃ．Ｎａｔｌ．Ａｃａｄ．Ｓｃｉ． ８６，３８３３−３８３７，１９８９； Ｗｉｎｔｅｒら、Ｎａｔｕｒｅ ３４９，２９３−２９９，１９９１）。
【００８０】
その他の型の抗体を、本発明方法において組み立て、治療に使用することができる。例えば、ＷＯ９３／０３１５１に開示のように、キメラ抗体を組み立てることができる。免疫グロブリンから誘導され多価且つ多重特異的である結合タンパク質、例えばＷＯ９４／１３８０４に記載の「ｄｉａｂｏｄｉｅｓ」もまた調製できる。
【００８１】
本発明に係る抗体は当分野で周知の方法により精製できる。例えば、抗体は、ＰＩ−ＰＬＣ様酵素ポリペプチドが結合しているカラムを通過させることにより親和精製できる。次いで、結合した抗体を、高い塩濃度の緩衝液を用いてカラムから溶出することができる。
【００８２】
アンチセンスオリゴヌクレオチド
アンチセンスオリゴヌクレオチドは、特定のＤＮＡまたはＲＮＡ配列に対し相補的なヌクレオチド配列である。いったん細胞中に導入されるとこの相補的ヌクレオチドは、該細胞が産生した天然配列と結合して複合体を形成し、転写または翻訳のいずれかを遮断する。好ましくはアンチセンスオリゴヌクレオチドは少なくとも１１ヌクレオチド長であるが、少なくとも１２、１５、２０、２５、３０、３５、４０、４５、若しくは５０またはそれ以上のヌクレオチド長であってもよい。より長い配列もまた使用できる。アンチセンスオリゴヌクレオチド分子をＤＮＡ構築物に提供し、上記のように細胞中に導入して、その細胞におけるＰＩ−ＰＬＣ様酵素遺伝子産物のレベルを低下させることができる。
【００８３】
アンチセンスオリゴヌクレオチドは、デオキシリボヌクレオチド、リボヌクレオチド、またはこの両者の組み合わせであってよい。オリゴヌクレオチドは、１つのヌクレオチドの５’末端を、アルキルホスホネート、ホスホロチオエート、ホスホロジチオエート、アルキルホスホノチオエート、アルキルホスホネート、ホスホロアミデート、燐酸エステル、カルバメート、アセトアミデート、カルボキシメチルエステル、カルボネート、および燐酸トリエステルといった非ホスホジエステルヌクレオチド間結合を有する別のヌクレオチドの３’末端と共有結合させることにより、手動で、または自動合成機によって合成できる。Ｂｒｏｗｎ， Ｍｅｔｈ．Ｍｏｌ． Ｂｉｏｌ． ２０，１−８，１９９４； Ｓｏｎｖｅａｕｘ， Ｍｅｔｈ．Ｍｏｌ．Ｂｉｏｌ． ２６，１−７２，１９９４； Ｕｈｌｍａｎｎら、Ｃｈｅｍ．Ｒｅｖ． ９０，５４３−５８３，１９９０を参照されたい。
【００８４】
ＰＩ−ＰＬＣ様酵素遺伝子の制御、５’、または調節領域と二本鎖を形成するアンチセンスオリゴヌクレオチドを設計することにより、ＰＩ−ＰＬＣ様酵素遺伝子発現の修飾が得られる。転写開始部位、例えば開始部位から−１０および＋１０位の間から誘導されるオリゴヌクレオチドが好ましい。同様に、「三重らせん」塩基対合法を用いて阻害を達成できる。三重らせん対合は、二重らせんがポリメラーゼ、転写因子またはシャペロンの結合に対して十分に開くという能力の阻害を引き起こすため、有用である。三本鎖ＤＮＡを用いる治療上の進歩が文献に記載されている（例えばＧｅｅら、Ｈｕｂｅｒ ＆ Ｃａｒｒ， ＭＯＬＥＣＵＬＡＲ ＡＮＤ ＩＭＭＵＮＯＬＯＧＩＣ ＡＰＰＲＯＡＣＨＥＳ， Ｆｕｔｕｒａ Ｐｕｂｌｉｓｈｉｎｇ Ｃｏ．， Ｍｔ．Ｋｉｓｃｏ， Ｎ．Ｙ．， １９９４）。転写物がリボソームに結合するのを防ぐことによりｍＲＮＡの翻訳を遮断するアンチセンスオリゴヌクレオチドもまた設計できる。
【００８５】
アンチセンスオリゴヌクレオチドとＰＩ−ＰＬＣ様酵素ポリヌクレオチドの相補配列との間に好結果の複合体を形成させるためには、正確な相補性は必要ない。例えばＰＩ−ＰＬＣ様酵素ポリヌクレオチドに対し正確に相補的である２、３、４、若しくは５またはそれ以上の長さの連続するヌクレオチドを含み、その各々が、隣接するＰＩ−ＰＬＣ様酵素ヌクレオチドとは相補的ではない連続するある長さのヌクレオチドによって隔てられているアンチセンスオリゴヌクレオチドは、ＰＩ−ＰＬＣ様酵素ｍＲＮＡに対して充分な標的化特異性を提供できる。好ましくは、相補的な連続ヌクレオチドの長さはそれぞれ少なくとも４、５、６、７若しくは８またはそれ以上のヌクレオチド長である。非相補的な介在配列は、好ましくは１、２、３、または４ヌクレオチド長である。当業者は、アンチセンス−センスの対の算出融点を容易に使用して、特定のアンチセンスオリゴヌクレオチドと特定のＰＩ−ＰＬＣ様酵素ポリヌクレオチド配列間で寛容されるミスマッチの程度を決定できるであろう。
【００８６】
アンチセンスオリゴヌクレオチドは、ＰＩ−ＰＬＣ様酵素ポリヌクレオチドとハイブリダイズする能力に影響を及ぼすことなく修飾できる。これらの修飾は該アンチセンス分子の内部、または一端若しくは両端である。例えば、ヌクレオシド間の燐酸結合は、アミノ基と末端リボースの間にいろいろな数の炭素残基を有するコレステリルまたはジアミン部分を加えることによって修飾できる。修飾された塩基および／または糖、例えばリボースの代わりのアラビノース、または３’ヒドロキシ基または５’燐酸基が置換されている３’，５’−置換オリゴヌクレオチドもまた修飾アンチセンスオリゴヌクレオチドに使用できる。これらの修飾オリゴヌクレオチドは当分野で周知の方法により調製できる。例えば、Ａｇｒａｗａｌら、Ｔｒｅｎｄｓ Ｂｉｏｔｅｃｈｎｏｌ． １０，１５２−１５８，１９９２； Ｕｈｌｍａｎｎら、Ｃｈｅｍ．Ｒｅｖ． ９０，５４３−５８４，１９９０； Ｕｈｌｍａｎｎら、Ｔｅｔｒａｈｅｄｒｏｎ．Ｌｅｔｔ． ２１５，３５３９−３５４２，１９８７を参照されたい。
【００８７】
リボザイム
リボザイムは触媒活性を有するＲＮＡ分子である。例えば、Ｃｅｃｈ， Ｓｃｉｅｎｃｅ ２３６，１５３２−１５３９； １９８７； Ｃｅｃｈ， Ａｎｎ．Ｒｅｖ．Ｂｉｏｃｈｅｍ． ５９，５４３−５６８； １９９０， Ｃｅｃｈ， Ｃｕｒｒ．Ｏｐｉｎ．Ｓｔｒｕｃｔ．Ｂｉｏｌ． ２，６０５−６０９； １９９２， Ｃｏｕｔｕｒｅ ＆ Ｓｔｉｎｃｈｃｏｍｂ， Ｔｒｅｎｄｓ Ｇｅｎｅｔ． １２，５１０−５１５， １９９６を参照されたい。当分野で知られるように、リボザイムは、ＲＮＡ配列を開裂することにより遺伝子機能を阻害するのに使用できる（例えば、Ｈａｓｅｌｏｆｆら、米国特許５６４１６７３）。リボザイムの作用機構は、相補的標的ＲＮＡに対するリボザイム分子の配列特異的ハイブリダイゼーションと、その後のエンドヌクレオ分解的な（ｅｎｄｏｎｕｃｌｅｏｌｙｔｉｃ）開裂を含む。例には、特異的ヌクレオチド配列のエンドヌクレオ分解的な開裂を特異的且つ効果的に触媒できる、設計されたハンマーヘッドモチーフリボザイム分子がある。
【００８８】
ＰＩ−ＰＬＣ様酵素ポリヌクレオチドのコード配列を用いて、ＰＩ−ＰＬＣ様酵素ポリヌクレオチドから転写されたｍＲＮＡに特異結合するリボザイムを作製できる。他のトランスのＲＮＡ分子を極めて配列特異的に開裂できるリボザイムを設計し組み立てる方法が開発され、当分野で記載されている（Ｈａｓｅｌｏｆｆら、Ｎａｔｕｒｅ ３３４，５８５−５９１，１９８８）。例えば、リボザイムの開裂活性は、別個の「ハイブリダイゼーション」領域を該リボザイム中に組み入れることによって、特定のＲＮＡを標的とさせることができる。このハイブリダイゼーション領域は標的ＲＮＡに対し相補的な配列を含んでおり、したがってその標的と特異的にハイブリダイズする（例えばＧｅｒｌａｃｈら、ＥＰ３２１２０１を参照されたい）。
【００８９】
ＰＩ−ＰＬＣ様酵素ＲＮＡ標的内部の特異的リボザイム開裂部位は、この標的分子を、以下の配列：ＧＵＡ、ＧＵＵ、およびＧＵＣを包含するリボザイム開裂部位についてスキャンすることにより同定できる。同定できたならば、該開裂部位を含む標的ＲＮＡの領域に対応する、１５および２０の間のリボヌクレオチドを有する短いＲＮＡ配列を、標的を非機能的にし得る二次構造の特徴について評価できる。さらに、候補のＰＩ−ＰＬＣ様酵素ＲＮＡ標的の適合性を、リボヌクレアーゼ防護検定を用いて相補的オリゴヌクレオチドとのハイブリダイゼーションに対する利用可能性を試験することによって評価できる。より長い相補配列を用いて、標的に対するハイブリダイゼーション配列の親和性を増大させることができる。リボザイムのハイブリダイズおよび開裂する領域は、相補領域を介して標的ＲＮＡにハイブリダイズする時、リボザイムの触媒領域が標的を開裂し得るといったように、完全に相関している。
【００９０】
リボザイムはＤＮＡ構築物の一部として細胞内に導入できる。マイクロ注入、リポソーム媒介トランスフェクション、電気穿孔、または燐酸カルシウム沈殿といった機械的方法を用いて、ＰＩ−ＰＬＣ様酵素発現の低下が望まれる細胞中にリボザイム含有ＤＮＡ構築物を導入することができる。これとは別に、細胞がＤＮＡ構築物を安定的に保持することが望まれる場合は、該構築物をプラスミド上で供給し、当分野で知られるように、別個の要素として維持するか、または細胞のゲノム中に組み込むことができる。リボザイムコード化ＤＮＡ構築物は、細胞中のリボザイムの転写を調節するために、プロモーター要素、エンハンサーまたはＵＡＳ要素、および転写ターミネーターシグナルといった転写調節要素を含み得る。
【００９１】
Ｈａｓｅｌｏｆｆら、米国特許５６４１６７３に教示のように、リボザイムは、標的遺伝子の発現を誘導する因子に応答してリボザイムの発現が起こるように設計することができる。リボザイムはまた、追加レベルの調節を提供するよう設計でき、その結果、ｍＲＮＡの破壊はリボザイムと標的遺伝子の両者が細胞に誘導された時にのみ起こる。
【００９２】
区別的に発現される遺伝子
遺伝子産物がヒトホスファチジルイノシトール特異的ホスホリパーゼＣ様酵素と相互作用する遺伝子の同定方法をここに記載する。このような遺伝子は、癌及びＤＯＰＤを包含する（但しこれらに限定されない）疾患において区別して（区別的に）発現される遺伝子を表し得る。さらに、係る遺伝子は、このような疾患の進行または治療に関連する操作に応答して区別的に調節される遺伝子を表し得る。加えて、このような遺伝子は、組織または生物の発生の異なる段階で増大または低下する、一時的に調節される発現を示すことができる。区別的に発現される遺伝子はまた、その発現を、対照対実験条件の下で調節させることができる。さらに、ヒトホスファチジルイノシトール特異的ホスホリパーゼＣ様酵素遺伝子または遺伝子産物は、これ自体区別的発現について試験できる。
【００９３】
発現が正常対疾病状態で相違する程度は、標準的特性決定技術、例えば区別的ディスプレイ技術によって視覚化されるに充分大きいというだけでよい。発現の相違を視覚化することのできる、その他のこのような標準的特性決定技術は、定量的ＲＴ（逆転写酵素）、ＰＣＲ、およびノーザン分析を包含するが、これらに限定されない。
【００９４】
区別的に発現される遺伝子の同定
区別的に発現される遺伝子を同定するためには、目的とする組織から全ＲＮＡ、または好ましくはｍＲＮＡを単離する。例えば、ＲＮＡ試料は、実験対象の組織から、そして対照となる対象の対応組織から取得する。ｍＲＮＡの単離に対して不利に選択しない任意のＲＮＡ単離技術を、係るＲＮＡ試料の精製に利用できる。例えば、Ａｕｓｕｂｅｌら、ｅｄ．， ＣＵＲＲＥＮＴ ＰＲＯＴＯＣＯＬＳ ＩＮ ＭＯＬＥＣＵＬＡＲ ＢＩＯＬＯＧＹ， Ｊｏｈｎ Ｗｉｌｅｙ ＆ Ｓｏｎｓ， Ｉｎｃ． Ｎｅｗ Ｙｏｒｋ， １９８７−１９９３を参照されたい。当業者に周知の技術、例えばＣｈｏｍｃｚｙｎｓｋｉ、米国特許４８４３１５５の一段階ＲＮＡ単離プロセスを用いて多数の組織試料を容易に処理することができる。
【００９５】
区別的に発現される遺伝子が産生したＲＮＡを表す、集められたＲＮＡ試料内部の転写物は、当業者に周知の方法により同定する。これらには、例えば、ディファレンシャルスクリーニング（Ｔｅｄｄｅｒら、Ｐｒｏｃ．Ｎａｔｌ．Ａｃａｄ．Ｓｃｉ．Ｕ．Ｓ．Ａ． ８５，２０８−１２，１９８８）、差引きハイブリダイゼーション（Ｈｅｄｒｉｃｋら、Ｎａｔｕｒｅ ３０８，１４９−５３； Ｌｅｅら、Ｐｒｏｃ Ｎａｔｌ．Ａｃａｄ．Ｓｃｉ．Ｕ．Ｓ．Ａ． ８８，２８２５，１９８４）、および好ましくはディファレンシャルディスプレイ（Ｌｉａｎｇ ＆ Ｐａｒｄｅｅ， Ｓｃｉｅｎｃｅ ２５７，９６７−７１，１９９２； 米国特許５２６２３１１）が包含される。
【００９６】
区別的発現の情報はこれ自体、ヒトホスファチジルイノシトール特異的ホスホリパーゼＣ様酵素の関与する疾病の治療のための関連法を示唆している。例えば、治療は、区別的に発現される遺伝子および／またはヒトホスファチジルイノシトール特異的ホスホリパーゼＣ様酵素をコードしている遺伝子の発現の調節を包含し得る。区別的発現の情報は、区別的に発現される遺伝子若しくは遺伝子産物またはヒトホスファチジルイノシトール特異的ホスホリパーゼＣ様酵素遺伝子若しくは遺伝子産物の活性または発現が、アップレギュレーションであるかダウンレギュレーションであるかを示すことができる。
【００９７】
スクリーニング方法
本発明は、ＰＩ−ＰＬＣ様酵素ポリペプチドまたはＰＩ−ＰＬＣ様酵素ポリヌクレオチドに結合する、またはその活性を調節する、被験化合物をスクリーニングするための検定を提供する。好ましくは、被験化合物はＰＩ−ＰＬＣ様酵素ポリペプチドまたはポリヌクレオチドに結合する。より好ましくは、被験化合物は、ＰＩ−ＰＬＣ様酵素を、被験化合物の不在時に比較して少なくとも約１０、好ましくは約５０、より好ましくは約７５、９０、または１００％低下または増大させる。
【００９８】
被験化合物
被験化合物は当分野で既知の薬理学的物質であってよく、または薬理活性を持っていることが前もって分かっていない化合物であってよい。この化合物は天然に存在する、または実験室で設計されたものであってよい。これらは、微生物、動物、または植物から単離されたものであってよく、そして組換え的に調製され、または当分野で既知の化学的方法により合成されたものであってよい。所望により被験化合物は、生物学的ライブラリー、空間的アドレス特定可能な並行固相または液相ライブラリー、デコンボルーションを要する合成ライブラリー法、「一ビーズ一化合物」ライブラリー法、および親和クロマトグラフィー選択を用いる合成ライブラリー法を包含する（但しこれらに限定される訳ではない）当分野で既知の数多くの組み合わせライブラリー法のいずれかを用いて取得できる。生物学的ライブラリーアプローチはポリペプチドライブラリーに限定されているが、他の４種のアプローチはポリペプチド、非ペプチドオリゴマー、または化合物の小分子ライブラリーに適用できる。Ｌａｍ， Ａｎｔｉｃａｎｃｅｒ Ｄｒｕｇ Ｄｅｓ． １２，１４５，１９９７を参照されたい。
【００９９】
分子ライブラリーの合成法は当分野でよく知られている（例えば、ＤｅＷｉｔｔら、Ｐｒｏｃ．Ｎａｔｌ．Ａｃａｄ．Ｓｃｉ．Ｕ．Ｓ．Ａ． ９０，６９０９，１９９３； Ｅｒｂら、Ｐｒｏｃ．Ｎａｔｌ．Ａｃａｄ．Ｓｃｉ．Ｕ．Ｓ．Ａ． ９１，１１４２２，１９９４； Ｚｕｃｋｅｒｍａｎｎら、Ｊ．Ｍｅｄ．Ｃｈｅｍ． ３７，２６７８，１９９４； Ｃｈｏら、Ｓｃｉｅｎｃｅ ２６１，１３０３，１９９３； Ｃａｒｅｌｌら、Ａｎｇｅｗ．Ｃｈｅｍ．Ｉｎｔ．Ｅｄ．Ｅｎｇｌ． ３３，２０５９，１９９４； Ｃａｒｅｌｌら、Ａｎｇｅｗ．Ｃｈｅｍ．Ｉｎｔ．Ｅｄ．Ｅｎｇｌ． ３３，２０６１； Ｇａｌｌｏｐら、Ｊ．Ｍｅｄ．Ｃｈｅｍ． ３７，１２３３，１９９４を参照されたい）。化合物のライブラリーは溶液で（例えば、Ｈｏｕｇｈｔｅｎ， Ｂｉｏｔｅｃｈｎｉｑｕｅｓ １３，４１２−４２１，１９９２）、またはビーズ（Ｌａｍ， Ｎａｔｕｒｅ ３５４，８２−８４，１９９１）、チップ（Ｆｏｄｏｒ， Ｎａｔｕｒｅ ３６４，５５５−５５６，１９９３）、細菌または胞子（Ｌａｄｎｅｒ、米国特許５２２３４０９）プラスミド（Ｃｕｌｌら、Ｐｒｏｃ．Ｎａｔｌ．Ａｃａｄ．Ｓｃｉ．Ｕ．Ｓ．Ａ． ８９，１８６５−１８６９，１９９２）、またはファージ（Ｓｃｏｔｔ ＆ Ｓｍｉｔｈ， Ｓｃｉｅｎｃｅ ２４９，３８６−３９０， １９９０； Ｄｅｖｌｉｎ， Ｓｃｉｅｎｃｅ ２４９，４０４−４０６，１９９０）；Ｃｗｉｒｌａら、Ｐｒｏｃ．Ｎａｔｌ．Ａｃａｄ．Ｓｃｉ．９７，６３７８−６３８２，１９９０； Ｆｅｌｉｃｉ， Ｊ．Ｍｏｌ．Ｂｉｏｌ． ２２２，３０１−３１０，１９９１； およびＬａｄｎｅｒ、米国特許５２２３４０９）上に提供できる。
【０１００】
ハイスループットスクリーニング
被験化合物は、高（ハイ）スループットスクリーニングを用いて、ＰＩ−ＰＬＣ様酵素ポリペプチドまたはポリヌクレオチドに結合する能力、またはＰＩ−ＰＬＣ様酵素活性若しくはＰＩ−ＰＬＣ様酵素遺伝子発現に影響を及ぼす能力についてスクリーニングできる。ハイスループットスクリーニングを使用して、多くの個別的化合物を並行して試験でき、その結果多数の被験化合物を迅速にスクリーニングできる。最も広範に確立されている技術は９６ウェル微量定量プレートを利用するものである。この微量定量プレートのウェルは、典型的には５０から５００μｌの範囲の検定容量を必要とする。このプレートに加えて、９６ウェルフォーマットに適合させた多くの機器、材料、ピペット、ロボット、プレート洗浄機、およびプレート読み取り機が市販されている。
【０１０１】
別法として、「自由フォーマット検定」、または試料間に物理的障壁を持たない検定が使用できる。例えば、組み合わせペプチドライブラリーのための、単純な均質検定で色素細胞（メラノサイト）を用いる検定が、Ｊａｙａｗｉｃｋｒｅｍｅら、Ｐｒｏｃ．Ｎａｔｌ．Ａｃａｄ．Ｓｃｉ．Ｕ．Ｓ．Ａ． １９，１６１４−１８（１９９４）に記載されている。ペトリ皿中のアガロースの下にこの細胞を入れ、次いで組み合わせ化合物を伴っているビーズをアガロースの表面に載せる。組み合わせ化合物はこのビーズから化合物を部分的に放出する。化合物がゲルマトリックス中へと局所的に拡散するにつれて活性化合物が細胞の色の変化を惹起するため、活性化合物を暗色色素領域として視覚化することができる。
【０１０２】
自由フォーマット検定のもう一つの例は、生体分子スクリーニング学会第１回年次総会（Ｐｈｉｌａｄｅｌｐｈｉａ，Ｐａ．、１９９５年１１月７−１０日）で報告されたＣｈｅｌｓｋｙ、「組み合わせライブラリーのスクリーニングのための戦略：新規な、そして伝統的なアプローチ」により記載されている。Ｃｈｅｌｓｋｙは、カルボニックアンヒドラーゼのための単純な均質酵素検定をアガロースゲルの内部に入れ、その結果ゲル中の酵素がゲル全体に色の変化を惹起するようにさせた。その後、光リンカーを介して組み合わせ化合物を持つビーズをゲル内部に入れ、すると該化合物はＵＶ光により部分的に放出された。酵素を阻害する化合物は、色の変化がより少ない局所阻害領域として観察された。
【０１０３】
さらに別の例がＳａｌｍｏｎら、Ｍｏｌｅｃｕｌａｒ Ｄｉｖｅｒｓｉｔｙ ２，５７−６３（１９９６）に記載されている。この例では、組み合わせライブラリーを、寒天中で生育する癌細胞への細胞毒性効果を有する化合物についてスクリーニングした。
【０１０４】
もう一つのハイスループットスクリーニング法がＢｅｕｔｅｌら、米国特許５９７６８１３に記載されている。この方法では、被験試料を多孔性マトリックスに入れる。次に１またはそれ以上の検定成分を、マトリックス、例えばゲル、プラスチックシート、フィルター、またはその他の形の容易に操作できる固体担体の内部、上、または底に入れる。試料がこの多孔性マトリックスに導入されるとこれらは充分ゆっくりと拡散し、その結果、被験試料が混ざらずに検定が遂行できる。
【０１０５】
結合検定
結合検定について、被験化合物は、本酵素のＡＴＰ／ＧＴＰ結合部位であるＰＩ−ＰＬＣ様酵素ポリペプチドの活性部位に結合してこれを占有する結果、正常な生物活性を妨げるような、小分子であることが好ましい。このような小分子の例は、小ペプチドまたはペプチド様分子を包含するが、これらに限定される訳ではない。
【０１０６】
結合検定では、被験化合物またはＰＩ−ＰＬＣ様酵素ポリペプチドのいずれかが検出可能な標識、例えば蛍光、放射性同位元素、化学ルミネセント、または酵素標識（例えば西洋ワサビペルオキシダーゼ、アルカリホスファターゼ、またはルシフェラーゼ）を含むことができる。そこで、ＰＩ−ＰＬＣ様酵素ポリペプチドに結合している被験化合物の検出は、例えば放射能の放出を直接計数することにより、またはシンチレーション計数により、または検出可能産物への適当な基質の変換を測定することにより、達成できる。
【０１０７】
別法として、ＰＩ−ＰＬＣ様酵素ポリペプチドへの被験化合物の結合を、反応体のいずれをも標識せずに測定することができる。例えば、マイクロフィジオメーターを用いて、被験化合物とＰＩ−ＰＬＣ様酵素ポリペプチドとの結合を検出できる。マイクロフィジオメーター（例えばサイトセンサーＴＭ）とは、細胞がその環境を酸性化する速度を光アドレッサブル電位差センサー（ＬＡＰＳ）を用いて測定する分析機器である。この酸性化速度の変化は、被験化合物とＰＩ−ＰＬＣ様酵素ポリペプチドの相互作用の指標として使用できる（ＭｃＣｏｎｎｅｌｌら、Ｓｃｉｅｎｃｅ ２５７，１９０６−１９１２，１９９２）。
【０１０８】
被験化合物がＰＩ−ＰＬＣ様酵素ポリペプチドに結合する能力の測定はまた、実時間Ｂｉｍｏｌｅｃｕｌａｒ Ｉｎｔｅｒａｃｔｉｏｎ Ａｎａｌｙｓｉｓ（ＢＩＡ）のような技術を用いて達成できる（Ｓｊｏｌａｎｄｅｒ ＆ Ｕｒｂａｎｉｃｚｋｙ， Ａｎａｌ．Ｃｈｅｍ． ６３，２３３８−２３４５，１９９１、およびＳｚａｂｏら、Ｃｕｒｒ．Ｏｐｉｎ．Ｓｔｒｕｃｔ．Ｂｉｏｌ． ５，６９９−７０５，１９９５）。ＢＩＡは、いかなる反応体をも標識せずに、生体特異的相互作用を実時間で研究するための技術である（例えばＢＩＡｃｏｒｅ（登録商標））。光学的現象表面プラズモン共鳴（ＳＰＲ）の変化を、生体分子間の実時間反応の指標に使用できる。
【０１０９】
本発明のさらに別の態様では、ＰＩ−ＰＬＣ様酵素ポリペプチドを２−ハイブリッド検定または３−ハイブリッド検定（例えば、米国特許５２８３３１７； Ｚｅｒｖｏｓら、Ｃｅｌｌ ７２，２２３−２３２，１９９３； Ｍａｄｕｒａら、Ｊ．Ｂｉｏｌ．Ｃｈｅｍ． ２６８，１２０４６−１２０５４，１９９３； Ｂａｒｔｅｌら、Ｂｉｏｔｅｃｈｎｉｑｕｅｓ １４，９２０−９２４，１９９３； Ｉｗａｂｕｃｈｉら、Ｏｎｃｏｇｅｎｅ ８，１６９３−１６９６，１９９３； およびＢｒｅｎｔ ＷＯ９４／１０３００）における「おとりタンパク質」として使用し、ＰＩ−ＰＬＣ様酵素ポリペプチドに結合またはこれと相互作用してその活性を調節する他のタンパク質を同定することができる。
【０１１０】
二ハイブリッド系は殆どの転写因子のモジュール的性格に基づくものであり、それは、分離可能なＤＮＡ結合および活性化ドメインから成っている。簡潔に述べると、この検定は二種の異なるＤＮＡ構築物を利用する。例えば、一方の構築物においては、ＰＩ−ＰＬＣ様酵素ポリペプチドをコードしているポリヌクレオチドが、既知の転写因子のＤＮＡ結合ドメインをコードしているポリヌクレオチドに融合できる（例えばＧＡＬ−４）。別の構築物においては、未同定タンパク質（「餌」または「試料」）をコードしているＤＮＡ配列が、既知の転写因子の活性化ドメインをコードしているポリヌクレオチドに融合できる。もし「おとり」および「餌」タンパク質がインビボで相互作用してタンパク質依存複合体を形成できたならば、該転写因子のＤＮＡ結合および活性化ドメインは極めて近位に招来される。この近位性が、転写因子に応答する転写調節部位と機能的に結合しているリポーター遺伝子（例えばＬａｃＺ）の転写を可能にする。リポーター遺伝子の発現が検出でき、機能的転写因子を含む細胞コロニーを単離し、ＰＩ−ＰＬＣ様酵素ポリペプチドと相互作用するタンパク質をコードしているＤＮＡ配列取得に使用することができる。
【０１１１】
反応体の一方または両方の非結合型からの結合型の分離を促進するため、そして検定の自動化の便宜を図るため、ＰＩ−ＰＬＣ様酵素ポリペプチド（またはポリヌクレオチド）または被験化合物のいずれかを固定化することが望ましいかも知れない。したがって、その酵素ポリペプチド（またはポリヌクレオチド）または被験化合物のいずれかを固体支持体に結合させることができる。好適な固体支持体は、ガラスまたはプラスチックスライド、組織培養プレート、微量定量ウェル、管、シリコンチップ、またはビーズ（ラテックス、ポリスチレン、またはガラスビーズを包含するがこれらに限定されない）のような粒子を包含するがこれらに限定されない。共有および非共有結合、受動吸収、またはそれぞれポリペプチド（またはポリヌクレオチド）または被験化合物に付着させた結合部分と固体支持体の対の使用を包含する、当分野で既知の任意の方法を用いてそのポリペプチド（またはポリヌクレオチド）または被験化合物を固体支持体に付着させることができる。被験化合物は好ましくは整列して固体支持体に結合させ、その結果個々の被験化合物の位置を追跡することができる。ＰＩ−ＰＬＣ様酵素ポリペプチド（またはポリヌクレオチド）への被験化合物の結合は、反応体を入れるのに適した任意の容器で達成できる。かかる容器の例には微量定量プレート、試験管、および微量遠沈管がある。
【０１１２】
一つの態様において、ＰＩ−ＰＬＣ様酵素ポリペプチドは、ＰＩ−ＰＬＣ様酵素ポリペプチドを固体支持体に結合させるドメインを含む融合タンパク質である。例えば、グルタチオン−Ｓ−トランスフェラーゼ融合タンパク質をグルタチオンセファロースビーズ（Ｓｉｇｍａ Ｃｈｅｍｉｃａｌ， Ｓｔ．Ｌｏｕｉｓ， Ｍｏ．）上またはグルタチオン誘導体化微量定量プレート上に吸着させ、次いでこれを被験化合物または被験化合物および非吸着ＰＩ−ＰＬＣ様酵素ポリペプチドに合し；次にこの混合物を複合体形成が行われる条件下でインキュベートする（例えば、塩およびｐＨに関して生理的条件）。インキュベーションの後、ビーズまたは微量定量プレートのウェルを洗浄して未結合成分を除去する。反応体の結合は上記のように直接的または間接的に測定できる。別法として、複合体を固体支持体から解離させた後に結合を測定することもできる。
【０１１３】
本発明に係るスクリーニング検定には、タンパク質またはポリヌクレオチドを固体支持体上に固定化するためのその他の技術を使用することもできる。例えば、ＰＩ−ＰＬＣ様酵素ポリペプチド（またはポリヌクレオチド）または被験化合物のいずれかを、ビオチンとストレプトアビジンのコンジュゲーションを利用して固定化できる。当分野で周知の技術（例えばビオチニル化キット、Ｐｉｅｒｃｅ Ｃｈｅｍｉｃａｌｓ， Ｒｏｃｋｆｏｒｄ，Ｉｌｌ．）を用いて、ビオチニル化したＰＩ−ＰＬＣ様酵素ポリペプチド（またはポリヌクレオチド）または被験化合物をビオチン−ＮＨＳ（Ｎ−ヒドロキシスクシンイミド）から調製し、ストレプトアビジン被覆した９６ウェルプレート（Ｐｉｅｒｃｅ Ｃｈｅｍｉｃａｌ）のウェルに固定化できる。別法として、ＰＩ−ＰＬＣ様酵素ポリペプチド、ポリヌクレオチド、または被験化合物に特異的に結合するが、所望の結合部位、例えばＰＩ−ＰＬＣ様酵素ポリペプチドのＡＴＰ／ＧＴＰ結合部位又は活性部位に干渉しない抗体をプレートのウェルに誘導体化することができる。未結合の標的またはタンパク質が抗体コンジュゲーションによりウェル中に捕捉できる。
【０１１４】
ＧＳＴ−固定化複合体について上に記載した方法に加え、このような複合体を検出する方法には、ＰＩ−ＰＬＣ様酵素ポリペプチドまたは被験化合物に特異結合する抗体を用いる、複合体の免疫検出、ＰＩ−ＰＬＣ様酵素ポリペプチドの活性検出へと引き継がれる酵素結合検定、および非還元条件下でのＳＤＳゲル電気泳動がある。
【０１１５】
ＰＩ−ＰＬＣ様酵素ポリペプチドまたはポリヌクレオチドに結合する被験化合物を求めるスクリーニングは、無傷の細胞で実施することもできる。ＰＩ−ＰＬＣ様酵素ポリペプチドまたはポリヌクレオチドを含む任意の細胞が、細胞に基づく検定系で使用できる。ＰＩ−ＰＬＣ様酵素ポリヌクレオチドは細胞中に天然に存在し、または上記のような技術を用いて導入できる。ＰＩ−ＰＬＣ様酵素ポリペプチドまたはポリヌクレオチドに対する被験化合物の結合は、上記のように測定する。
【０１１６】
酵素検定
ヒトＰＩ−ＰＬＣ様酵素ポリペプチドのホスホリパーゼＣ活性を増大または低下させる能力について、被験化合物を試験できる。ホスホリパーゼＣ活性は、例えば以下の具体的な実施例に記載のように測定できる。
【０１１７】
酵素検定は、精製ＰＩ−ＰＬＣ様酵素ポリペプチド、細胞膜調製物または無傷の細胞と、被験化合物とを接触させた後に実施できる。ＰＩ−ＰＬＣ様酵素ポリペプチドのホスホリパーゼＣ活性を少なくとも約１０、好ましくは約５０、より好ましくは約７５、９０または１００％低下させる被験化合物を、ＰＩ−ＰＬＣ様酵素活性を低下させる可能性のある治療物質として同定する。ヒトＰＩ−ＰＬＣ様酵素ポリペプチドのホスホリパーゼＣ活性を少なくとも約１０、好ましくは約５０、より好ましくは約７５、９０または１００％増大させる被験化合物を、ヒトＰＩ−ＰＬＣ様酵素活性を増大させる可能性のある治療物質として同定する。
【０１１８】
遺伝子発現
別の態様では、ＰＩ−ＰＬＣ様酵素遺伝子の発現を増大または減少させる被験化合物を同定する。ＰＩ−ＰＬＣ様酵素ポリヌクレオチドを被験化合物と接触させ、ＲＮＡまたはＰＩ−ＰＬＣ様酵素ポリヌクレオチドのポリペプチド産物の発現を測定する。被験化合物存在下での適当なｍＲＮＡまたはポリペプチドの発現レベルを、該被験化合物不在下でのｍＲＮＡまたはポリペプチドの発現レベルと比較する。すると被験化合物が、この比較に基づく発現のモジュレーターとして同定できる。例えば、ｍＲＮＡまたはポリペプチドの発現が、被験化合物の不在時よりも存在時により大きい場合は、この被験化合物を、該ｍＲＮＡまたはポリペプチド発現の刺激物質または増強物質と同定する。そうではなく、ｍＲＮＡまたはポリペプチドの発現が、被験化合物の不在時よりも存在時により小さい場合は、この被験化合物を、該ｍＲＮＡまたはポリペプチド発現の阻害物質と同定する。
【０１１９】
細胞におけるＰＩ−ＰＬＣ様酵素ｍＲＮＡまたはポリペプチド発現のレベルは、ｍＲＮＡまたはポリペプチドを検出するための当分野で周知の方法により決定できる。定性または定量的方法のいずれかが使用できる。ＰＩ−ＰＬＣ様酵素ポリヌクレオチドのポリペプチド産物の存在は、例えばラジオイムノアッセイのような免疫化学的方法、ウエスタンブロッティング、および免疫組織化学を包含する、当分野で周知の様々な技術を用いて決定できる。別法として、ポリペプチド合成は、ＰＩ−ＰＬＣ様酵素ポリペプチド内への標識アミノ酸の取り込みを検出することにより、インビボで、細胞培養で、またはインビトロ翻訳系で決定できる。
【０１２０】
このようなスクリーニングは、無細胞検定系または無傷の細胞のいずれかで実施できる。ＰＩ−ＰＬＣ様酵素ポリヌクレオチドを発現するいかなる細胞も細胞に基づく検定系で使用できる。ＰＩ−ＰＬＣ様酵素ポリヌクレオチドは細胞内に天然に存在するか、または上記のような技術を用いて導入することができる。一次培養または樹立された細胞系、例えばＣＨＯまたはヒト胚腎２９３細胞のいずれかを使用できる。
【０１２１】
医薬組成物
本発明はさらに、治療効果を達成するために患者に投与できる医薬組成物を提供する。本発明に係る医薬組成物は、例えばＰＩ−ＰＬＣ様酵素ポリペプチド、ＰＩ−ＰＬＣ様酵素ポリヌクレオチド、リボザイムまたはアンチセンスオリゴヌクレオチド、ＰＩ−ＰＬＣ様酵素ポリペプチドに特異的に結合する抗体、または類似体、ＰＩ−ＰＬＣ様酵素ポリペプチド活性の活性化物質又は阻害物質を含み得る。この組成物は単独で、または少なくとも１種類の他の物質、例えば安定化化合物と組み合わせて投与でき、これは、食塩水、緩衝化食塩水、デキストロース、および水を包含する（但しこれらに限定されない）任意の無菌で生物学的適合性のある製薬的担体中で投与できる。この組成物は単独で、または他の物質、薬物またはホルモンと組み合わせて患者に投与できる。
【０１２２】
活性成分に加えてこれらの医薬組成物は、賦形剤および補助物質を含む適当な製薬的に許容し得る担体を含有でき、これらは、製薬的に使用できる調製物への活性化合物の処理を促進する。本発明に係る医薬組成物は、経口、静脈内、筋肉内、動脈内、髄内、髄腔内、心室内、経皮、皮下、腹腔内、鼻腔内、非経口、局所、舌下、または直腸手段を包含する（但しこれらに限定されない）多くの経路により投与できる。経口投与用医薬組成物は、当分野で既知の製薬的に許容し得る担体を用いて経口投与に適した用量に調合できる。このような担体により、該医薬組成物を、患者が内服するための錠剤、丸剤、糖衣剤、カプセル剤、液体、ゲル、シロップ剤、スラリー剤、懸濁剤などに調合できる。
【０１２３】
経口使用のための医薬製剤は、活性化合物を、固体賦形剤と合し、得られた混合物を所望により粉砕し、そしてこの顆粒混合物を、所望ならば適当な補助物質を加えた後に処理して錠剤または糖衣剤核を得る。好適な賦形剤は炭水化物またはタンパク質増量剤、例えば乳糖、シュクロース、マンニトール、またはソルビトールを包含する糖；トウモロコシ、小麦、米、馬鈴薯、またはその他の植物由来の澱粉；セルロース、例えばメチルセルロース、ヒドロキシプロピルメチルセルロース、またはカルボキシメチルセルロースナトリウム；アラビアゴムおよびトラガカントゴムを包含するゴム；ならびにゼラチンおよびコラーゲンのようなタンパク質である。所望により崩壊剤または可溶化剤、例えば架橋ポリビニルピロリドン、寒天、アルギン酸、またはその塩、例えばアルギン酸ナトリウムを添加できる。
【０１２４】
糖衣剤核は、濃縮糖溶液のような適当な被覆剤と共に使用でき、これはさらに、アラビアゴム、タルク、ポリビニルピロリドン、ｃａｒｂｏｐｏｌゲル、ポリエチレングリコール、および／または二酸化チタン、ラッカー溶液、および適当な有機溶媒または溶媒混合物を含むことができる。製品の同定のためまたは活性化合物の量、即ち用量をあらわすために染料または色素を錠剤または糖衣被覆剤に添加できる。
【０１２５】
経口的に使用できる医薬調合物は、ゼラチン製の押してはめ込むカプセル剤、ならびに、ゼラチンおよび被覆剤、例えばグリセロールまたはソルビトールでできた軟封入カプセル剤を包含する。押してはめ込むカプセル剤は、活性成分を、乳糖または澱粉のような増量剤または結合剤、タルクまたはステアリン酸マグネシウムのような潤滑剤、および所望により安定剤と混合して含有できる。軟カプセル剤では、活性化合物を、安定剤を加えたまたは加えない適当な液体、例えば脂肪油、液体、または液体ポリエチレングリコールに溶解または懸濁できる。
【０１２６】
非経口投与に好適な医薬製剤は、水溶液、好ましくは生理学的適合性の緩衝液、例えばハンクス溶液、リンゲル溶液、または生理学的に緩衝化した食塩水中で調合できる。水性注射用懸濁剤は、該懸濁液の粘度を増加させる物質、例えばカルボキシメチルセルロースナトリウム、ソルビトール、またはデキストランを含有できる。さらに、活性化合物の懸濁剤は適当な油性注射用懸濁剤として調製できる。好適な親油性溶媒または媒質は、胡麻油のような脂肪油、またはオレイン酸エチルまたはトリグリセリドのような合成脂肪酸エステル、またはリポソームを包含する。非脂質ポリカチオンアミノポリマーもまた送達に使用できる。所望により懸濁剤は、化合物の溶解性を増し高濃縮溶液の調製を可能にするような適当な安定剤または物質を含むことができる。局所または鼻腔投与のためには、透過すべき特定の障壁に対し適当な浸透剤を製剤に使用する。このような浸透剤は当分野で一般に知られている。
【０１２７】
本発明に係る医薬組成物は当分野で既知の方法で、例えば常套的混合、溶解、顆粒化、糖衣剤製造、すりつぶし、乳化、カプセル化、捕捉、または凍結乾燥プロセスによって製造できる。この医薬組成物は塩として提供でき、塩酸、硫酸、酢酸、乳酸、クエン酸、リンゴ酸、琥珀酸などを包含する（但しこれらに限定されない）多くの酸を用いて調製できる。塩は、水性または他のプロトン性溶媒において、対応する遊離塩基型よりもより可溶性の傾向がある。別の場合には、好ましい調製物は、ｐＨ範囲４．５から５．５において以下のもの：１−５０ｍＭヒスチジン、０．１％−２％シュクロース、および２−７％マンニトール、の全てまたは任意のものを含有できる凍結乾燥粉末であってよく、これを使用前に緩衝液と合する。
【０１２８】
調合と投与のための技術のさらなる詳細は、ＲＥＭＩＮＧＴＯＮ’Ｓ ＰＨＡＲＭＡＣＥＵＴＩＣＡＬ ＳＣＩＥＮＣＥＳ（Ｍａａｃｋ Ｐｕｂｌｉｓｈｉｎｇ Ｃｏ．， Ｅａｓｔｏｎ， Ｐａ）の最新版に見出すことができる。医薬組成物を製造した後、これらを適当な容器に入れ、適応状態の治療のためにラベルを貼る。このようなラベル表示は、投与の量、頻度、および投与方法を包含する。
【０１２９】
治療上の適応および方法
ヒトＰＩ−ＰＬＣ様酵素を調節して、癌を処置することができる。癌は、基本的に発癌性細胞形質転換によって発症する疾患である。形質転換細胞をそれらの正常な対応物から区別し、かつ癌の病態生理に基づく、形質転換細胞の特徴は幾つかある。それらには、非制御型細胞性増殖、通常の死誘導シグナルに対する不応答（不死化）、増大した細胞運動性及び侵襲性、新たな血管新生の誘導を通じた血液供給を補充させるための増大した能力（血管新生）、遺伝子の不安定性、並びに調節不全遺伝子発現が挙げられる。薬剤耐性の獲得とともに、これらの異常な生理機能の種々の組み合わせににより、最終的に臓器不全および患者の死となる難治性疾患状態に頻繁に陥る。
【０１３０】
最も一般的な癌治療は、細胞増殖を標的とし、形質転換細胞と正常細胞との間の効率に関するその特異な増殖能に基づいている。このアプローチは、幾つかの重要な正常細胞タイプもまた高増殖であり、かつ癌細胞が高頻度にこれらの物質に対して耐性となるという現実により妨げられている。従って、従来の抗癌治療についての治療指数は珍しく２．０を超えている。
【０１３１】
ゲノミクス誘導性分子の標的同定の到来は、癌患者に安全で、かつより効率的な処置を提供できる治療介入のための新たな癌特異的標的同定の可能性を開いた。従って、新たに発見される腫瘍関連遺伝子及びその産物は疾患におけるその機能（群）について試験でき、そして革新的な治療を発見し、かつ開発するための道具として用いることができる。以上に概説した生理学的プロセスの多くに重要な働きをする遺伝子は、癌標的として特徴付けることができる。
【０１３２】
ゲノミクスを通じて同定される遺伝子又は遺伝子断片は、すぐに１つ又はそれ以上の非相同（ヘテローガス）発現系において発現させ、機能性組換えタンパク質を生産させることができる。このタンパク質は、その生物学的機能についてインビトロで特徴付けられ、次いでその生化学活性の化学修飾因子（モジュレーター）を同定するため、ハイスループット分子スクリーニングプログラムにおける道具として用いられる。標的タンパク質活性の活性化物質及び／又は阻害物質をこの様式で同定し、次いで、細胞およびインビボ疾患モデルにて抗癌活性について試験する。生物学的モデルにおける反復試験や、詳細な薬物動態力学的分析及び中毒学的分析を用いたリード化合物の最適化により、薬物開発及び次のヒトでの試験に関する基礎が形成される。
【０１３３】
また、ヒトＰＩ−ＰＬＣ様酵素を調節して、ＣＮＳ疾患及び慢性閉塞性肺疾患を処置することができる。処置できるＣＮＳ障害には、脳損傷、脳血管疾患及びそららの予後、パーキンソン病、皮質基底核変性症、運動ニューロン疾患、痴呆（ＡＬＳ、多発性硬化症、外傷性脳損傷、脳卒中、脳卒中後、外傷後脳損傷および小血管性脳血管疾患を含む）が挙げられる。また、痴呆症、例えばアルツハイマー病、血管性痴呆、レビ小体痴呆、前頭側頭骨痴呆、及び第１７染色体に関連したパーキンソニズム、前頭側頭骨痴呆症（ピック病、進行性核麻痺（ｐｒｏｇｒｅｓｓｉｖｅ ｎｕｃｌｅａｒ ｐａｌｓｙ）、皮質基底核変性症、ハンチントン病、視床退縮（ｔｈａｌａｍｉｃ ｄｅｇｅｎｅｒａｔｉｏｎ）、クロイツフェルト−ヤコブ病、ＨＩＶ性痴呆症、痴呆症を伴う統合失調症、及びコルサコフ精神病を含む）を処置できる。同様に、認知関連障害、例えば穏和な認知障害、加齢関連性記憶障害、加齢関係性認知減退、血管性認知障害、注意欠陥障害、注意欠陥多動性障害、及び学習障害を患った子供の記憶障害を、ヒトＰＩ−ＰＬＣ様酵素の活性を調節することによって処置できる。
【０１３４】
ＣＮＳ障害に関連する疼痛もまた、ヒトホスファチジルイノシトール特異的ホスホリパーゼＣ様酵素の活性を調節することによって処置できる。処置できる疼痛には、中枢神経系障害と関連するもの、例えば多発性硬化症、脊髄損傷、坐骨神経痛、失敗した腰部手術（ｆａｉｌｅｄ ｂａｃｋ ｓｕｒｇｅｒｙ）症候群、外傷性脳損傷、癲癇、パーキンソン病、脳卒中後、及び脳や脊髄における血管破壊（例えば、梗塞、出血、血管新生異常）が挙げられる。非中枢神経因性疼痛には、乳房切除術後疼痛、反射性交感神経性ジストロフィー（ＲＤＳ）、三叉神経痛ラジオキュロパシー（ｔｒｉｇｅｍｉｎａｌ ｎｅｕｒａｌｇｉａｒａｄｉｏ−ｃｕｌｏｐａｔｈｙ）、術後の疼痛、ＨＩＶ／ＡＩＤＳ関連疼痛、癌疼痛、代謝神経痛（例えば、糖尿病性神経障害、結合組織疾患に対する第２の血管炎神経障害）、例えば肺癌種、白血病、リンパ腫、前立腺、大腸若しくは胃癌種、三叉神経痛及び疱疹後神経痛と関連する腫瘍随伴性多発神経障害が挙げられる。癌及び癌処置と関連する疼痛もまた処置でき、頭痛（例えば前兆を伴う片頭痛、前兆を伴わない片頭痛、および他の片頭痛障害）、偶発性及び慢性緊張性頭痛、緊張型様頭痛、群発性頭痛や慢性発作性片頭痛も処置できる。
【０１３５】
また、ヒトホスファチジルイノシトール特異的ホスホリパーゼＣ様酵素を調節して、ＣＯＰＤも処置できる。慢性閉塞性肺（又は気道）疾患（ＣＯＰＤ）は、慢性気管支炎による肺気腫及び末梢気道閉塞の併発が一般的な原因である、気流閉塞として生理的に定義される状態である（Ｓｅｎｉｏｒ＆Ｓｈａｐｉｒｏ， Ｐｕｌｍｏｎａｒｙ Ｄｉｓｅａｓｅｓ ａｎｄ Ｄｉｓｏｒｄｅｒｓ， ３ｄ ｅｄ．， Ｎｅｗ Ｙｏｒｋ， ＭｃＧｒａｗ−Ｈｉｌｌ， １９９８， ｐｐ． ６５９−６８１，１９９８； Ｂａｒｎｅｓ， Ｃｈｅｓｔ １１７， １０Ｓ−１４Ｓ， ２０００）。肺気腫は、肺空気間隙の異常な拡張を引き起こす肺胞壁の破壊によって特徴付けられる。慢性気管支炎は、連続２年間それぞれに３ヶ月間の慢性多産咳（ｃｈｒｏｎｉｃ ｐｒｏｄｕｃｔｉｖｅ ｃｏｕｇｈ）が見られるというように臨床的に定義される。ＣＯＰＤにおいては、気流閉塞は通常進行性であり、希に好転することがある。ＣＯＰＤの発症において、タバコの喫煙はかなり重要な危険因子であるが、この疾患は非喫煙者にも発症する。
【０１３６】
気道の慢性炎症は、ＣＯＰＤの鍵となる病態的特徴である（Ｓｅｎｉｏｒ＆Ｓｈａｐｉｒｏ， １９９８）。炎症細胞群には、増加した数の貪食細胞、好中球およびＣＤ＋８リンパ球が含まれる。吸引した刺激物、例えばタバコの煙が、気道に常在する貪食細胞を活性化し、同様にケモカイン（例えば、インターロイキン−８）及び他の走化因子を放出することになる上皮細胞を活性化する。これらの走化因子が作用して、血液から肺組織及び気道へ輸送する好中球／単球を増加させる。気道に補充された好中球及び単球が、ダメージを与える可能性のある種々の媒介物、例えばタンパク質分解酵素や活性酸素種を放出し得る。マトリックス分解、並びに気道壁の肥大化、界面活性剤機能障害及び粘液過分泌を伴う肺気腫、これら全てが障害性気流及びガス交換を引き起こす炎症性応答となる可能性がある後遺症である。
【０１３７】
ＰＩ−ＰＬＣアイソザイムは、Ｇタンパク共役受容体の占有に応じて細胞の活性化を引き起こす形質導入機構の決定的な化合物である。Ｊｉａｎｇら、Ｐｒｏｃ． Ｎａｔｌ． Ａｃａｄ． Ｓｃｉ． ９４， ７９７１−７５，１９９７； Ｓｔｅｒｎｗｅｉｓ＆Ｓｍｒｃｋａ， Ｃｉｂａ Ｆｏｕｎｄ． Ｓｙｍｐ． １７６， ９６−１１，１９９３を参照のこと。特異的なＰＬＣアイソザイムによるリン脂質を含有する膜イノシトールの加水分解により、カルシウム放出セカンドメッセンジャー（例えば、イノシトール１，４，５−トリスホスフェート）として作用することができるイノシトールホスフェート、及びプロテインキナーゼＣ、ジアシルグリセロールが生産される。
【０１３８】
近年、ＰＬＣはｂ、ｇ及びｄファミリーに分類されている。これらのファミリー内のサブタイプは同定されている。例えば、ｂファミリーは４つのサブタイプから成る。これらは、これらのアイソザイムが異なる組織に分布するという明らかな証拠があり、重要なことにはＧタンパクサブユニットによる特異な活性化がある。ＰＬＣ ｂ−２遺伝子を欠失するノックアウトマウスにおける炎症応答の研究は、炎症応答の特定の特徴を選択的に抑止することを示している。従って、ＰＩ−ＰＬＣサブタイプは、ＣＯＰＤにおける炎症応答を抑制するための興味深い治療標的である。
【０１３９】
本発明は、上記のスクリーニング検定によって同定される新規物質の使用にさらに関する。従って、本明細書に記載するように同定される被験化合物を適当な動物モデルに使用することは、本発明の範囲内にある。例えば、本明細書に記載するように同定される物質（例えば、調整物質、アンチセンス核酸分子、特異的な抗体、リボザイム又はＰＩ−ＰＬＣ様酵素ポリペプチド結合分子）を、そのような物質を用いた処置の効果、毒性又は副作用を決定するために、動物モデルに用いることがある。あるいは、本明細書に記載するように同定された物質を、該物質の作用機構を決定するために、動物モデルに使用する場合がある。さらに、本発明は、本明細書に記載の処置に対する上記スクリーニング検定によって同定される新規物質の使用に関する。
【０１４０】
ＰＩ−ＰＬＣ様酵素活性に影響を及ぼす試薬を、ＰＩ−ＰＬＣ様酵素活性を低下させるために、インビトロ又はインビボのいずれかにおいてヒト細胞に投与することができる。試薬は、ヒトＰＩ−ＰＬＣ様酵素遺伝子の発現産物と結合することが好ましい。その発現産物がタンパク質である場合、試薬は抗体であることが好ましい。エックスビボにおけるヒト細胞の処置については、抗体を、人体から取り出しておいた幹細胞の調製物に添加することができる。その後、その細胞を、当分野で周知のように、クローン増殖させるか、又はさせずに同じ又は別の人体に移すことができる。
【０１４１】
１つの態様においては、試薬を、リポソームを用いて送達する。リポソームは、投与した動物中にて、少なくとも約３０分間、より好ましくは少なくとも約１時間、さらにより好ましくは少なくとも約２４時間安定であることが好ましい。リポソームは、試薬、特にポリヌクレオチドを、動物（例えばヒト）の特定の部位に標的化することができる脂質組成物を含む。リポソームの脂質組成物は、動物の特有の器官、例えば肺、肝臓、脾臓、心臓、脳、リンパ節及び皮膚を標的化できることが好ましい。
【０１４２】
本発明に有用なリポソームは、標的化した細胞の原形質膜と融合でき、その内容物を細胞に送達できる脂質組成物を含む。好ましくは、リポソームのトランスフェクション効率は約１０６細胞に送達されるリポソーム１６ｎｍｏｌ当たりＤＮＡ約０．５μｇであり、より好ましくは約１０６細胞に送達されるリポソーム１６ｎｍｏｌ当たりＤＮＡ約１．０μｇであり、さらにより好ましくは約１０６細胞に送達されるリポソーム１６ｎｍｏｌ当たりＤＮＡ約２．０μｇである。好ましくは、リポソームは直径が、約１００〜５００ｎｍであり、より好ましくは約１５０〜４５０ｎｍであり、さらにより好ましくは約２００〜４００ｎｍである。
【０１４３】
本発明に用いるに適したリポソームは、例えば当業者に知られる遺伝子送達法に標準的に用いられるリポソームを含む。より好ましいリポソームは、ポリカチオン脂質組成物を有するリポソームおよび／またはポリエチレングリコールと連結されたコレステロールバックボーン（骨格鎖）を有するリポソームを含む。あるいは、リポソームは特定の細胞タイプを標的化できる化合物、例えばリポソームの外側表面に曝される細胞特異的リガンドを包含する。
【０１４４】
リポソームを、試薬、例えばアンチセンスオリゴヌクレオチドまたはリボザイムと複合化させることは、当分野で標準的な方法 （例えば、米国特許５，７０５，１５１を参照のこと） を用いて達成することができる。好ましくは、ポリヌクレオチド約０．１μｇ〜約１０μｇをリポソーム約８ｎｍｏｌと複合化する、より好ましくはポリヌクレオチド約０．５μｇ〜約５μｇをリポソーム約８ｎｍｏｌと複合化する、さらにより好ましくはポリヌクレオチド約１０μｇをリポソーム約８ｎｍｏｌと複合化する。
【０１４５】
別の態様においては、抗体を、受容体媒介性標的化送達を用いて、インビボにて特定の組織に送達することができる。受容体媒介性ＤＮＡ送達技術は、例えばＦｉｎｄｅｉｓら、Ｔｒｅｎｄｓ ｉｎ Ｂｉｏｔｅｃｈｎｏｌ． １１， ２０２−０５ （１９９３）； Ｃｈｉｏｕら、ＧＥＮＥ ＴＨＥＲＡＰＥＵＴＩＣＳ： ＭＥＴＨＯＤＳ ＡＮＤ ＡＰＰＬＩＣＡＴＩＯＮＳ ＯＦ ＤＩＲＥＣＴ ＧＥＮＥ ＴＲＡＮＳＦＥＲ （Ｊ． Ａ． Ｗｏｌｆｆら、） （１９９４）； Ｗｕ ＆ Ｗｕ， Ｊ． Ｂｉｏｌ． Ｃｈｅｍ． ２６３， ６２１−２４ （１９８８）； Ｗｕら、Ｊ． Ｂｉｏｌ． Ｃｈｅｍ． ２６９， ５４２−４６ （１９９４）； Ｚｅｎｋｅら、Ｐｒｏｃ． Ｎａｔｌ． Ａｃａｄ． Ｓｃｉ． Ｕ．Ｓ．Ａ． ８７， ３６５５−５９ （１９９０）； Ｗｕら、Ｊ． Ｂｉｏｌ． Ｃｈｅｍ． ２６６， ３３８−４２ （１９９１） にて教示されている。
【０１４６】
治療的有効量の決定
治療的有効量の決定は、充分当業者の能力の範囲内にある。治療的有効量とは、治療的有効量の不在下で起こるＰＩ−ＰＬＣ様酵素活性に比較してＰＩ−ＰＬＣ様酵素活性を増大させまたは低下させる活性成分の量を指す。
【０１４７】
いかなる化合物に関しても、治療的有効量は最初に細胞培養検定で、または動物モデル、通常マウス、ウサギ、イヌ、またはブタで見積もることができる。動物モデルは適当な濃度範囲および投与経路の決定にも使用できる。次にこのような情報を用いて人間での有用な用量と投与経路を決定できる。
【０１４８】
治療的有効性および毒性、例えばＥＤ５０（集団の５０％で治療的に有効な用量）およびＬＤ５０（集団の５０％で致死的な用量）は、細胞培養または実験動物における標準的薬学的方法により決定できる。治療効果に対する毒性効果の用量比が治療指数であり、比ＬＤ５０／ＥＤ５０で表すことができる。
【０１４９】
大きな治療指数を示す医薬組成物が好ましい。細胞培養検定および動物研究から得られるデータを、人間への使用のための用量範囲を処方する際に使用する。かかる組成物に含まれる用量は、好ましくは殆どまたは全く毒性を持たないＥＤ５０を包含する循環濃度の範囲内である。この用量は、使用する用量型、患者の感受性、および投与経路に応じてこの範囲内で変わる。
【０１５０】
正確な用量は、治療を必要とする対象に関連する因子に照らして医師が決定する。用量および投与は、充分なレベルの活性成分を提供するよう、または所望の効果を維持するよう、調節する。考慮できる因子は、疾病状態の重篤度、対象の全身健康状態、年齢、体重、および対象の性別、食餌、投与の時間および頻度、薬物の組み合わせ、反応の感受性、および療法に対する寛容／応答を包含する。長時間作用性医薬組成物は、その製剤の半減期およびクリアランス率に応じて３から４日毎、毎週、または２週間に１回投与することができる。
【０１５１】
標準的な用量は投与経路に応じて０．１から１０００００マイクログラムまで変えることができ、約１ｇまでの総用量とすることができる。特定の用量および送達方法についての指針は文献に提供されており、一般に当分野の医師が入手できる。当業者は、ヌクレオチド用にはタンパク質またはそれらの阻害物質用のものとは異なる製剤を使用するであろう。同様に、ポリヌクレオチドまたはポリペプチドの送達は特定の細胞、状態、場所などに特異的である。
【０１５２】
この試薬が一本鎖抗体である場合、この抗体をコードしているポリヌクレオチドを組み立て、トランスフェリン−ポリカチオン−媒介ＤＮＡ転移、裸のまたはカプセル内核酸を用いるトランスフェクション、リポソームの媒介する細胞融合、ＤＮＡ被覆ラテックスビーズの細胞内輸送、プロトプラスト融合、ウイルス感染、電気穿孔、「遺伝子銃」、およびＤＥＡＥ−または燐酸カルシウム−媒介トランスフェクションを包含する（但しこれらに限定される訳ではない）充分確立した技術を用いて、ｅｘ ｖｉｖｏまたはインビボで細胞内に導入できる。
【０１５３】
抗体の有効なインビボ用量は、約５μｇから約５０μｇ／ｋｇ、約５０μｇから約５ｍｇ／ｋｇ、約１００μｇから約５００μｇ／ｋｇ（患者の体重）、および約２００から約２５０μｇ／ｋｇ（患者の体重）の範囲である。一本鎖抗体をコードしているポリヌクレオチドの投与のためには、有効なインビボ用量は、約１００ｎｇから約２００ｎｇ、５００ｎｇから約５０ｍｇ、約１μｇから約２ｍｇ、約５μｇから約５００μｇ、および約２０μｇから約１００μｇのＤＮＡの範囲である。
【０１５４】
発現産物がｍＲＮＡである場合、試薬は好ましくはアンチセンスオリゴヌクレオチドまたはリボザイムである。アンチセンスオリゴヌクレオチドまたはリボザイムを発現するポリヌクレオチドは、上記のように多岐にわたる方法によって細胞中に導入できる。
【０１５５】
好ましくは、試薬は、ＰＩ−ＰＬＣ様酵素遺伝子の発現またはＰＩ−ＰＬＣ様酵素ポリペプチドの活性を、該試薬の不在時と比較して少なくとも約１０、好ましくは約５０、より好ましくは約７５、９０、または１００％低下させる。ＰＩ−ＰＬＣ様酵素遺伝子の発現レベルまたはＰＩ−ＰＬＣ様酵素ポリペプチドの活性を低下させるよう選択した機構の有効性は、当分野で周知の方法、例えばＰＩ−ＰＬＣ様酵素特異的ｍＲＮＡへのヌクレオチドプローブのハイブリダイゼーション、定量的ＲＴ−ＰＣＲ、ＰＩ−ＰＬＣ様酵素ポリペプチドの免疫学的検出、またはＰＩ−ＰＬＣ様酵素活性の測定を用いて評価できる。
【０１５６】
上記のいずれの態様においても、本発明に係る任意の医薬組成物は他の適当な治療薬と組み合わせて投与できる。併用療法に使用するための適当な物質の選択は、常套的製薬原理に従い、当業者により実施することができる。治療薬の組み合わせは、相乗的に働いて、上記の様々な疾患の治療または予防を奏効させる。このアプローチを用いて、より低い各物質の用量で治療効果を達成することができ、したがって有害な副作用の可能性を低減することができる。
【０１５７】
上記の治療方法のいずれも、例えばイヌ、ネコ、ウシ、ウマ、ウサギ、サル、および最も好ましくはヒトといった哺乳動物を包含する、このような治療を必要とする任意の対象に適用することができる。
【０１５８】
診断方法
ヒトＰＩ−ＰＬＣ様酵素はさらに、この酵素をコードしている核酸配列における突然変異の存在に関連する疾病および異常、または疾病および異常に対する感受性を検出する診断検定に使用できる。例えば、疾患に罹患している個体と正常な個体とにおけるＰＩ−ＰＬＣ様酵素をコードするｃＤＮＡまたはゲノム配列の間の差異を決定できる。もし、罹患している個体の幾つかまたは全てに突然変異が観察され、正常な個体で観察されないならば、その突然変異がその疾患の原因物質である可能性がある。
【０１５９】
レファレンス遺伝子および突然変異を有する遺伝子の間の配列相違は、直接ＤＮＡ配列決定法によって明らかにできる。加えて、クローニングしたＤＮＡセグメントを、特定のＤＮＡセグメントを検出するためのプローブとして使用できる。この方法の感受性はＰＣＲと組み合わせる時極めて増強される。例えば、二本鎖ＰＣＲ産物または修飾ＰＣＲにより調製された一本鎖テンプレート分子と共に、配列決定プライマーを使用することができる。配列決定は、放射標識したヌクレオチドを用いる常套的方法によって、または蛍光標識を使用する自動配列決定法によって実施する。
【０１６０】
ＤＮＡ配列相違に基づく遺伝子試験は、変性させる物質を含むまたは含まないゲル中のＤＮＡ断片の電気泳動移動度の変化を検出することにより実施できる。小配列の欠失および挿入は、例えば高分解能ゲル電気泳動によって視覚化できる。異なる配列のＤＮＡ断片は変性させるホルムアミド勾配ゲル上で識別でき、ここでは、異なるＤＮＡ断片の移動度が、それらの特異的融解温度または部分的融解温度に従って、ゲル中の異なる位置で遅延する（例えば、Ｍｙｅｒｓら、Ｓｃｉｅｎｃｅ ２３０，１２４２，１９８５を参照されたい）。特定の位置での配列改変もまたヌクレアーゼ保護検定、例えばＲＮアーゼおよびＳ１保護または化学的開裂法によって明らかにすることができる（例えば、Ｃｏｔｔｏｎら、Ｐｒｏｃ．Ｎａｔｌ．Ａｃａｄ．Ｓｃｉ．ＵＳＡ ８５，４３９７−４４０１，１９８５）。即ち特異的ＤＮＡ配列の検出は、ハイブリダイゼーション、ＲＮアーゼ保護、化学的開裂、直接ＤＮＡ配列決定といった方法によって、または制限酵素とゲノムＤＮＡのサザンブロッティングを使用することによって実施できる。ゲル電気泳動およびＤＮＡ配列決定のような直接法に加えて、突然変異はｉｎ ｓｉｔｕ分析により検出することもできる。
【０１６１】
ＰＩ−ＰＬＣ様酵素レベルの変化もまた種々の組織で検出できる。血液または組織生検のように、宿主から誘導した身体試料中のタンパク質ポリペプチドのレベルを検出するために用いる検定は、当業者に周知であり、ラジオイムノアッセイ、競合的結合検定、ウェスタンブロット分析、およびＥＬＩＳＡ検定を包含する。
【０１６２】
本明細書に引用する全ての特許および特許出願は、引用により特に本明細書の一部とする。上記の内容は本発明を一般的に記載するものである。より完全な理解は以下の具体的実施例を参照することによって得られ、それらの実施例は例示のみの目的で提供するものであり、本発明の範囲を限定する意図は無い。
【０１６３】
実施例１
ＰＩ−ＰＬＣ様酵素活性の検出
配列番号１に記載のポリヌクレオチドを発現ベクターｐＣＥＶ４中に挿入し、得られたｐＣＥＶ４−ＰＩ−ＰＬＣ様酵素ポリペプチド発現ベクターを、ヒト胚腎臓２９３細胞中にトランスフェクトする。この細胞から抽出物を得て、ホスファチジルイノシトール加水分解活性を、１０ｍＭ ヘペス（Ｈｅｐｅｓ）、ｐＨ ７．０、１０ｍＭ ＮａＣｌ、４ｍＭ ＭｇＳＯ４、１００ｍＭ ＫＣｌ、０．１％ デオキシコレート、５０μＭ 細胞抽出物、２５，０００ｄｐｍの［３Ｈ］細胞抽出物を含有する２５０μＭ ＰＥ、２ｍＭ ＥＧＴＡの存在下１０μＭ 遊離Ｃａ＋＋を含む混合物、全量１００μｌ中にて３７℃で１０分間インキュベートすることにより測定する。クロロホルム、メタノール、０．１Ｍ ＨＣｌ（２００：１００：０．６）５００μｌを加え、次いで１Ｎ ＨＣｌ、５ｍＭ ＥＧＴＡを１５０μｌさらに加え、この反応を停止させる。上水相の一部０．２ｍｌを放射活性測定のために取り出す。遊離カルシウム濃度を算出する。配列番号２のポリペプチドがホスホリパーゼＣ様酵素活性を有することが示される。
【０１６４】
実施例２
組換えヒトＰＩ−ＰＬＣ様酵素の発現
ピキア パストリス（Ｐｉｃｈｉａ ｐａｓｔｏｒｉｓ）発現ベクターｐＰＩＣＺＢ（Ｉｎｖｉｔｒｏｇｅｎ， Ｓａｎ Ｄｉｅｇｏ， ＣＡ） を用いて、大量の組換えヒトＰＩ−ＰＬＣ様酵素ポリペプチドを酵母中に生産させる。ＰＩ−ＰＬＣ様酵素コード化ＤＮＡ配列は配列番号１から誘導する。ベクターｐＰＩＣＺＢ中に挿入する前に、ＤＮＡ配列を、その５’端に開始コドン、及び３’端にエンテロキナーゼ開列部位、Ｈｉｓ６レポータータグや終止コドンを含ませるといった周知の方法によって修飾する。さらに、その両末端に制限エンドヌクレアーゼの認識配列を加え、対応する制限酵素を用いてｐＰＩＣＺＢのマルチクローニングサイトを消化した後に、修飾したＤＮＡ配列をｐＰＩＣＺＢ中にライゲートする。この発現ベクターは、ピキア パストリスにて酵母プロモーターにより誘導される誘導性発現用に設計する。得られたｐＰＩＣＺ／ｍｄ−Ｈｉｓ６ベクターを用いて、酵母を形質転換する。
【０１６５】
この酵母を、５リッター攪拌フラスコ中で通常の条件下にて培養し、組換え産物タンパク質を、８Ｍウレアの存在下で親和性クロマトグラフィー（Ｎｉ−ＮＴＡ−樹脂）により培養物から単離する。結合したポリペプチドを、ｐＨ３．５の緩衝液を用いて溶出し、中性化する。Ｈｉｓ６レポータータグからのポリペプチドの分離は、製造元の指示に従い、エンテロキナーゼ（Ｉｎｖｉｔｒｏｇｅｎ， Ｓａｎ Ｄｉｅｇｏ， ＣＡ）を用いる部位特異的タンパク質分解により行なう。精製ヒトＰＩ−ＰＬＣ様酵素ポリペプチドを得る。
【０１６６】
実施例３
ＰＩ−ＰＬＣ様酵素ポリペプチドと結合する被験化合物の同定
グルタチオン−Ｓ−トランスフェラーゼタンパク質を含み９６ウェル マイクロタイタープレートのグルタチオン誘導化ウェルに吸着した精製ＰＩ−ＰＬＣ様酵素ポリペプチドを、生理緩衝溶液ｐＨ７．０の小分子ライブラリー由来の被験化合物と接触させる。ヒトＰＩ−ＰＬＣ様酵素ポリペプチドは、配列番号２に示すアミノ酸配列を含む。被験化合物は蛍光標識を含む。この試料を５分間〜１時間インキュベートする。コントロール試料は、被験化合物の非存在下にてインキュベートする。
【０１６７】
被験化合物を含む緩衝液を、ウェルから洗い出す。ＰＩ−ＰＬＣ様酵素ポリペプチドに対する被験化合物の結合を、ウェルの内容物の蛍光測定により検出する。被験化合物をインキュベートしていないウェルの蛍光と比較して少なくとも１５％ウェル中の蛍光を増大させる被験化合物を、ＰＩ−ＰＬＣ様酵素ポリペプチドと結合する化合物と同定する。
【０１６８】
実施例４
ＰＩ−ＰＬＣ様酵素遺伝子発現を低下させる被験化合物の同定
被験化合物を、ＰＩ−ＰＬＣ様酵素発現構築物を用いてトランスフェクトしたヒト細胞培養に投与し、３７℃で１０〜４５分間、インキュベートする。トランスフェクトしていない同じタイプの細胞培養を、被験化合物を加えず同じ時間インキュベートし、ネガティブコントロールとする。
【０１６９】
ＲＮＡを、Ｃｈｉｒｇｗｉｎら、Ｂｉｏｃｈｅｍ． １８， ５２９４−９９，１９７９に記載のように２つの培養物から単離する。ノーザンブロットを全ＲＮＡ２０〜３０μｇを用いて調製し、エクスプレスハイブ（Ｅｘｐｒｅｓｓｈｙｂ）（ＣＬＯＮＴＥＣＨ）にて６５℃で、３２Ｐ−標識化ＰＩ−ＰＬＣ様酵素特異的プローブを用いてハイブリダイズさせる。このプローブは配列番号１より選ばれる少なくとも１１個の連続ヌクレオチドを包含する。被験化合物の非存在下にて得られるシグナルと比較してＰＩ−ＰＬＣ様酵素特異的シグナルを低下させる被験化合物を、ＰＩ−ＰＬＣ様酵素遺伝子発現の阻害物質として同定する。
【０１７０】
実施例５
ＰＩ−ＰＬＣ様酵素遺伝子活性を低下させる被験化合物の同定
被験化合物を、ＰＩ−ＰＬＣ様酵素発現構築物を用いてトランスフェクトしたヒト細胞培養に投与し、３７℃で１０〜４５分間、インキュベートする。トランスフェクトしていない同じタイプの細胞培養を、被験化合物を加えず同じ時間インキュベートし、ネガティブコントロールとする。
【０１７１】
ホスホリパーゼＣ活性は、当分野で知られている検定（例えば、Ｍｕｌｌｉｎａｘら、Ｊ Ｂｉｏｍｏｌ． Ｓｃｒｅｅｎ． ４， １５１−５５，１９９９； Ｌｉｔｏｓｃｈ， Ｂｉｏｃｈｅｍｉｓｔｒｙ ３９， ７７３６−４３，２０００）を用いて測定することができる。被験化合物の非存在下のホスホリパーゼＣ活性と比較してＰＩ−ＰＬＣ様酵素のホスホリパーゼＣ活性を低下させる被験化合物を、ＰＩ−ＰＬＣ様酵素活性の阻害物質として同定する。
【０１７２】
実施例６
ＰＩ−ＰＬＣ様酵素遺伝子産物と特異的に結合する試薬を用いた癌の処置
配列番号１より選択される少なくとも１１個の連続ヌクレオチドを含むアンチセンスＰＩ−ＰＬＣ様酵素オリゴヌクレオチドの合成は、ホスホラミダイト手順を用いるファルマシア ジーン アセンブリー シリーズ シンセサイザー（Ｐｈａｒｍａｃｉａ Ｇｅｎｅ Ａｓｓｅｍｂｌｅｒ ｓｅｒｉｅｓ ｓｙｎｔｈｅｓｉｚｅｒ）にて実施する（Ｕｈｌｍａｎｎら、Ｃｈｅｍ． Ｒｅｖ． ９０， ５３４−８３， １９９０を参照のこと）。アセンブリーおよび脱保護に続き、オリゴヌクレオチドを２度エタノール沈殿させ、乾燥させ、そしてリン酸緩衝生理食塩水（ＰＢＳ）中に所望の濃度に懸濁する。これらのオリゴヌクレオチドの純度は、キャピラリーゲル電気泳動及びイオン交換ＨＰＬＣにより試験する。オリゴヌクレオチド調製のエンドトキシンレベルは、リムルスアメーバ様検定（Ｌｉｍｕｌｕｓ Ａｍｅｂｏｃｙｔｅ Ａｓｓａｙ）（Ｂａｎｇ， Ｂｉｏｌ． Ｂｕｌｌ． （Ｗｏｏｄｓ Ｈｏｌｅ， Ｍａｓｓ．） １０５， ３６１−３６２， １９５３） を用いて決定する。
【０１７３】
アンチセンスオリゴヌクレオチドを、癌を患っている患者の腫瘍に直接投与する。患者の腫瘍の大きさを減少させる。
【０１７４】
実施例７
増殖阻害検定：アンチセンスオリゴヌクレオチドは癌細胞系の増殖を抑制する
試験に用いられる細胞系はヒト大腸癌細胞系ＨＣＴ１１６である。細胞は、１０〜１５％胎児ウシ血清を含むＰＲＭＩ−１６４０中、濃度１０，０００細胞／ｍｌ ０．５ｍｌ量にて３７℃、９５％空気／５％ＣＯ２雰囲気下で培養する。
【０１７５】
ホスホロチオネート オリゴリボヌクレオチドは、ホスホロアミデイト（ｐｈｏｓｐｈｏｒｏａｍｉｄｉｔｅ）ケミストリーを用いる応用バイオシステム モデル３８０Ｂ ＤＮＡシンセサイザーにおいて合成する。配列番号１の１〜２４位置のヌクレオチドと相補的な２４塩基の配列を、被験オリゴヌクレオチドとして用いる。コントロールとして、他の（ランダム）配列：５’−ＴＣＡ ＡＣＴ ＧＡＣ ＴＡＧ ＡＴＧ ＴＡＣ ＡＴＧ ＧＡＣ−３’を用いる。アセンブリーと脱保護に次いで、オリゴヌクレオチドを、エタノール沈殿２回、乾燥、そしてリン酸緩衝液中に所望の濃度に懸濁する。オリゴヌクレオチドの純度は、キャピラリーゲル電気泳動及びイオン交換ＨＰＬＣによって試験する。精製オリゴヌクレオを、培養培地に７日間、１日ごとに１度１０μＭ濃度を加える。
【０１７６】
７日間の被験オリゴヌクレオチド添加により、ヒトセリンパルミトイルトランスフェラーゼの発現は、ウェスタンブロッティングにより決定されるように有意に低下する。この効果は、コントロールオリゴヌクレオチドでは観察されない。３〜７日の後、培養中の細胞の数を、自動細胞カウンターを用いて計数する。被験オリゴヌクレオチドで処理した培養中の細胞の数を、コントロールオリゴヌクレオチドで処理した培養中の細胞の数（１００％と表す）と比較する。被験オリゴヌクレオチドで処理した培養中の細胞の数は、コントロールの３０％を超えない、このことはヒトセリンパルミトイルトランスフェラーゼの阻害が、癌細胞において抗増殖効果を有することを示している。
【０１７７】
実施例８
化合物／標的確証のインビボ試験
１．急性機械的検定
１．１．分裂促進血漿ホルモンレベルの低下
この非腫瘍検定では、内因性の循環ホルモンレベル又は生物学的刺激に応答して生産されるホルモンレベルのいずれかを低下させる化合物の能力を測定する。げっ歯類に被験化合物を投与（経口、腹腔内、静脈内、筋肉内又は皮下投与）する。被験化合物投与後の所定時間に、血漿を採集する。目的のホルモンレベルについて、血漿を検定する。ホルモンの標準循環レベルが低すぎる、及び／又は可変過ぎて一致した結果が得られない場合は、生物学的刺激で前処理してホルモンレベルを亢進することができる（即ち、ＬＨＲＨ ３０ｎｇ／マウス用量をマウスに筋肉内注射して、テストステロン合成を群発させることができる）。血漿採集の時期を調整して、誘導したホルモン応答のピークを一致させることができよう。化合物効果を、媒体処置コントロール群と比較する。Ｆ試験は分散が一致するか、一致しないかを決定するために行ない、次いでスチューデントｔ試験を行なう。媒体コントロール群と比較して有意性はｐ値０．０５以下である。
【０１７８】
１．２．活性検定の中空繊維メカニズム
中空繊維は、所望の細胞系（群）を用いて調製し、げっ歯類に腹腔内及び／又は皮下移植する。化合物は、経口、腹腔内、静脈内、筋肉内又は皮下投与する。繊維を、特定のげっ歯類検定プロトコル（遺伝子発現（ｄＤＮＡ、ＰＣＲ又はＴａｑｍａｎ）、特定の生化学活性（例えば、ｃＡＭＰレベル）についての検定を含み得る）に基づいて回収する。結果は、群間の分散をＦ試験によって比較し（媒体コントロール群と比較して有意性はｐ値０．０５以下である）、スチューデントｔ試験又は順位和試験によって分析する。
【０１７９】
２．亜急性機能インビボ検定
２．１．ホルモン依存的組織量の低下
これは、ホルモン依存性組織（即ち、雄の精嚢及び雌の子宮）の質量を低下させる化合物の能力を測定する別の非腫瘍検定である。げっ歯類に、被験化合物を所定のスケジュールに基づき、所定の期間（即ち、１週間）投与（経口、腹腔内、静脈内、筋肉内又は皮下）する。この実験の最後に、動物の体重を測り、標的器官を切除し、全ての体液を搾り出し、その器官の重量を記録する。また、血漿も回収できる。血漿は、目的のホルモンレベル又は被験物質レベルについて検定することができる。器官重量を直接比較するか、それらを動物の体重について標準化することができる。化合物の効果を、媒体処置コントロール群と比較する。Ｆ試験は分散が一致するか、一致しないかを決定するために行ない、次いでスチューデントｔ試験を行なう。媒体コントロール群と比較して有意性はｐ値０．０５以下である。
【０１８０】
中空繊維増殖検定
中空繊維は、所望の細胞系（群）を用いて調製し、げっ歯類に腹腔内及び／又は皮下移植する。化合物は、経口、腹腔内、静脈内、筋肉内又は皮下投与する。繊維を、特定のげっ歯類検定プロトコルに基づいて回収する。細胞増殖は、細胞数マーカー（即ち、ＭＴＴ又はＬＤＨ）を測定することによって決定する。細胞数と出発接種材料からの細胞数の変化を、群間の分散をＦ試験（媒体コントロール群と比較して有意性はｐ値０．０５以下である）によって比較した後、スチューデントｔ試験又は順位和試験によって分析する。
【０１８１】
２．２．抗血管新生モデル
２．２．１．角膜血管新生
成長因子を伴う若しくは伴わないヒドロンペレット又は細胞を、げっ歯類の角膜に外科的に作ったマイクロポケット中に移植する。化合物（ヒドロンペレット中に成長因子と混合した化合物）を、全身又は局所投与することができる。移植の７日後にコロイド性カーボンを心臓内注入した後すぐに、角膜を回収し、そして１０％ホルマリン中に固定する。読み取りは、定性的スコアリング及び／又はイメージ分析で行なう。定性的スコアを順位和試験により比較する。イメージ分析データは、血管新生領域（ピクセル内）を測定することによって評価し、群平均をスチューデントｔ試験（２テイル）によって比較する。成長因子又は細胞のみの群と比較して、有意性はｐ値０．０５以下である。
【０１８２】
２．２．２．マトリゲル（Ｍａｔｒｉｇｅｌ）血管新生
細胞又は成長因子を含有するマトリゲルを、皮下注射する。化合物を、経口、腹腔内、静脈内、筋肉内又は皮下投与する。マトリゲルプラグを、所定の時点（群）で回収し、読み取りのために調製する。読み取りは、ヘモグロビン濃度及び／又は組織学試験についてのＥＬＩＳＡを基礎とする検定である（即ち、容器カウント、内皮表面マーカーの特殊染色：ＣＤ３１、因子−８）。読み取りは、群間の分散をＦ試験によって比較した後（媒体コントロール群と比較して有意性はｐ値０．０５以下である）、スチューデントｔ試験によって分析する。
【０１８３】
３．原発性抗腫瘍効果
３．１．初期治療モデル
３．１．１．皮下腫瘍
腫瘍細胞又は破砕物（フラグメント）を、０日目に皮下移植する。媒体及び／又は化合物を、ある時、通常１日目に開始する所定のスケジュールに基づいて経口、腹腔内、静脈内、筋肉内又は皮下投与し、次いでその能力について腫瘍重量（ｂｕｒｄｅｎ）を測定する。体重及び腫瘍測定を週に２、３回記録する。正味の体重及び腫瘍重量の平均を、それぞれのデータ収集日ごとに計算する。抗腫瘍効果は、既定の日に処置腫瘍のサイズ（Ｔ）及びコントロール腫瘍のサイズ（Ｃ）を、群間の分散をＦ試験により比較した後（有意性はｐ０．０５以下で決められる）、スチューデントｔ試験により比較することで最初に決定することができる。また、この実験は、腫瘍成長遅延をモニターし記録して腫瘍測定を継続する場合には、投与の終了後にも継続できる。腫瘍成長遅延は、予め定めたサイズに達したコントロール群の中央時間で、該サイズに達した処置群とコントロール群の中央時間を割ったものの差として表される。成長遅延は、評価サイズに達した個々の腫瘍についての時間からカプラン−マイヤー曲線を作成することによって比較する。有意性はｐ０．０５以下である。
【０１８４】
３．１．２．腹腔内／頭蓋内腫瘍モデル
腫瘍細胞を、０日目に腹腔内又は頭蓋内注射する。化合物を、１日目に開始する所定のスケジュールに基づき、経口、腹腔内、静脈内、筋肉内又は皮下投与する。羅患率及び／又は死亡率の観察を、１日に２回記録する。体重は１週間に２回測定し記録する。羅患率／死亡率のデータを、生存中央値の期間で表し、長期生存数は分けて示す。生存時間を用いて、カプラン−マイヤー曲線を作成する。この実験のコントロール群と比較した対数範囲試験による有意性はｐ０．０５以下である。
【０１８５】
３．２．疾患モデルの確立
腫瘍細胞又は破砕物を、皮下的に移植し、処置を開始するのに所望のサイズにまで成長させる。所定のサイズ範囲に達する、マウスを処置群に無作為に分ける。化合物を、所定のスケジュールに従い、経口、腹腔内、静脈内、筋肉内又は皮下投与する。腫瘍重量及び体重を、１週間に２〜３回測定し記録する。インキュベート後の幾日かに渡って全群の腫瘍重量の平均値を、比較のためにグラフにする。Ｆ試験は分散が一致するか、一致しないかを決定するために行ない、次いでスチューデントｔ試験を処置終了時点の処置群及びコントロール群の腫瘍サイズを比較するために行なう。コントロール群と比較して有意性はｐ値０．０５以下である。腫瘍測定は、投与を止め腫瘍成長遅延をモニターした後に、記録することができる。腫瘍成長遅延は、所定のサイズに達したコントロール群の中央時間で、所定のサイズに達した処置群とコントロール群の中央時間を割ったのものの差として表される。成長遅延は、評価サイズに達した個々の腫瘍についての時間からカプラン−マイヤー曲線を作成することによって比較する。媒体コントロール群と比較して有意性はｐ値０．０５以下である。
【０１８６】
３．３．同所性疾患モデル
３．３．１．哺乳類脂肪体検定
哺乳動物の腺癌起源の腫瘍細胞又は破砕物を、外科的に露出させて表出させ、げっ歯類の乳腺脂肪体（ｆａｔ ｐａｄ）に直接移植する。その脂肪体を元あった場所に戻し、外科部分を閉じる。また、ホルモンを、腫瘍の成長を補助するためにげっ歯類に投与することもできる。化合物を所定のスケジュールに基づき、経口、腹腔内、静脈内、筋肉内又は皮下投与する。腫瘍重量及び体重を、１週間に２〜３回測定し記録する。接種後の幾日かに渡って全群の腫瘍重量の平均値を、比較のためにグラフにする。Ｆ試験は分散が一致するか、一致しないかを決定するために行ない、次いでスチューデントｔ試験を処置終了時の処置群及びコントロール群の腫瘍サイズを比較するために行なう。コントロール群と比較して有意性はｐ値０．０５以下である。
【０１８７】
腫瘍測定は、投与を止め腫瘍成長遅延をモニターした後に、記録することができる。腫瘍成長遅延は、所定のサイズに達したコントロール群の中央時間で、所定のサイズに達した処置群とコントロール群の中央時間を割ったのものの差として表される。成長遅延は、評価サイズに達した個々の腫瘍の中央時間からカプラン−マイヤー曲線を作成することによって比較する。媒体コントロール群と比較して有意性はｐ値０．０５以下である。さらに、このモデルは、このタイプの腫瘍の自発的転移速度を増大させる機会を提供する。転移反応は、標的器官当たりの目視できる病巣（フォーカス）の数を計数すること、又は標的器官重量を測定することによって、この研究の最後に評価することができる。これらの終点の平均値を、Ｆ試験を行なった後（この実験のコントロール群と比較して有意性はｐ値０．０５以下である）、スチューデントｔ試験によって比較する。
【０１８８】
３．２．２．前立腺内検定
前立腺癌器官の腫瘍細胞又は破砕物を、外科的に露出させたげっ歯類の前立腺の背葉に直接移植する。移植組織が精嚢に侵入しないことを検証しながら、腫瘍を特に背葉に移植することができるので、腹部切除して前立腺を外面化する。上手く接種した前立腺を腹部に移し、腹部に沿った切開部及び皮膚を閉じる。また、ホルモンを、腫瘍の成長を助けるためにげっ歯類に投与することもできる。化合物を、所定のスケジュールに基づき、経口、腹腔内、静脈内、筋肉内又は皮下投与する。体重を１週間に２〜３回測定し記録する。所定の時点で実験を終了し、動物を解剖する。原発性腫瘍サイズを、解剖範囲に装着させるキャリパーミクロメーターや接眼マイクロメーターのいずれかを用いて三次元測定する。Ｆ試験は分散が一致するか、一致しないかを決定するために行ない、次いでスチューデントｔ試験を処置終了時の処置群及びコントロール群の腫瘍サイズを比較するために行なう。コントロール群と比較して有意性はｐ値０．０５以下である。このモデルは、このタイプの腫瘍の自発的転移速度を増大させる機会を与える。転移反応は、標的器官（即ち、肺）当たりの目視できる病巣の数を計数すること、又は標的器官（即ち、局所的リンパ節）重量を測定することによって、この研究の最後に評価することができる。これらの終点の平均値を、Ｆ試験を行なった後（この実験のコントロール群と比較して有意性はｐ値０．０５以下である）、スチューデントｔ試験によって比較する。
【０１８９】
３．３．３．気管支内検定
肺器官の腫瘍細胞を、皮膚を切開し、気管を曝すことによって、気管支内に移植することができる。気管支は、斜端の２５ゲージニードルを用いて穴を開け、腫瘍細胞を、主要な気管支に屈曲９０°の平滑端の２７ゲージニードルを用いて接種する。化合物を、所定のスケジュールに基づき、経口、腹腔内、静脈内、筋肉内又は皮下投与する。体重を１週間に２〜３回測定し記録する。所定の時点で実験を終了し、動物を解剖する。原発性腫瘍サイズを、解剖範囲に装着させるキャリパーミクロメーターや接眼マイクロメーターのいずれかを用いて三次元測定する。Ｆ試験は分散が一致するか、一致しないかを決定するために行ない、次いでスチューデントｔ試験を処置終了時の処置群及びコントロール群の腫瘍サイズを比較するために行なう。コントロール群と比較して有意性はｐ値０．０５以下である。このモデルは、このタイプの腫瘍の自発的転移速度を増大させる機会を与える。転移反応は、標的器官（即ち、反対側の肺）当たりの目視できる病巣の数を計数すること、又は標的器官重量を測定することによって、この研究の最後に評価することができる。これらの終点の平均値を、Ｆ試験を行なった後（この実験のコントロール群と比較して有意性はｐ値０．０５以下である）、スチューデントｔ試験によって比較する。
【０１９０】
３．３．４．盲腸内検定
胃腸器官の腫瘍細胞を、腹部の皮膚を切開し、腸を外面化することで盲腸内移植することができる。腫瘍細胞を、２７又は３０ゲージニードルを用いて、腸の管腔を貫通することなく、盲腸壁に接種することができる。化合物を、所定のスケジュールに基づき、経口、腹腔内、静脈内、筋肉内又は皮下投与する。体重を１週間に２〜３回測定し記録する。所定の時点で実験を終了し、動物を解剖する。原発性腫瘍サイズを、解剖範囲に装着させるキャリパーミクロメーターや接眼マイクロメーターのいずれかを用いて三次元測定する。Ｆ試験は分散が一致するか、一致しないかを決定するために行ない、次いでスチューデントｔ試験を処置終了時の処置群及びコントロール群の腫瘍サイズを比較するために行なう。コントロール群と比較して有意性はｐ値０．０５以下である。このモデルは、このタイプの腫瘍の自発的転移速度を増大させる機会を与える。転移反応は、標的器官（即ち、肝臓）当たりの目視できる病巣の数を計数すること、又は標的器官重量を測定することによって、この研究の最後に評価することができる。これらの終点の平均値を、Ｆ試験を行なった後（エンドポイント両方の実験におけるコントロール群と比較して有意性はｐ値０．０５以下である）、スチューデントｔ試験によって比較する。
【０１９１】
４．続発性（転移性）抗腫瘍効果
４．１．自発転移
腫瘍細胞を皮下接種させ、腫瘍を肺又は肝臓への自発的転移研究のため予め定めた範囲にまで成長させる。次いで、この原発性腫瘍を切除する。腫瘍転移の初期段階を阻害することを目的とした治療を評価するために原発性腫瘍を切除するまでの期間を含むことある所定のスケジュールに従い、化合物を、経口、腹腔内、静脈内、筋肉内又は皮下投与する。罹患率及び／又は死亡率の観察を毎日記録する。１週間に２回、体重を測定し記録する。可能な指標（エンドポイント）には、生存時間、標的器官当たりの目視できる病巣の数、又は標的器官重量が挙げられる。生存時間をエンドポイントとして用いた場合、他の値は定まらない。生存データは、カプラン−マイヤー曲線を作成するのに用いる。この実験のコントロール群と比較して対数範囲試験による有意性はｐ０．０５以下である。解剖マイクロスコープの下で決定されるような目視できる腫瘍の病巣数の平均と、標的器官重量の平均値は、Ｆ試験を行なった後（エンドポイント両方の実験におけるコントロール群と比較して有意性はｐ値０．０５以下である）、スチューデントｔ試験によって比較する。
【０１９２】
４．２．強制的転移
腫瘍細胞を、尾静脈、門脈、又は心臓の左心室、実験用（強制的）肺、肝臓及び骨転移研究それぞれにおいて注射する。化合物を、所定のスケジュールに基づいて、経口、腹腔内、静脈内、筋肉内又は皮下投与する。罹患率及び／又は死亡率の観察を毎日記録する。１週間に２回、体重を測定し記録する。可能な指標には、生存時間、標的器官当たりの目視できる病巣の数、又は標的器官重量が挙げられる。生存時間をエンドポイントとして用いた場合、他の値は決定されない。生存データは、カプラン−マイヤー曲線を作成するのに用いる。この実験のコントロール群と比較して対数範囲試験による有意性はｐ０．０５以下である。解剖マイクロスコープの下で決定される目視できる腫瘍の病巣数の平均と、標的器官重量の平均値は、Ｆ試験を行なった後（両方エンドポイントの実験における媒体コントロール群と比較して有意性はｐ値０．０５以下である）、スチューデントｔ試験によって比較する。
【０１９３】
実施例９
化合物／標的確証のインビボ試験
１．疼痛：
急性痛
急性痛は、主にラットについてはホットプレート（熱板）で測定される。ホットプレート試験の２つの変法を用いる：典型的な変法は、動物を熱表面（５２〜５６℃）に置き、動物が侵害防御機構行動、例えば、ステップ又は足舐めを見せるまでの潜伏時間を測定する。もう１つの変法は、実験動物を自然温度表面に置く温度上昇ホットプレートである。次いで、この表面を、動物が後足を舐め始めるまで連続的ではあるがゆっくり熱する。後足を舐め始めた時に達している温度を、疼痛の閾値の尺度とする。
【０１９４】
化合物を媒体処置コントロール群に対して試験する。物質適用は、疼痛試験前に、異なる適用経路（静脈内、腹腔内、経口、くも膜下腔内、脳室内、皮下、皮内、経皮的）を介して異なる時点で行なう。
【０１９５】
持続痛
持続痛は、主にラットについてはホルマリン試験又はカプサイシン試験を用いて測定する。１〜５％ホルマリン又は１０〜１００μｇカプサイシン溶液を、実験動物の片方の後ろ足に注射する。ホルマリン又はカプサイシンを適用した後、その動物は、たじろぎ、患部の足を舐めたり、噛んだりして侵害防御応答を見せる。９０分までの期間内の侵害防御応答の数が、疼痛強度の尺度である。
【０１９６】
化合物を媒体処置コントロール群に対して試験する。物質適用は、ホルマリン投与又はカプサイシン投与の前に、異なる適用経路（静脈内、腹腔内、経口、くも膜下腔内、脳室内、皮下、皮内、経皮的）を介して異なる時点で行なう。
【０１９７】
神経因性疼痛
神経因性疼痛は、主にラットにおいては片側坐骨神経損傷の種々の変法により誘導される。操作は感覚消失下で行なわれる。坐骨神経損傷の第一の変法は、共通の坐骨神経周辺を紐でゆるく締め付けることによって行なわれる。第二の変法は、共通の座骨神経の直径が約半分になるまできつく縛ることである。次の変法は、モデル群を用いて、Ｌ５とＬ６脊髄神経又はＬ５脊髄神経のみ、のいずれかをきつく縛ったもの又は切除したものを作製する。第四の変法は、坐骨神経の３つの末端分枝の２つ（脛骨神経及び共通腓骨神経）を軸索切除し、腓腹神経を無傷で残すことを包含するのに対し、最後の変法は、脛骨分枝のみを軸索切除し、腓腹神経及び共通神経を傷付けずに残すことを含む。コントロール動物は偽手術を用いて処置する。
【０１９８】
操作後に、神経損傷動物は、慢性機械的異痛症（アロディニア）、冷アロディニア及び温熱性痛覚過敏症を発症する。機械的アロディニアは、圧力変換法（ｅｌｅｃｔｒｏｎｉｃ ｖｏｎ Ｆｒｅｙ Ａｎｅｓｔｈｅｓｉｏｍｅｔｅｒ， ＩＩＴＣ Ｉｎｃ．−Ｌｉｆｅ Ｓｃｉｅｎｃｅ Ｉｎｓｔｒｕｍｅｎｔｓ， Ｗｏｏｄｌａｎｄ Ｈｉｌｌｓ， ＳＡ， ＵＳＡ； Ｅｌｅｃｔｒｏｎｉｃ ｖｏｎ Ｆｒｅｙ Ｓｙｓｔｅｍ， Ｓｏｍｅｄｉｃ Ｓａｌｅｓ ＡＢ， Ｈｏｕｒｂｙ， Ｓｗｅｄｅｎ）により測定する。温熱性痛覚過敏症は、患部の後足の侵害防御応答を疼痛強度の尺度として計数する放射熱源法（Ｐｌａｎｔａｒ Ｔｅｓｔ， Ｕｇｏ Ｂａｓｉｌｅ， Ｃｏｍｅｒｉｏ， Ｉｔａｌｙ）又は冷却プレート（５〜１０℃）により測定する。冷却誘導型疼痛の更なる試験は、患部の後肢にアセトンを足裏投与した後の侵害防御応答をカウントすること、又は侵害防御応答の期間である。一般に慢性痛は、活性のサーカディアンリズムを記録すること（Ｓｕｒｊｏ及びＡｒｎｄｔ， Ｕｎｉｖｅｒｓｉｔ ｔ ｚｕ Ｋｏｕｌｎ， Ｃｏｌｏｇｎｅ， Ｇｅｒｍａｎｙ）、及び進行の差をスコアリングすること（フットプリントパターン； ＦＯＯＴＰＲＩＮＴＳプログラム， Ｋｌａｐｄｏｒら、１９９７． フットプリントパターン分析の低コスト法、Ｊ． Ｎｅｕｒｏｓｃｉ． Ｍｅｔｈｏｄｓ ７５，４９−５４）により評価する。
【０１９９】
化合物を、偽手術コントロール群及び媒体処置コントロール群に対して試験する。物質適用は、疼痛試験前に、異なる適用経路（静脈内、腹腔内、経口、くも膜下腔内、脳室内、皮下、皮内、経皮的）を介して異なる時点で行なう。
【０２００】
炎症痛
炎症痛は、主にラットにおいては一方の後足にカラゲナン０．７５ｍｇ又は完全フロインドアジュバンドを注射することによって引き起こす。動物は、機械的アロディニア及び温熱性痛覚過敏症を伴う浮腫を発症する。機械的アロディニアは、圧力変換器法（ｅｌｅｃｔｒｏｎｉｃ ｖｏｎ Ｆｒｅｙ Ａｎｅｓｔｈｅｓｉｏｍｅｔｅｒ， ＩＩＴＣ Ｉｎｃ．−Ｌｉｆｅ Ｓｃｉｅｎｃｅ Ｉｎｓｔｒｕｍｅｎｔｓ， Ｗｏｏｄｌａｎｄ Ｈｉｌｌｓ， ＳＡ， ＵＳＡ）により測定する。温熱性痛覚過敏症は、放射熱源法（Ｐｌａｎｔａｒ Ｔｅｓｔ， Ｕｇｏ Ｂａｓｉｌｅ， Ｃｏｍｅｒｉｏ， Ｉｔａｌｙ， Ｐａｗ ｔｈｅｒｍａｌ ｓｔｉｍｕｌａｔｏｒ， Ｇ． Ｏｚａｋｉ， Ｕｎｉｖｅｒｓｉｔｙ ｏｆ Ｃａｌｉｆｏｒｎｉａ， ＵＳＡ）により測定する。浮腫測定については、２つの方法を用いる。第一の方法は、動物を屠殺して、患部の後足を細分し、重量を測ることである。第二の方法は、プレチスモメーター（Ｕｇｏ Ｂａｓｉｌｅ， Ｃｏｍｅｒｉｏ， Ｉｔａｌｙ）における水の押しのけ容積を測定することによる足のボリューム（量）の差を含む。
【０２０１】
化合物を、非炎症コントロール群及び媒体処置コントロール群に対して試験する。物質適用は、疼痛試験前に、異なる適用経路（静脈内、腹腔内、経口、くも膜下腔内、脳室内、皮下、皮内、経皮的）を介して異なる時点で行なう。
【０２０２】
糖尿病神経因性疼痛
ストレプトゾトシン５０〜８０ｍｇ／ｋｇを単回腹腔内注射して処置したラットは、１〜３週間以内に超高血糖及び機械的アロディニアを発症する。機械的アロディニアは圧力変換器法（ｅｌｅｃｔｒｏｎｉｃ ｖｏｎ Ｆｒｅｙ Ａｎｅｓｔｈｅｓｉｏｍｅｔｅｒ， ＩＩＴＣ Ｉｎｃ．−Ｌｉｆｅ Ｓｃｉｅｎｃｅ Ｉｎｓｔｒｕｍｅｎｔｓ， Ｗｏｏｄｌａｎｄ Ｈｉｌｌｓ， ＳＡ， ＵＳＡ）により測定する。
【０２０３】
化合物を、糖尿病及び非糖尿病媒体コントロール群に対して試験する。物質適用は、疼痛試験前に、異なる適用経路（静脈内、腹腔内、経口、くも膜下腔内、脳室内、皮下、皮内、経皮的）を介して異なる時点で行なう。
【０２０４】
２．パーキンソン病
６−ヒドロキシドパミン（６−ＯＨ−ＤＡ）病変
ドーパミン作動性黒質線条体及び線条体淡蒼球経路の変性は、パーキンソン病における中心的な病理現象である。この疾患は、ラットにおいて６−ＯＨ−ＤＡを内側前脳束（ＭＦＢ）中に単回／逐次片側定位（ｓｅｑｕｅｎｔｉａｌ ｕｎｉｌａｔｅｒａｌ ｓｔｅｒｅｏｔａｘｉｃ）注射して実験的に模倣した。
【０２０５】
実験開始時の体重が２００±２５０ｇの雄ウィスターラット（Ｈａｒｌａｎ Ｗｉｎｋｅｌｍａｎｎ， Ｇｅｒｍａｎｙ）を用いる。実験セッションにない場合、ラットは食料及び水を自由に得ることができ、昼／夜１２時間のサイクルのもと温度や湿度が制御された環境下で飼育する。以下のインビボプロトコールは、政府の権限により認可されている。苦しむ動物を最小限にし、用いる動物の数を減らし、及びインビボ技術の代替案を利用するあらゆる努力をする。
【０２０６】
動物に、モノアミンオキシダーゼによる６−ＯＨＤＡの代謝を阻害するためパージリン（Ｓｉｇｍａ， Ｓｔ． Ｌｏｕｉｓ， ＭＯ， ＵＳＡ； 腹腔内へ５０ｍｇ／ｋｇ）と、ノルアドレナリン作動性ターミナルによる６−ＯＨＤＡの取り込みを防止するためデスメチルイミプラミンＨＣｌ（Ｓｉｇｍａ； 腹腔内へ２５ｍｇ／ｋｇ）とを、外科手術の日に投与する。３０分後、そのラットをペントバービタルナトリウム（５０ｍｇ／ｋｇ）を用いて麻酔し、定位固定フレームに移す。ＤＡ黒質線条体経路を損傷させるため、６−ＯＨＤＡ ＨＢｒ（Ｓｉｇｍａ）８μｇを含む０．０１％ アスコルビン酸塩４μｌを、左内側前脳側（十字縫合（ブレグマ）及び頭蓋骨表面に対して２．４ｍｍ 前側、１．４９ｍｍ 側方、−２．７ｍｍ 腹側）に１μｌ／分の割合で注射する。ニードル（針）は拡散させるために更に５分間、所定の位置に置く。
【０２０７】
ステップ試験
前肢無動症（アキネジア）は、損傷設置後の３週間、改変ステップ試験プロトコルを用いて評価する。簡単には、実験者が片手でこの動物の後肢を固定し、表面から一方の後足をわずかに持ち上げて、その動物を維持する。一方の足をはテーブルについており、初めはフォアハンド方向、その次はバックハンド方向へゆっくり側方移動させる（５秒で１ｍ）。調整ステップの数を、両足について移動のバックハンド方向及びフォアハンド方向においてカウントする。試験の順序は、右足フォアハンド及びバックハンド調整ステップ、その次に左足フォアハンド及びバックハンド方向である。この試験は、第１回目の試験に先立ち３日間の最初のトレーニングの後、連続して３日間で３回繰り返す。フォアハンド調整ステップは、損傷動物と健康なコントロール動物の間に一致した差がないことは明らかである。従って、分析はバックハンド調整ステップに限定される。
【０２０８】
バランス試験
ステップ試験セッションの間に、姿勢検証後のバランス調整も測定する。ラットはステップ試験に記載のように同じ位置で維持し、側方移動に変えて、実験者がテーブルについた足を前方向へ傾ける。この演習はバランスの喪失の結果となり、前肢移動でバランスを回復するラットの能力を０〜３の範囲スケールでスコアーする。スコアー０は正常な足設置に与えられる。前肢運動は遅れるが、姿勢バランスの回復が検出される場合は、スコアー１を与える。スコアー２は、バランス回復は成功していないが、筋肉収縮により証明されるように十分とは言えないが明らかな前肢反応を表し、スコアー３は行動の反応のないものに与える。この試験は、第１回目の試験に先立ち３日間の最初のトレーニングの後、３日間連続してそれぞれの側（足）で１日に３回繰り返す。
【０２０９】
階段試験（足到達）
初期又は第二の損傷設置後の３週間の足到達（リーチング）行動を評価するのに、階段試験の改良法を使用する。中心に台と両端に取り外し可能な階段のあるプレキシガラス試験ボックスを用いる。この器具は、それぞれの階段で同じ側の足のみを用い、独立して足の使用を測定できるように設計することができる。それぞれの試験において、動物を１５分間この試験ボックスに置く。各々の側のダブル階段を、７×３飼料の粒（Ｐｒｅｃｉｓｉｏｎ ｆｏｏｄ ｐｅｌｌｅｔｓ， ｆｏｒｍｕｌａ ： Ｐ， ｐｕｒｉｆｉｅｄ ｒｏｄｅｎｔ ｄｉｅｔ， サイズ４５ｍｇ； Ｓａｎｄｏｗｎ Ｓｃｉｅｎｔｉｆｉｃ）で満たす。それぞれの試験の後、各々の足について食べた粒（上手く回収した粒）の数と取得した粒（触ったが、落とした）の数、及びその成功率（食べた粒／取得した粒）を別々に計数する。３日間の食料不足（１日当たり１２ｇ／動物）後の動物を１１日間試験する。全ての分析は最後の５日間のみで行なう。
【０２１０】
ＭＰＴＰ処置
神経毒である１−メチル−４−フェニル−１，２，３，６−テトラヒドロ−ピリジン（ＭＰＴＰ）は、げっ歯類、ヒト以外の霊長類及びヒトにおいて中脳ドーパミン作動性（ＤＡｅｒｇｉｃ）ニューロン変性を引き起すことで、多くのパーキンソン病症状を再現する。ＭＰＴＰは、ドーパミンレベル及びその代謝物レベル、並びに線条体におけるドーパミン作動性ターミナル数の顕著な減少を引き起こし、同様に黒質、パルス緻密質におけるチロシン ヒドロキシラーゼ（ＴＨ）−免疫応答細胞体の著しい喪失を引き起こす。
【０２１１】
重篤で、長期に及ぶ損傷を与え、かつ死亡率を減少させるために、ＭＰＴＰを動物に単回注射し、その後重症度について損傷の７〜１０日後に試験する。ＭＰＴＰの連続注射は、１、２及び３日目に投与する。１日に１度食塩水中のＭＰＴＰヒドロクロライド（シグマ）４ｍｇ／ｋｇを、動物に適用する。注射は全て腹腔内（ｉ．ｐ．）で行ない、ＭＰＴＰストック溶液は、注射と注射との間凍結しておく。動物を１１日目に断頭する。
【０２１２】
免疫組織化学
行動実験が終了した時点で、全ての動物をチオペンタール（腹腔内へ１ｇ／４０ｍｌ、Ｔｙｒｏｌ Ｐａｒｍａ）３ｍｌで麻酔する。マウスは、０．０１Ｍ ＰＢＳ（ｐＨ ７．４）で２分間、次いでＰＢＳ中の４％ パラホルムアルデヒド（Ｍｅｒｃｋ）で１５分間、経肛門的に還流する。その脳を取り出し、４％ パラホルムアルデヒド中に、４℃にて２４時間置く。その後、脱水のために、それを４℃の０．１Ｍ ＰＢＳ中の２０％ スクロース（Ｍｅｒｃｋ）溶液に移し、それらを染み込ませる。その脳を−２０℃のメチルブタン中で２分間凍結させ、−７０℃で保存する。スレッジマイクロトーム（ｍｏｄ． ３８００−Ｆｒｉｇｏｃｕｔ， Ｌｅｉｃａ）を用いて、２５μｍの切片を、脳梁（ＡＰ １．７ｍｍ）の膝部から海馬（ＡＰ ２１．８ｍｍ）まで、及びＡＰ２４．１６からＡＰ ２６．７２から得る。４６の切片をカットし、０．２５Ｍ トリスバッファー（ｐＨ ７．４）中に免疫組織化学について分類して保存する。
【０２１３】
一連の切片を、遊離−浮動性チロシンデヒドロキシラーゼ（ＴＨ）免疫組織化学についての処理する。０．１Ｍ ＰＢＳ中で３回すすいだ後、内因性のペルオキシダーゼ活性を、０．３％ Ｈ２Ｏ２±ＰＢＳ中で１０分間クエンチする。ＰＢＳ中ですすいだ後、切片を、ブロッキング物質として１０％ 正常ウシ血清（シグマ）中で５分間予めインキュベートし、一次抗ラットＴＨラビット抗血清（希釈率１：２０００）のいずれかに移す。
【０２１４】
一晩中室温でインキュベートした後、ＴＨ免疫応答に対する切片をＰＢＳ中ですすぎ（２×１０分）、ヤギで産生させたビオチン標識化抗ラビット免疫グロブリンＧ（希釈率１：２００）（Ｖｅｃｔｏｒ）中で９０分間インキュベートし、繰り返しすすぎ、そしてＶｅｃｔａｓｔａｉｎ ＡＢＣ（Ｖｅｃｔｏｒ）溶液中に移し１時間置く。０．００５％ Ｈ２Ｏ２を加えた０．１Ｍ ＰＢＳ中の３，．３’−ジアミノベンジジン テトラヒドロクロリド（ＤＡＢ；Ｓｉｇｍａ）は、続く可視化反応における色素原として働く。切片を、ゼラチンコーティングスライドに盛り、乾燥させるために一晩中置き、上方（ａｓｃｅｎｄｉｎｇ）アルコール濃度中で脱水化し、かつブチルアセテート中で透明になるヘマトキシリンを用いて対比染色（ｃｏｕｎｔｅｒ−ｓｔａｉｎｅｄ）する。
【０２１５】
ローターロッド試験
我々は、ＩＢＭ互換パソコン、ＣＩＯ−２４データ取得カード、コントロールユニット、及び４線ロータロッドユニットを含むＣＲ−１ Ｒｏｔａｍｅｘシステム（Ｃｏｌｕｍｂｕｓ Ｉｎｓｔｒｕｍｅｎｔｓ， Ｃｏｌｕｍｂｕｓ， ＯＨ）を用いるＲｏｚａｓおよびＬａｂａｎｄｅｉｒａ−Ｇａｒｃｉａ（１９９７）が記載した手順の改良法を使用する。このロータロッドユニットは、回転軸（半径７．３ｃｍ）と、それぞれのマウスに対する個別のコンピューターとから成る。このシステムソフトウェアーは、回転スピードを変えるように（０〜８０ｒｐｍ）セッションプロトコールを予めプラグラムすることができる。赤外線ビームは、マウスがロータロッドの真下の底辺鉄柵（ｂａｓｅ ｇｒｉｄ）に落ちた時を検出するために用いる。このシステムでは、落下をマウスについての実験の終了として記録し、ローターロッドにおける全時間、並びに落下時間及び全組み立て（ｓｅｔ−ｕｐ）パラメーターを記録する。また、このシステムでは、トレーニングを目的として、微弱電流を底辺鉄柵を通じて流すことができる。
【０２１６】
３．痴呆
物体認識課題
物体認識課題は、げっ歯類の認識性能における実験操作の効果を評価するために設計した。ラットを、同一の物体が２個ある開けた空間に置く。ラットは、最初の対物認識課題試行の間中、両方の物体を調べる。２度目の試行では、例えば２４時間の保持間隔の後、最初の試行で用いた２個の物体の内の１個「知っている」物体と新しい物体とを、その開けた空間に置く。この物体それぞれを調べる時間を記録する。ＯＲ課題における基礎的な基準は、ラットが２度目の試行で２個の物体を探索するのにかけた時間である。保持の良さは、「知っている」物体よりも新たな物体に対する探索時間が長いことに反映される。
【０２１７】
最初の試行の前に推定される認識エンハンサーを投与することで、習得及び最終的な固定プロセスにおける効果を評価することができる。最初の試行後の被験化合物の投与は、固定プロセスにおける効果を評価できるのに対して、２度目の試行前の投与では、想起プロセスにおける効果を測定できる。
【０２１８】
受動的回避課題
受動的回避課題により、ラット及びマウスにおける記憶性能を評価する。抑制的回避機器は、明区画と暗区画との２つの区画を持つ箱から成る。この２つの区画は、実験者が操作できるギロチンドアによって分けられている。ギロチンドアを上げた場合、２ｃｍの敷居で２つの区画は分けられている。ドアを開けた場合の暗区画の照度は約２ｌｕｘである。明区画の中央の床の明度は約５００ｌｕｘである。
【０２１９】
２４時間のセッション間間隔で分けられた２つの習慣セッション、１つのショックセッション及び保持セッションが与えられる。ラットは、習慣セッションと保持セッションにおいて３００秒間器具内を探索することができる。ラットをギロチンドアの反対の壁に頭を向けた状態で、明区画に置く。１５秒の適応時間の後、ギロチンドアを器具内の全領域を自由に動き回れるように開ける。通常、ラットはまぶしい明領域を避け、数秒の内に暗区画に入るであろう。
【０２２０】
ショックセッションにおいては、ラットが４本の足で暗区画に入るやいなや区画間のギロチンドアを下ろし、すぐさま１ｍＡのフットショックを２秒間与える。ラットを器具から取り出し、ホーム籠に戻す。保持セッション中の手順は、習慣セッションの手順と同じである。
【０２２１】
ステップ通過潜伏、すなわち保持セッション中に暗区画に入る最初の潜伏（秒）は、動物の記憶性能の指標である；暗区画に入る潜伏が長ければ長いほど、保持はよりよい。ショックセッションの３０分前に、スコポラミン１ｍｇ＊ｋｇ−１と一緒に被験化合物を与える。スコポラミンは、２４時間後の保持セッション中の記憶性能を損なわせる。被験化合物が、スコポラミン処置コントロールと比較して侵入潜伏を増大させる場合、認識増進させる可能性があり得る。
【０２２２】
モーリス水脱出課題
モーリス水脱出課題により、げっ歯類における空間方向学習を測定する。ラット及びマウスの認知機能において推定される治療効果を調査するのに広く用いられている試験系である。動物のこの性能は、水面下約１ｃｍのところに沈んでいる避難用台のある円形水タンクにおいて評価する。避難用台は、水タンク中を泳いでいる動物には見えない。机、コンピューター設備、第二の水課題を備え、実験者が居る室内の備品及び優しく響く柵上のラジオにより、膨大な迷路外合図を与える。
【０２２３】
動物は、日々の獲得セッション５日の間に４回の試行を受ける。試行は、動物をプール中に置き、タンクの壁に頭を向けることによって始める。四分区画、北、西、南及び東の４つの開始位置のそれぞれは一連の４回の試行で１度は用いる（それらの順序は無作為である）。その避難用台はいつも同じ場所にある。試行は、初めにどんな出来事があっても、動物が避難用台に上った時か又は９０秒経過した時に終了する。その動物はその台上に３０秒間留まることができる。その後台から下し、次の試行を始める。動物が９０秒以内に台を見つけられなかった場合でも、実験者がその動物を台の上に置き、３０秒間そこに留まらせる。５日目の日々のセッションの第４回目の試行後に、探知試行として更なる試行を行なう：それは、台を取りだし、動物が４つの４分円内で過ごす時間を３０秒又は６０秒間測定する。この探知試行において、動物は全て、獲得セッションの間に避難用台が置いてあった４分円の反対側の同じ開始位置から始める。
【０２２４】
動物の性能を評価するため、獲得トレーニングの間に４つの異なる基準：避難潜伏、移動距離、台への距離及び水泳速度を得る。探知試行については以下の基準：４分円内における時間（秒）及び４つの４分円内での移動距離（ｃｍ）を評価する。この探知試行は、動物が避難用台の位置をどれくらい良く学習したかについての情報をさらに与える。動物が、獲得セッション中に台のあった４分円内で、その他の４分円における時間および距離よりも、より多くの時間を費やし、より多くの距離を泳いだ場合、これは結論として、台の位置をよく学習したことを示す。
【０２２５】
推定される認知増進化合物の効果を評価するために、認知機能を損なわせる特定の脳損傷を持つラット若しくはマウス、又は正常な学習を妨げるスコポラミン若しくはＭＫ−８０１などの化合物で処置した動物、又は認知欠損を患っている高齢動物を用いる。
【０２２６】
Ｔ迷路自発的択一課題
Ｔ迷路自発的択一課題（ＴｅＭＣＡＴ）により、マウスの空間認知性能を評価する。Ｔ迷路のスタートアームと２つのゴールアームは、実験者が手動で操作できるギロチンドアを備えている。トレーニングの開始時、マウスをスタートアーム置く。ギロチンドアは閉めてある。最初の試行、「強制試行」では、左又は右のいずれかのゴールアームはギロチンドアを下げてブロックする。マウスがスタートアームから離れた後、迷路を乗り越え、最終的に開いているゴールアームに入り、そしてスタート地点にもどり、そこでギロチンドアを下げることによって５秒間閉じ込められる。次に動物は、１４回の「自由選択」試行の間に左と右のゴールアームを自由に選ぶことができる（全てのギロチンドアは開いている）。マウスが一方のゴールアームに入るとすぐに、もう一方のゴールアームを閉じる。マウスは最終的にスタートアームに戻り、マウスはスタートアームに５秒間閉じ込められた後、望むいずれのゴールアームにも自由に向かうことができる。１回のセッション中１４回の自由選択試行が完了した後、動物を迷路から取り出す。トレーニングの間には、マウスに決して手を触れない。
【０２２７】
１４回後の試行の択一パーセントを計算する。このパーセントと最初の強制試行及び連続１４回の選択試行を完了するのに要した時間（秒）とを分析する。認知欠損は、通常、トレーニングセッションの開始３０分前にスコポラミンを注射することによって誘導する。スコポラミンは、択一パーセントレベルを偶然レベルか又はそれより低いレベルにまで下げる。通常トレーニング試行の前に投与される認知エンハンサーは、少なくとも部分的には偶発的択一率のスコポラミン誘導型低下を拮抗し得る。
【０２２８】
実施例１０
ホスファチジルイノシトール特異的ホスホリパーゼＣ様酵素の組織特異的発現
ＣＯＰＤの病因におけるホスファチジルイノシトール特異的ホスホリパーゼＣ様酵素の働きを確立するための最初の段階として、ＣＯＰＤに関連するヒト呼吸組織及び炎症細胞由来のＲＮＡ試料を用いた実時間定量的ＰＣＲを使用して、遺伝子発現プロファイルを行なった。このパネルは、肺（成人及び胎児）、気管、新たに単離された肺胞型ＩＩ細胞、培養されたヒト気管支上皮細胞、培養された小気道上皮細胞、培養された気管支平滑筋細胞、培養されたＨ４４１細胞（Ｃｌａｒａ様）、新たに単離された好中球及び単球、並びに培養された単球（マクロファージ様）の全ＲＮＡ試料から構成された。また、ホスファチジルイノシトール特異的ホスホリパーゼＣ様酵素の発現は、クローンテック研究所（Ｃｌｏｎｔｅｃｈ Ｌａｂｏｒａｔｏｒｉｅｓ， ＵＫ， Ｌｔｄ）から得た全ＲＮＡパネルを用い、ヒト組織の範囲で評価した。この組織は、副腎腺、骨髄、脳、大腸、心臓、腎臓、肝臓、肺、乳腺、膵臓、唾液腺、骨格筋、小腸、脾臓、胃、精巣、胸腺、気管、甲状腺及び子宮であった。
【０２２９】
実時間定量的ＰＣＲ。標的遺伝子の発現プロファイルは、実時間定量的ＰＣＲ（ＰＣＲの動力学的分析の開発は、Ｈｉｇｕｃｈｉら、ＢｉｏＴｅｃｈｎｏｌｏｇｙ １０， ４１３−１７，１９９２、及びＨｉｇｕｃｈｉら、ＢｉｏＴｅｃｈｎｏｌｏｇｙ １１， １０２６−３０，１９９３に初めて記載された）を用いて実施した。原理は、ＰＣＲの指数関数相内の所定の任意のサイクルにおいては、産物の量が最初の鋳型のコピー数と比例することである。
【０２３０】
ＰＣＲ増幅は、標的配列と相補的であり、かつ蛍光レポーター染色及び消光染色で標識化されたオリゴヌクレオチドプローブ（ＴａｑＭａｎプローブ）の存在下で行なう。ＰＣＲの伸長相の間に、プローブはＴａｑ ＤＮＡポリメラーゼの５’−３’エンドヌクレアーゼ活性により開裂され、フルオロフォアを消光染色の効果から放出する（Ｈｏｌｌａｎｄら、Ｐｒｏｃ． Ｎａｔｌ． Ａｃａｄ． Ｓｃｉ． Ｕ．Ｓ．Ａ． ８８， ７２７６−８０， １９９１）。蛍光発光は、特異的増幅産物量と直接比例して増大するため、ＰＣＲ産物の指数関数的増幅相を検出し、初期鋳型濃度を決定するのに用いることができる（Ｈｅｉｄら、Ｇｅｎｏｍｅ Ｒｅｓ． ６， ９８６−９４， １９９６、及びＧｉｂｓｏｎら、Ｇｅｎｏｍｅ Ｒｅｓ． ６， ９９５−１００１， １９９６）。
【０２３１】
実時間定量的ＰＣＲは、ＡＢＩ Ｐｒｉｓｍ７７００シークエンス検出器を用いて行なった。普遍基準曲線の補間法により初期鋳型濃度（コピー数）を決定するために、それぞれの反応について得られたＣＴ値を用いた。それぞれの試料中の標的遺伝子の発現レベルは、遺伝子発現の最も少ない試料に関して計算した。
【０２３２】
ＲＮＡ抽出及びｃＤＮＡ調製。以上に挙げた呼吸組織及び炎症細胞タイプの各々由来の全ＲＮＡを、キアゲン社のＲＮｅａｓｙシステムを用い、製造元のプロトコルに従って単離した（Ｃｒａｗｌｅｙ， Ｗｅｓｔ Ｓｕｓｓｅｘ， ＵＫ）。精製ＲＮＡ濃度は、ＲｉｂｏＧｒｅｅｎ ＲＮＡ定量キット（Ｍｏｌｅｃｕｌａｒ Ｐｒｏｂｅｓ Ｅｕｒｏｐｅ， Ｔｈｅ Ｎｅｔｈｅｒｌａｎｄｓ）を用いて決定した。ｃＤＮＡの調製については、全ＲＮＡ１μｇを、ＳＵＰＥＲＳＣＲＩＰＴＴＭ ＲＮａｓｅ Ｈ−逆転写酵素（Ｌｉｆｅ Ｔｅｃｈｎｏｌｏｇｉｅｓ， Ｐａｉｓｌｅｙ， ＵＫ）２００Ｕ、１０ｍＭ ジチオスレイトール、各々のｄＮＴＰ ０．５ｍＭ及び５μＭ ランダムヘキサマー（Ａｐｐｌｉｅｄ Ｂｉｏｓｙｓｔｅｍｓ， Ｗａｒｒｉｎｇｔｏｎ， Ｃｈｅｓｈｉｒｅ， ＵＫ）を用いて製造元のプロトコルに従い、終量２０μｌ中にて逆転写した。
【０２３３】
ＴａｑＭａｎ定量分析。特異的プライマー及びプローブは、ＰＥ Ａｐｐｌｉｅｄ Ｂｉｏｓｙｓｔｅｍｓの推奨に基づいて設計した。プローブは、ＦＡＭ（６−カルボキシフルオレセイン）を用いて５’端を標識化した。定量的ＰＣＲはそれぞれの試料由来の逆転写されるＲＮＡ５ｎｇを用いて実施した。それぞれの測定は２回行なう。
【０２３４】
検定反応混合は以下のとおりである：１×最終ＴａｑＭａｎユニバーサルＰＣＲマスター混合（２×ストック溶液から）（ＰＥ Ａｐｐｌｉｅｄ Ｂｉｏｓｙｓｔｅｍｓ， ＣＡ）；９００ｎＭ フォワードプライマー；９００ｎＭ リバースプライマー；２００ｎＭ プローブ；５ｎｇ ｃＤＮＡ；及び２５μｌにする水。
【０２３５】
以下の工程のそれぞれを一回行なった：５０℃で２分間、そして９５℃で１０分間のプレ（前）ＰＣＲ。以下の工程は４０回行なう：９５℃で１５秒の変性、６０℃で１分のアニーリング／伸長。
【０２３６】
全ての実験は、ＡＢＩ Ｐｒｉｓｍ７７００シークエンス検出器（ＰＥ Ａｐｐｌｉｅｄ Ｂｉｏｓｙｓｔｅｍｓ， ＣＡ）を用いて実施した。この実施の最後に、ＰＣＲの間に得られた蛍光データを、ＡＢＩ Ｐｒｉｓｍ７７００使用者マニュアルに記載のように処理し、さらにバックグラウンド減算を行ない、出発標的定量を用いたシグナル直線性を行なった。
【０２３７】
表１及び表２は、示した細胞及び組織試料を用いて、ホスファチジルイノシトール特異的ホスホリパーゼＣ様酵素についての発現プロファイリングの結果である。表１については、細胞は以下のように規定する：ＨＢＥＣ、培養されたヒト気管支上皮細胞、Ｈ４４１、Ｃｌａｒａ様細胞系、ＳＡＥ、培養された小気道上皮細胞；ＳＭＣ、培養された気道平滑筋細胞；ＡＩＩ、新たに単離されたヒト肺胞型ＩＩ細胞；Ｎｅｕｔ、新たに単離された循環好中球；Ｍｏｎｏ、新たに単離された単球；及びＣＭ、培養された単球。別の報告ではドナーは一致する。この結果を図６及び７にてグラフにする。
【表１】
2004504844.tif 000002
【表２】
2004504844.tif 000003
【０２３８】
実施例１１
定量的発現プロファイリング
発現プロファイリングは、定量的ポリメラーゼ連鎖反応（ＰＣＲ）分析（またの名を動力学的分析という。Ｈｉｇｕｃｈｉら、１９９２およびＨｉｇｕｃｈｉら、１９９３により初めて記載された）に基づく。その原理は、ＰＣＲの指数関数相内の所定の任意のサイクルにおいて、産物量が最初の鋳型のコピー数に比例することである。この技術を用いることで、メッセンジャーＲＮＡ（ｍＲＮＡ）として染色体から転写される特定の遺伝子の発現レベルは、最初にそのｍＲＮＡのＤＮＡコピー（ｃＤＮＡ）を作成し、次いでｃＤＮＡの定量的ＰＣＲを行なうことで測定する（この方法は定量的逆転写ポリメラーゼ連鎖反応（定量的ＲＴ−ＰＣＲ）と呼ばれる）。
【０２３９】
異なるヒト組織由来のＲＮＡの定量的ＲＴ−ＰＣＲ分析は、ＰＩ−ＰＬＣ様酵素ｍＲＮＡの組織分布を調査するために実施した。ほとんどの場合、種々の組織由来の全ＲＮＡ２５ｍｕ．ｇ（ヒト全量ＲＮＡパネルＩ−Ｖ、Ｃｌｏｎｔｅｃｈ Ｌａｂｏｒａｔｏｒｉｅｓ， Ｐａｌｏ Ａｌｔｏ， ＣＡ， ＵＳＡ）を鋳型として用い、ＲＴ−ＰＣＲ用ＳＵＰＥＲＳＣＲＩＰＴＴＭ 第一ストランド合成系 （Ｌｉｆｅ Ｔｅｃｈｎｏｌｏｇｉｅｓ， Ｒｏｃｋｖｉｌｌｅ， ＭＤ， ＵＳＡ）を用いて、第一ストランドｃＤＮＡを合成した。第一ストランドｃＤＮＡ合成は、ｍＲＮＡの３’ポリＡテイルとハイブリダイズし、かつ合成反応を開始させるオリゴ（ｄＴ）を用いた製造元のプロトコルに基づいて行なった。次いで、この第一ストランドｃＤＮＡ１０ｎｇをポリメラーゼ連鎖反応の鋳型として用いた。他の場合では、商業的に入手可能なｃＤＮＡ１０ｎｇ（ヒト免疫系ＭＴＣパネル及びヒト血液区分ＭＴＣパネル、Ｃｌｏｎｔｅｃｈ Ｌａｂｏｒａｔｏｒｉｅｓ， Ｐａｌｏ Ａｌｔｏ， ＣＡ， ＵＳＡ）を、ポリメラーゼ連鎖反応の鋳型として用いた。ポリメラーゼ連鎖反応は、２本鎖ＤＮＡがこの反応で上手く合成された場合にのみ産生されるＤＮＡ２重らせんの小溝と結合するＤＮＡ結合性蛍光染色 サイバーグリーンＩの存在下、ＬｉｇｈｔＣｙｃｌｅｒ（Ｒｏｃｈｅ Ｍｏｌｅｃｕｌａｒ Ｂｉｏｃｈｅｍｉｃａｌｓ， Ｉｎｄｉａｎａｐｏｌｉｓ， ＩＮ， ＵＳＡ）にて実施した（Ｍｏｒｒｉｓｏｎら、１９９８）。２本鎖ＤＮＡと結合するまで、サイバーグリーンＩはＬｉｇｈｔＣｙｃｌｅｒ機器が定量的に測定できる光を発する。このポリメラーゼ連鎖反応は、オリゴヌクレオチドプライマー：
ＰＩＰＬＣＨ−Ｌ４（ＣＧＡＧＧＡＣＴＧＧＡＴＧＴＣＧＧＣＡＣＴ）及び
ＰＩＰＬＣＨ−Ｒ３（ＴＧＡＣＧＧＡＣＣＡＴＴＴＣＡＧＣＡＣＧＡ）を用いて行ない、そして次の反応サイクルごとに、反応の温度が９１℃に達した場合に発せられる光の強度を測定した。発せられる光の強度を、同時に反応させた既知濃度の標準物と比較して、鋳型ｃＤＮＡ（ｎｇ）当たりの遺伝子転写のコピー数に変換した。
【０２４０】
種々の組織型における細胞当たりのｍＲＮＡ転写レベルの差を補正するため、５種のハウスキーピング遺伝子：グリセルアルデヒド−３−ホスファターゼ（Ｇ３ＰＤＨ）、ヒポキサチン グアニン ホホリボシル（ｐｈｏｐｈｏｒｉｂｏｓｙｌ）トランスフェラーゼ（ＨＰＲＴ）、β−アクチン、ポルフォビリノーゲンデアミダーゼ（ＰＢＧＤ）、及びβ−２−ミクログロブリン；の種々の組織において同様に計算した発現レベルを用いて、標準化手順を行なった。ハウスキーピング遺伝子の発現レベルは、全ての組織で比較的一定であると考えられており（Ａｄａｍｓら、１９９３， Ａｄａｍｓら、１９９５， Ｌｉｅｗら、１９９４）、それ故ｃＤＮＡ合成工程に用いられる全ＲＮＡｍｕ．ｇ当たりのおよその相対的細胞数に対する尺度として用いることができる。わずかに異なるハウスキーピング遺伝子の組みを用いること、及び発現レベルを測定するのにＬｉｇｈｔＣｙｃｌｅｒ系を用いることを除けば、標準化手順は、ＲＮＡ Ｍａｓｔｅｒ Ｂｌｏｔ Ｕｓｅｒ Ｍａｎｕａｌ，Ａｐｐｅｎｄｉｘ Ｃ（１９９７， Ｃｌｏｎｔｅｃｈ Ｌａｂｏｒａｔｏｒｉｅｓ， Ｐａｌｏ Ａｌｔｏ， ＣＡ， ＵＳＡ）に記載のものと実質的に同じであった。簡単に言えば、全ての組織試料における５つのハウスキーピング遺伝子の発現レベルは、独立した３回の反応において、ＬｉｇｈｔＣｙｃｌｅｒ及び一定量の出発ＲＮＡ（２５ｍｕ．ｇ）を用いて、遺伝子ごとに測定した。同時に反応させた既知濃度の標準物と比較することで誘導されたそれぞれの遺伝子の計算したコピー数を記録し、全ての組織試料における遺伝子のコピー数の和パーセンテージに変換する。そして、それぞれの組織試料について、それぞれの遺伝子のパーセンテージ値の和を計算し、そして標準化因子は、それぞれの組織についてのパーセンテージ値の和を標準物として任意に選択した組織のいずれかのパーセンテージ値の和で割ることによって計算した。組織試料中の特定の遺伝子の発現について実験的に得られた値を標準化するため、得られた値に、試験したその組織についての標準化因子を掛けた。標準化法は、ヒト血液区分ＭＴＣパネルから誘導されたものを除く全ての組織に用いた、これにより組織が活性化されているか否かに応じて、幾つかのハウスキーピング遺伝子に顕著な変動が見られた。それらの組織については、標準化は単一のハウスキーピング遺伝子、β−２−ミクログロブリンを用いて行った。結果を図８及び図９に示し、左の欄には第一ストランドｃＤＮＡ１０ｎｇ当たりの実験的に得られたｍＲＮＡのコピー数を、右の欄には標準化した値を示す。ｃＤＮＡ合成に用いたＲＮＡは、それらの供給元及びカタログナンバーと併せて表３及び表４に示す。
【表３−１】
2004504844.tif 000004
【表３−２】
2004504844.tif 000005
【表４−１】
2004504844.tif 000006
【表４−２】
2004504844.tif 000007
【０２４１】
参考文献
Ｈｉｇｕｃｈｉ， Ｒ．， Ｄｏｌｌｉｎｇｅｒ， Ｇ．， Ｗａｌｓｈ， Ｐ． Ｓ． 及びＧｒｉｆｆｉｔｈ， Ｒ． （１９９２） 特定のＤＮＡ配列の同時増幅及び検出． ＢｉｏＴｅｃｈｎｏｌｏｇｙ １０： ４１３−４１７。
Ｈｉｇｕｃｈｉ， Ｒ．， Ｆｏｃｋｌｅｒ， Ｃ．， Ｄｏｌｌｉｎｇｅｒ， Ｇ． 及びＷａｔｓｏｎ， Ｒ． （１９９３） 動力学的ＰＣＲ分析： ＤＮＡ増幅反応の実時間モニタリング． ＢｉｏＴｅｃｈｎｏｌｏｇｙ １１： １０２６−１０３０。
Ｔ． Ｂ． Ｍｏｒｒｉｓｏｎ， Ｊ． Ｊ． Ｗｅｉｓ ＆ Ｃ． Ｔ． Ｗｉｔｔｗｅｒ． （１９９８） 増幅の間の連続サイバーグリーンＩのモニタリングによる低コピー転写の定量化．Ｂｉｏｔｅｃｈｎｉｑｕｅｓ ２４： ９５４−９６２。
Ａｄａｍｓ， Ｍ． Ｄ．， Ｋｅｒｌａｖａｇｅ， Ａ． Ｒ．， Ｆｉｅｌｄｓ， Ｃ． ＆ Ｖｅｎｔｅｒ， Ｃ． （１９９３） ３，４００の新規発現配列タグはヒト脳における転写多様性を同定する． Ｎａｔｕｒｅ Ｇｅｎｅｔ． ４： ２５６−２６５。
Ａｄａｍｓ， Ｍ． Ｄら、（１９９５） ｃＤＮＡ配列の８３００万ヌクレオチドに基づくヒト遺伝子多様性及び発現パターンの初期評価． Ｎａｔｕｒｅ ３７７ ｓｕｐｐ： ３−１７４。
Ｌｉｅｗ， Ｃ． Ｃ．， Ｈｗａｎｇ， Ｄ． Ｍ．， Ｆｕｎｇ， Ｙ． Ｗ．， Ｌａｕｒｅｎｓｏｎ， Ｃ．， Ｃｕｋｅｒｍａｎ， Ｅ．， Ｔｓｕｉ， Ｓ． ＆ Ｌｅｅ， Ｃ． Ｙ． （１９９４） 発現された配列タグにより同定されるような心血管系の遺伝子カタログ． Ｐｒｏｃ． Ｎａｔｌ． Ａｃａｄ． Ｓｃｉ． ＵＳＡ ９１： １０１４５−１０６４９。
【図面の簡単な説明】
【図１】ＰＩ−ＰＬＣ様酵素ポリペプチドをコードするＤＮＡ配列（配列番号１）。
【図２】図１に記載のＤＮＡ配列から推定されるアミノ酸配列（配列番号２）。
【図３】スイスプロット アクセッション Ｎｏ．Ｐ３４０２４と同一のタンパク質のアミノ酸配列（配列番号３）。
【図４】ＰＩ−ＰＬＣ様酵素ポリペプチドをコードするＤＮＡ配列（配列番号４）。
【図５】スイスプロット アクセッション Ｎｏ．Ｐ３４０２４と同一のタンパク質（配列番号３）と、ＰＩ−ＰＬＣ様酵素ポリペプチド（配列番号２）とのＢＬＡＳＴＰアライメント。血中における活性部位残基を示す。
【図６】呼吸細胞および組織におけるＰＩ−ＰＬＣ様酵素ポリペプチドの相対的発現。
【図７】種々のヒト組織及び好中球様細胞系ＨＬ６０におけるヒトＰＩ−ＰＬＣ様酵素の相対的発現。
【図８】全身におけるＰＩ−ＰＬＣ様酵素の発現プロファイリング。
【図９】血液及び肺におけるＰＩ−ＰＬＣ様酵素の発現プロファイリング。
【図５】
2004504844.tif 000008
【図６】
2004504844.tif 000009
【図７】
2004504844.tif 000010
【図８】
2004504844.tif 000011
【図９】
2004504844.tif 000012
【国際公開パンフレット】
2004504844.tif 000013
2004504844.tif 000014
2004504844.tif 000015
2004504844.tif 000016
2004504844.tif 000017
2004504844.tif 000018
2004504844.tif 000019
2004504844.tif 000020
2004504844.tif 000021
2004504844.tif 000022
2004504844.tif 000023
2004504844.tif 000024
2004504844.tif 000025
2004504844.tif 000026
2004504844.tif 000027
2004504844.tif 000028
2004504844.tif 000029
2004504844.tif 000030
2004504844.tif 000031
2004504844.tif 000032
2004504844.tif 000033
2004504844.tif 000034
2004504844.tif 000035
2004504844.tif 000036
2004504844.tif 000037
2004504844.tif 000038
2004504844.tif 000039
2004504844.tif 000040
2004504844.tif 000041
2004504844.tif 000042
2004504844.tif 000043
2004504844.tif 000044
2004504844.tif 000045
2004504844.tif 000046
2004504844.tif 000047
2004504844.tif 000048
2004504844.tif 000049
2004504844.tif 000050
2004504844.tif 000051
2004504844.tif 000052
2004504844.tif 000053
2004504844.tif 000054
2004504844.tif 000055
2004504844.tif 000056
2004504844.tif 000057
2004504844.tif 000058
2004504844.tif 000059
2004504844.tif 000060
2004504844.tif 000061
2004504844.tif 000062
2004504844.tif 000063
2004504844.tif 000064
2004504844.tif 000065
2004504844.tif 000066
2004504844.tif 000067
2004504844.tif 000068
2004504844.tif 000069
2004504844.tif 000070
2004504844.tif 000071
2004504844.tif 000072
2004504844.tif 000073
2004504844.tif 000074
2004504844.tif 000075
2004504844.tif 000076
2004504844.tif 000077
2004504844.tif 000078
2004504844.tif 000079
2004504844.tif 000080
2004504844.tif 000081
2004504844.tif 000082
2004504844.tif 000083
2004504844.tif 000084
2004504844.tif 000085
2004504844.tif 000086
2004504844.tif 000087
2004504844.tif 000088
2004504844.tif 000089
2004504844.tif 000090
2004504844.tif 000091
2004504844.tif 000092
2004504844.tif 000093
2004504844.tif 000094
2004504844.tif 000095
2004504844.tif 000096
2004504844.tif 000097
2004504844.tif 000098
2004504844.tif 000099
2004504844.tif 000100
2004504844.tif 000101
2004504844.tif 000102
2004504844.tif 000103
2004504844.tif 000104
2004504844.tif 000105
2004504844.tif 000106
2004504844.tif 000107
2004504844.tif 000108
2004504844.tif 000109
2004504844.tif 000110
2004504844.tif 000111
2004504844.tif 000112
2004504844.tif 000113
2004504844.tif 000114
2004504844.tif 000115
2004504844.tif 000116
2004504844.tif 000117
2004504844.tif 000118
2004504844.tif 000119
2004504844.tif 000120
2004504844.tif 000121
2004504844.tif 000122
2004504844.tif 000123
2004504844.tif 000124
2004504844.tif 000125
2004504844.tif 000126
【国際公開パンフレット（コレクトバージョン）】
2004504844.tif 000127
【国際調査報告】
2004504844.tif 000128
2004504844.tif 000129
2004504844.tif 000130
2004504844.tif 000131
2004504844.tif 000132